(57)【要約】  本発明は、チャネル予約信号を送信する方法、及び基地局を開示し、リソース浪費を低減するために、通信技術の分野に関する。本発明の実施形態において提供される方法は、基地局により、前記基地局が未認可チャネル上でシステム信号を受信するか否かを検出するステップと、前記基地局により、前記基地局が、前記基地局は前記未認可チャネル上で前記システム信号を受信することを検出した場合、前記未認可チャネルを予約するために前記未認可チャネル上でチャネル予約信号を送信するステップと、を含む。
2019504551.tif 000002
【特許請求の範囲】
【請求項１】
チャネル予約信号を送信する方法であって、
基地局により、前記基地局が未認可チャネル上でシステム信号を受信するか否かを検出するステップと、
前記基地局により、前記基地局が、前記基地局は前記未認可チャネル上で前記システム信号を受信することを検出した場合、前記未認可チャネルを予約するために前記未認可チャネル上でチャネル予約信号を送信するステップと、
を含む方法。
【請求項２】
前記基地局により、前記基地局が、前記基地局は前記未認可チャネル上で前記システム信号を受信することを検出した場合、前記未認可チャネルを予約するために前記未認可チャネル上でチャネル予約信号を送信する前記ステップは、
前記基地局により、前記基地局が、前記基地局は前記未認可チャネル上で前記システム信号を受信することを検出した場合、クリアチャネルアセスメントＣＣＡを実行するステップと、
前記基地局により、前記ＣＣＡの検出結果が、前記未認可チャネルはアイドルであることである場合、前記未認可チャネルを予約するために前記未認可チャネル上で前記チャネル予約信号を送信するステップと、
を含む、請求項１に記載の方法。
【請求項３】
基地局により、前記基地局が前記未認可チャネル上でシステム信号を受信するか否かを検出する前記ステップは、
前記基地局により、各検出周期において、前記基地局が前記未認可チャネル上で前記システム信号を受信するか否かを検出するステップであって、前記検出周期は１又は複数の検出期間を含む、ステップ、を含み、
前記基地局により、前記基地局が、前記基地局は前記未認可チャネル上で前記システム信号を受信することを検出した場合、ＣＣＡを実行する前記ステップは、
前記基地局が、いずれか１つの検出期間において、前記基地局は前記未認可チャネル上で前記システム信号を受信することを検出した場合、前記基地局により、前記検出期間の属する検出周期において前記システム信号の検出を停止し、ＣＣＡを実行するステップ、を含む、
請求項２に記載の方法。
【請求項４】
前記基地局により、ＣＣＡを実行する前記ステップは、
前記基地局により、Ｃｅｌｌ  Ｏｎ／Ｏｆｆ  Ｃｅｌｌ  Ｏｎ／Ｏｆｆメカニズムにおいて、前記基地局の属する認可支援アクセスＬＡＡシステムがＣｅｌｌ  Ｏｎ状態に入る時期より前のＮ個のサブフレームにおいてＣＣＡの実行を開始するステップであって、前記Ｎ個のサブフレームの期間は、前記システム信号の属するシステムにおける１回限りデータ送信の最大期間以上である、ステップ、を含む、請求項２又は３に記載の方法。
【請求項５】
前記ＣＣＡは以下の条件：
前記ＣＣＡの検出閾値がｄ以下であり、ｄは、イントラシステムに対しＣＣＡを実行するために前記基地局により使用される検出閾とインターシステムでＣＣＡ検出を実行するために前記基地局により使用される検出閾との間でより小さい値を表す、又は、
前記ＣＣＡの検出期間が、イントラシステムに対し前記基地局により実行されるＣＣＡの検出期間とインターシステムに対し前記基地局により実行されるＣＣＡ検出の検出期間との間でより大きい値以上である、又は、
前記ＣＣＡの延期ｄｅｆｅｒ期間が、イントラシステムに対し前記基地局により実行されるＣＣＡのｄｅｆｅｒ期間とインターシステムに対し前記基地局により実行されるＣＣＡのｄｅｆｅｒ期間との間でより大きい値以上である、
のうちの少なくとも１つを満たす、請求項２乃至４のいずれか一項に記載の方法。
【請求項６】
前記基地局により、前記未認可チャネル上でチャネル予約信号を送信する前記ステップは、
前記基地局により、前記未認可チャネル上でＳ個のチャネル予約信号を連続送信するステップであって、ｓ番目のチャネル予約信号の予約フィールドは、予約されるべき期間と（ｓ＋１）番目のチャネル予約信号乃至Ｓ番目のチャネル予約信号により占有される期間との和をマークするために使用され、１≦ｓ≦Ｓであり、Ｓ及びｓの両者は整数であり、前記予約されるべき期間は、前記未認可チャネル上のデータ送信のために必要な期間である、ステップ、を含む、請求項２乃至５のいずれか一項に記載の方法。
【請求項７】
前記基地局により、前記未認可チャネル上でチャネル予約信号を送信する前記ステップは、
前記基地局により、前記未認可チャネル上で各目標直交周波数分割多重ＯＦＤＭシンボル上で前記チャネル予約信号を送信するステップであって、前記目標ＯＦＤＭシンボルは、目標時期のＯＦＤＭシンボルに続く最初のＯＦＤＭシンボルから開始するＰ個のＯＦＤＭシンボルであり、前記目標時期は、前記基地局が、前記ＣＣＡの前記検出結果が、前記未認可チャネルはアイドルであることであると決定した時期であり、Ｐは１以上の整数である、ステップ、を含む、請求項２乃至５のいずれか一項に記載の方法。
【請求項８】
Ｐが１より大きい場合、
ｐ番目の目標ＯＦＤＭシンボル上で送信される前記チャネル予約信号の予約フィールドは、前記ｐ番目の目標ＯＦＤＭシンボルが前記チャネル予約信号により占有された後に残された期間をマークするために使用され、Ｐ番目の目標ＯＦＤＭシンボル上で送信される前記チャネル予約信号の予約フィールドは、予約されるべき期間と前記Ｐ番目の目標ＯＦＤＭシンボルが前記チャネル予約信号により占有された後に残された期間との和をマークするために使用され、１≦ｐ≦Ｐであり、ｐは整数である、又は、
各目標ＯＦＤＭシンボル上で送信される各チャネル予約信号の予約フィールドは、予約されるべき期間と前記目標ＯＦＤＭシンボルが前記チャネル予約信号により占有された後に残された期間との和をマークするために使用される、又は、
ｍ番目の目標ＯＦＤＭシンボル上で送信される前記チャネル予約信号の予約フィールドは、予約されるべき期間と（Ｐ−ｍ）＊ＯＦＤＭシンボル期間との和をマークするために使用され、１≦ｍ≦Ｐであり、ｍは整数である、
請求項７に記載の方法。
【請求項９】
前記システム信号は、無線フィデリティＷｉＦｉ信号であり、パディング情報が、前記目標ＯＦＤＭシンボルが前記チャネル予約信号により占有された後に残された期間内に更に送信され、前記パディング情報は、以下の情報：
ＷｉＦｉ制御フレーム、又は、
ＷｉＦｉ信号プリアンブルと信号ｓｉｇｎａｌフィールドとの組み合わせ、又は、
ＷｉＦｉ信号プリアンブルと信号ｓｉｇｎａｌフィールドと無効データとの組み合わせ、
のうちのいずれか１つを含む、請求項８に記載の方法。
【請求項１０】
前記目標ＯＦＤＭシンボル内の前記パディング情報は、以下：
前記ＷｉＦｉ信号プリアンブルと前記ｓｉｇｎａｌフィールドとの前記組み合わせ、又は前記ＷｉＦｉ信号プリアンブルと前記ｓｉｇｎａｌフィールドと前記無効データとの前記組み合わせ、のうちのいずれかを含み、前記目標ＯＦＤＭシンボル内の前記パディング情報は、前記ＯＦＤＭシンボル内の前記チャネル予約信号の後に送信され、前記ｓｉｇｎａｌフィールド内の長さフィールドは０としてマークされ、又は、
前記目標ＯＦＤＭシンボル内の前記パディング情報が以下の情報：前記ＷｉＦｉ信号プリアンブルと前記ｓｉｇｎａｌフィールドとの前記組み合わせ、又は前記ＷｉＦｉ信号プリアンブルと前記ｓｉｇｎａｌフィールドと前記無効データとの前記組み合わせ、のうちのいずれかを含み、且つ前記目標ＯＦＤＭシンボル内の前記パディング情報が前記ＯＦＤＭシンボル内の前記チャネル予約信号の前に送信される場合、前記ｓｉｇｎａｌフィールド内の長さフィールドは、０、又は前記目標ＯＦＤＭシンボルが前記信号プリアンブル及び前記ｓｉｇｎａｌフィールドにより占有された後に残された期間としてマークされる、
請求項９に記載の方法。
【請求項１１】
前記基地局により、前記未認可チャネル上でチャネル予約信号を送信する前記ステップは、
前記基地局により、前記未認可チャネル上で第１チャネル予約信号を送信し、プリセット時間セグメントが経過した後に、第２チャネル予約信号を送信するステップであって、前記第２チャネル予約信号のサブフレーム内で送信されるデータの変調次数は、前記第１チャネル予約信号により予約されたサブフレーム内で送信されるデータの変調次数以下であり、前記第２チャネル予約信号の前記サブフレーム内で送信される前記データの符号レートは、前記第１チャネル予約信号により予約された前記サブフレーム内で送信される前記データの符号レート以下である、ステップ、を含む、請求項１乃至５のいずれか一項に記載の方法。
【請求項１２】
前記基地局により、前記未認可チャネル上でチャネル予約信号を送信する前記ステップの前に、前記方法は、
前記基地局により、目標信号を得るために、前記チャネル予約信号に対しサンプルレート変換を実行するステップであって、前記目標信号のサンプリングレートはＬＡＡ信号のサンプリングレートである、ステップ、を更に含み、
前記基地局により、前記未認可チャネル上でチャネル予約信号を送信する前記ステップは、
前記基地局により、前記未認可チャネル上で前記目標信号を送信するステップ、を含む、
請求項１乃至１１のいずれか一項に記載の方法。
【請求項１３】
前記システム信号は無線フィデリティＷｉＦｉ信号であり、前記方法は、
前記基地局により、ＲＴＳフレームを送信する要求を目標端末へ送信するステップであって、前記ＲＴＳフレームの受信機媒体アクセス制御ＭＡＣアドレスフィールドは、前記目標端末のＷｉＦｉチップのＭＡＣアドレスをマークするために使用され、前記端末が送信許可ＣＴＳフレームをブロードキャストするようにし、前記予約されるべき期間を示すために使用される情報は前記ＣＴＳフレーム内にマークされ、前記ＣＴＳフレームを受信した装置が前記予約されるべき期間内にデータを送信しないようにする、ステップ、を更に含む請求項１乃至１２のいずれか一項に記載の方法。
【請求項１４】
前記基地局により、前記未認可チャネル上でチャネル予約信号を送信する前記ステップは、
前記基地局により、Ｃｅｌｌ  Ｏｎ／Ｏｆｆ  Ｃｅｌｌ  Ｏｎ／Ｏｆｆメカニズムで、前記基地局の属する認可支援アクセスＬＡＡシステムがＣｅｌｌ  Ｏｎ状態に入る時期より前の１又は複数の直交周波数分割多重ＯＦＤＭシンボル上の前記未認可チャネル上で前記チャネル予約信号を送信するステップ、又は、
前記基地局により、Ｃｅｌｌ  Ｏｎ／Ｏｆｆ  Ｃｅｌｌ  Ｏｎ／Ｏｆｆメカニズムで、前記基地局の属する認可支援アクセスＬＡＡシステムがＣｅｌｌ  Ｏｎ状態に入る時期に続く１又は複数の直交周波数分割多重ＯＦＤＭシンボル上の前記未認可チャネル上で前記チャネル予約信号を送信するステップ、又は、
前記基地局により、Ｃｅｌｌ  Ｏｎ／Ｏｆｆ  Ｃｅｌｌ  Ｏｎ／Ｏｆｆメカニズムで、前記基地局の属する認可支援アクセスＬＡＡシステムがＣｅｌｌ  Ｏｎ状態に入る時期に続くデータ領域内で、１又は複数の直交周波数分割多重ＯＦＤＭシンボル上の前記未認可チャネル上で前記チャネル予約信号を送信するステップ、
を含む、請求項１に記載の方法。
【請求項１５】
前記基地局により、前記ＣＣＡの検出結果が、前記未認可チャネルはアイドルであることである場合、前記未認可チャネルを予約するための前記未認可チャネル上の前記チャネル予約信号を送信する前記ステップは、
前記ＣＣＡの検出結果が、前記未認可チャネルはアイドルであることであり、且つＴ１≧Ｔ２である場合、前記ＣＣＡ検出が終了した後に、前記基地局により、前記未認可チャネルを予約するために、Ｔ１−Ｔ２期間を延期することにより、前記未認可チャネル上で前記チャネル予約信号を送信するステップ、又は、
前記ＣＣＡの検出結果が、前記未認可チャネルはアイドルであることであり、且つＴ１＜Ｔ２である場合、前記基地局により、前記未認可チャネルを予約するために、前記未認可チャネル上で前記チャネル予約信号を送信するステップ、
を含み、Ｔ１は前記基地局の属する前記認可支援アクセスＬＡＡシステムによるアップリンク送信からダウンリンク送信への切り換え遅延であり、Ｔ２は前記チャネル予約信号を無線インタフェースへ送信するために前記基地局により必要な時間である、請求項２乃至１０のいずれか一項に記載の方法。
【請求項１６】
基地局であって、検出ユニットと送信ユニットとを含み、
前記検出ユニットは、前記基地局が未認可チャネル上でシステム信号を受信するか否かを検出するよう構成され、
前記送信ユニットは、前記検出ユニットが、前記基地局は前記未認可チャネル上で前記システム信号を受信することを検出した場合、前記未認可チャネルを予約するために、前記未認可チャネル上でチャネル予約信号を送信するよう構成される、
基地局。
【請求項１７】
前記検出ユニットが、前記基地局は前記未認可チャネル上で前記システム信号を受信することを検出する場合、クリアチャネルアセスメントＣＣＡを実行するよう更に構成され、
前記送信ユニットは、具体的に、前記ＣＣＡの検出結果が、前記未認可チャネルはアイドルであることである場合、前記未認可チャネルを予約するために、前記未認可チャネル上で前記チャネル予約信号を送信するよう構成される、
請求項１６に記載の基地局。
【請求項１８】
前記送信ユニットは、具体的に、各検出周期内で、前記基地局が前記未認可チャネル上で前記システム信号を受信するか否かを検出するよう構成され、前記検出周期は１又は複数の検出期間を含み、
前記検出ユニットは、具体的に、いずれか１つの検出期間内で、前記基地局が前記未認可チャネル上で前記システム信号を受信することを検出する場合、前記検出期間の属する検出周期内での前記システム信号の検出を停止し、ＣＣＡを実行するよう構成される、
請求項１７に記載の基地局。
【請求項１９】
ＣＣＡを実行するとき、前記検出ユニットは、具体的に、Ｃｅｌｌ  Ｏｎ／Ｏｆｆ  Ｃｅｌｌ  Ｏｎ／Ｏｆｆメカニズムにおいて、前記基地局の属する認可支援アクセスＬＡＡシステムがＣｅｌｌ  Ｏｎ状態に入る時期より前のＮ個のサブフレームにおいてＣＣＡの実行を開始するよう構成され、前記Ｎ個のサブフレームの期間は、前記システム信号の属するシステムにおける１回限りデータ送信の最大期間以上である、請求項１７又は１８に記載の基地局。
【請求項２０】
前記ＣＣＡは以下の条件：
前記ＣＣＡの検出閾値がｄ以下であり、ｄは、イントラシステムに対しＣＣＡを実行するために前記基地局により使用される検出閾とインターシステムに対しＣＣＡを実行するために前記基地局により使用される検出閾との間でより小さい値を表す、又は、
前記ＣＣＡの検出期間が、イントラシステムに対し前記基地局により実行されるＣＣＡの検出期間とインターシステムに対し前記基地局により実行されるＣＣＡの検出期間との間でより大きい値以上である、又は、
前記ＣＣＡの延期ｄｅｆｅｒ期間が、イントラシステムに対し前記基地局により実行されるＣＣＡのｄｅｆｅｒ期間とインターシステムに対し前記基地局により実行されるＣＣＡのｄｅｆｅｒ期間との間でより大きい値以上である、
のうちの少なくとも１つを満たす、請求項１７乃至１９のいずれか一項に記載の基地局。
【請求項２１】
前記送信ユニットは、具体的に、前記未認可チャネル上でＳ個のチャネル予約信号を連続送信するよう構成され、ｓ番目のチャネル予約信号の予約フィールドは、予約されるべき期間と（ｓ＋１）番目のチャネル予約信号乃至Ｓ番目のチャネル予約信号により占有される期間との和をマークするために使用され、１≦ｓ≦Ｓであり、Ｓ及びｓの両者は整数であり、前記予約されるべき期間は、前記未認可チャネル上のデータ送信のために必要な期間である、請求項１７乃至２０のいずれか一項に記載の基地局。
【請求項２２】
前記送信ユニットは、具体的に、前記未認可チャネル上で各目標直交周波数分割多重ＯＦＤＭシンボル上で前記チャネル予約信号を送信するよう構成され、前記目標ＯＦＤＭシンボルは、目標時期のＯＦＤＭシンボルに続く最初のＯＦＤＭシンボルから開始するＰ個のＯＦＤＭシンボルであり、前記目標時期は、前記検出ユニットが、前記ＣＣＡの前記検出結果が、前記未認可チャネルはアイドルであることであると決定した時期であり、Ｐは１以上の整数である、
請求項１７乃至２０のいずれか一項に記載の基地局。
【請求項２３】
前記Ｐは１より大きく、
ｐ番目の目標ＯＦＤＭシンボル上で送信される前記チャネル予約信号の予約フィールドは、前記ｐ番目の目標ＯＦＤＭシンボルが前記チャネル予約信号により占有された後に残された期間をマークするために使用され、Ｐ番目の目標ＯＦＤＭシンボル上で送信される前記チャネル予約信号の予約フィールドは、予約されるべき期間と前記Ｐ番目の目標ＯＦＤＭシンボルが前記チャネル予約信号により占有された後に残された期間との和をマークするために使用され、１≦ｐ≦Ｐであり、ｐは整数である、又は、
各目標ＯＦＤＭシンボル上で送信される各チャネル予約信号の予約フィールドは、予約されるべき期間と前記目標ＯＦＤＭシンボルが前記チャネル予約信号により占有された後に残された期間との和をマークするために使用される、又は、
ｍ番目の目標ＯＦＤＭシンボル上で送信される前記チャネル予約信号の予約フィールドは、予約されるべき期間と（Ｐ−ｍ）＊ＯＦＤＭシンボル期間との和をマークするために使用され、１≦ｍ≦Ｐであり、ｍは整数である、
請求項２２に記載の基地局。
【請求項２４】
前記システム信号は、無線フィデリティＷｉＦｉ信号であり、
前記送信ユニットは、前記目標ＯＦＤＭシンボルが前記チャネル予約信号により占有された後に残された期間内でパディング情報を送信するよう更に構成され、前記パディング情報は、以下の情報：
ＷｉＦｉ制御フレーム、又は、
ＷｉＦｉ信号プリアンブルと信号ｓｉｇｎａｌフィールドとの組み合わせ、又は、
ＷｉＦｉ信号プリアンブルと信号ｓｉｇｎａｌフィールドと無効データとの組み合わせ、
のうちのいずれか１つを含む、請求項２３に記載の基地局。
【請求項２５】
前記目標ＯＦＤＭシンボル内の前記パディング情報が、以下の情報：前記ＷｉＦｉ信号プリアンブルと前記ｓｉｇｎａｌフィールドとの前記組み合わせ又は前記ＷｉＦｉ信号プリアンブルと前記ｓｉｇｎａｌフィールドと前記無効データとの前記組み合わせのうちのいずれかを含み、且つ前記目標ＯＦＤＭシンボル内の前記パディング情報が、前記ＯＦＤＭシンボル内の前記チャネル予約信号の後に送信される場合、前記ｓｉｇｎａｌフィールド内の長さフィールドは０としてマークされる、又は、
前記目標ＯＦＤＭシンボル内の前記パディング情報が、以下の情報：前記ＷｉＦｉ信号プリアンブルと前記ｓｉｇｎａｌフィールドとの前記組み合わせ又は前記ＷｉＦｉ信号プリアンブルと前記ｓｉｇｎａｌフィールドと前記無効データとの前記組み合わせのうちのいずれかを含み、且つ前記目標ＯＦＤＭシンボル内の前記パディング情報が、前記ＯＦＤＭシンボル内の前記チャネル予約信号の前に送信される場合、前記ｓｉｇｎａｌフィールド内の長さフィールドは、０、又は前記目標ＯＦＤＭシンボルが前記信号プリアンブル及び前記ｓｉｇｎａｌフィールドにより占有された後に残された期間としてマークされる、
請求項２４に記載の基地局。
【請求項２６】
前記送信ユニットは、具体的に、前記未認可チャネル上で第１チャネル予約信号を送信し、プリセット時間セグメントが経過した後に、第２チャネル予約信号を送信するよう構成され、前記第２チャネル予約信号のサブフレーム内で送信されるデータの変調次数は、前記第１チャネル予約信号により予約されたサブフレーム内で送信されるデータの変調次数以下であり、前記第２チャネル予約信号の前記サブフレーム内で送信される前記データの符号レートは、前記第１チャネル予約信号により予約された前記サブフレーム内で送信される前記データの符号レート以下である、請求項１６乃至２０のいずれか一項に記載の基地局。
【請求項２７】
前記基地局は、
前記送信ユニットが前記未認可チャネル上で前記チャネル予約信号を送信する前に、目標信号を得るために、前記チャネル予約信号に対してサンプルレート変換を実行するよう構成される変換ユニットであって、前記目標信号のサンプリングレートはＬＡＡ信号のサンプリングレートである、変換ユニット、を更に含み、
前記送信ユニットは、具体的に、前記未認可チャネル上で前記目標信号を送信するよう構成される、
請求項１６乃至２６のいずれか一項に記載の基地局。
【請求項２８】
前記システム信号は無線フィデリティＷｉＦｉ信号であり、
前記送信ユニットは、ＲＴＳフレームを送信する要求を目標端末へ送信するよう更に構成され、前記ＲＴＳフレームの受信機媒体アクセス制御ＭＡＣアドレスフィールドは、前記目標端末のＷｉＦｉチップのＭＡＣアドレスをマークするために使用され、前記端末が送信許可ＣＴＳフレームをブロードキャストするようにし、前記予約されるべき期間を示すために使用される情報は前記ＣＴＳフレーム内にマークされ、前記ＣＴＳフレームを受信した装置が前記予約されるべき期間内にデータを送信しないようにする、請求項１６乃至２７のいずれか一項に記載の基地局。
【請求項２９】
前記基地局の前記送信ユニットは、具体的に、
Ｃｅｌｌ  Ｏｎ／Ｏｆｆ  Ｃｅｌｌ  Ｏｎ／Ｏｆｆメカニズムで、前記基地局の属する認可支援アクセスＬＡＡシステムがＣｅｌｌ  Ｏｎ状態に入る時期より前の１又は複数の直交周波数分割多重ＯＦＤＭシンボル上の前記未認可チャネル上で前記チャネル予約信号を送信する、又は、
Ｃｅｌｌ  Ｏｎ／Ｏｆｆ  Ｃｅｌｌ  Ｏｎ／Ｏｆｆメカニズムで、前記基地局の属する認可支援アクセスＬＡＡシステムがＣｅｌｌ  Ｏｎ状態に入る時期に続く１又は複数の直交周波数分割多重ＯＦＤＭシンボル上の前記未認可チャネル上で前記チャネル予約信号を送信する、又は、
Ｃｅｌｌ  Ｏｎ／Ｏｆｆ  Ｃｅｌｌ  Ｏｎ／Ｏｆｆメカニズムで、前記基地局の属する認可支援アクセスＬＡＡシステムがＣｅｌｌ  Ｏｎ状態に入る時期に続くデータ領域内で、１又は複数の直交周波数分割多重ＯＦＤＭシンボル上の前記未認可チャネル上で前記チャネル予約信号を送信する、
よう構成される、請求項１６に記載の基地局。
【請求項３０】
前記送信ユニットは、具体的に、
前記ＣＣＡの検出結果が、前記未認可チャネルはアイドルであることであり、且つＴ１≧Ｔ２である場合、前記ＣＣＡ検出が終了した後に、前記未認可チャネルを予約するために、Ｔ１−Ｔ２期間を延期することにより、前記未認可チャネル上で前記チャネル予約信号を送信する、又は、
前記ＣＣＡの検出結果が、前記未認可チャネルはアイドルであることであり、且つＴ１＜Ｔ２である場合、前記未認可チャネルを予約するために、前記未認可チャネル上で前記チャネル予約信号を送信する、
よう構成され、Ｔ１は前記基地局の属する前記認可支援アクセスＬＡＡシステムによるアップリンク送信からダウンリンク送信への切り換え遅延であり、Ｔ２は前記チャネル予約信号を無線インタフェースへ送信するために前記基地局により必要な時間である、請求項１７乃至２５のいずれか一項に記載の基地局。
【発明の詳細な説明】
【技術分野】
【０００１】
本願は、参照によりその全体がここに組み込まれる特許出願番号PCT/CN２０１５/０９８７８２、２０１５年１１月２６日に中国特許庁に出願、名称「チャネル予約信号を送信する方法、及び基地局」の優先権を主張する。
［技術分野］
【０００２】
本発明は、通信技術の分野に関し、特にチャネル予約信号を送信する方法、及び基地局に関する。
【背景技術】
【０００３】
認可支援アクセス（licensed  assisted  access、ＬＡＡ）システム、つまりロングタームエボリューション−未認可（unlicense−long  term  evolution、Ｕ−ＬＴＥ）システム、及び無線フィデリティ（Wireless  Fidelity、ＷｉＦｉ）システムの共存のための鍵は、２つのシステムが未認可チャネル、つまり未認可スペクトルを同時に占有するときに生じる同一チャネル干渉を効率的に回避することである。
【０００４】
ＬＡＡシステム内のネットワーク要素は基地局を含み、ＷｉＦｉシステム内のネットワーク要素はＷｉＦｉアクセスポイント（access  point、ＡＰ）を含む。基地局は、現在の未認可チャネルが占有されるか否かを検出するために、キャリア検知／クリアチャネルアセスメント（carrier  sense/clear  channel  assessment、ＣＳ／ＣＣＡ）メカニズムを使用する。該メカニズムでは、ＷｉＦｉ  ＡＰは、信号強度が検出閾以上である信号しか検出できず、ＷｉＦｉ  ＡＰがイントラシステム信号（つまり、ＷｉＦｉ信号）及び（ＬＡＡ信号のような）インターシステム信号を検出するとき、異なる検出閾が使用される。システム帯域幅が２０ＭＨｚ（メガヘルツ）である一例が使用される。ＷｉＦｉ  ＡＰがＷｉＦｉ信号を検出するときに使用される検出閾は−８２ｄＢｍであり、ＷｉＦｉ  ＡＰがＬＡＡ信号を検出するときに使用される検出閾は−６２ｄＢｍである。ＬＡＡ信号の信号強度が−８２ｄＢｍ〜−６２ｄＢｍの範囲である場合、ＷｉＦｉ  ＡＰはＬＡＡ信号を検出できない。結果として、基地局が未認可チャネル上で、信号強度が−８２ｄＢｍ〜−６２ｄＢｍの範囲にあるＬＡＡ信号を送信するとき、ＷｉＦｉ  ＡＰは、未認可チャネルの使用を効率的に回避できない。最後に、基地局及びＷｉＦｉ  ＡＰは未認可チャネル上で信号を同時に送信するので、同一チャネル干渉が引き起こされることがある。
【０００５】
前述の問題を解決するために、基地局は、未認可チャネル上でチャネル予約信号を送信して良い。チャネル予約信号は、ＷｉＦｉフレームフォーマットを使用する。このように、ＷｉＦｉ  ＡＰは、基地局の属するＬＡＡシステムをイントラシステムとして考え、したがって、検出閾を−８２ｄＢｍに設定する。したがって、ＷｉＦｉ  ＡＰは、信号強度が−８２ｄＢｍ〜−６２ｄＢｍの範囲のＬＡＡ信号を検出でき、信号強度が−８２ｄＢｍ〜−６２ｄＢｍの範囲のＬＡＡ信号が未認可チャネルを占有するとき、ＷｉＦｉ  ＡＰは、未認可チャネルの使用を回避できる。したがって、同一チャネル干渉の可能性が低減される。
【０００６】
前述のチャネル予約信号送信処理において、基地局は、基地局が未認可チャネルを占有する必要のある度に、チャネル予約信号を送信する。これは、リソース浪費を引き起こす。
【発明の概要】
【０００７】
本発明の実施形態は、リソース浪費を低減するために、チャネル予約信号を送信する方法、及び基地局を提供する。
【０００８】
上述の目的を達成するため、以下の技術的ソリューションが本発明の実施形態において使用される。
【０００９】
第１の態様によると、チャネル予約信号を送信する方法であって、
基地局により、前記基地局が未認可チャネル上でシステム信号を受信するか否かを検出するステップと、
前記基地局により、前記基地局が、前記基地局は前記未認可チャネル上で前記システム信号を受信することを検出した場合、前記未認可チャネルを予約するために前記未認可チャネル上でチャネル予約信号を送信するステップと、を含む方法が提供される。
【００１０】
本発明の本実施形態で提供されるチャネル予約信号を送信する方法によると、基地局が、基地局は未認可チャネル上でシステム信号を受信することを検出した場合、基地局は、未認可チャネルを予約するために、未認可チャネル上でチャネル予約信号を送信する。チャネル予約信号が、未認可チャネルが占有される必要のある前にその都度送信される従来技術と比べて、本発明の本実施形態では幾らかのリソースが節約できる。
【００１１】
第２の態様によると、基地局であって、検出ユニットと送信ユニットとを含み、
前記検出ユニットは、前記基地局が未認可チャネル上でシステム信号を受信するか否かを検出するよう構成され、
前記送信ユニットは、前記検出ユニットが、前記基地局は前記未認可チャネル上で前記システム信号を受信することを検出した場合、前記未認可チャネルを予約するために、前記未認可チャネル上でチャネル予約信号を送信するよう構成される、基地局が提供される。
【００１２】
本発明の本実施形態における基地局は、第１の態様に記載したチャネル予約信号を送信する方法を実行するよう構成され得る。したがって、基地局により達成できる技術的効果については、基地局が第１の態様におけるチャネル予約信号を送信する方法を実行するときに達成される技術的効果を参照する。詳細事項は、ここで再び記載されない。
【００１３】
前述の第１の態様において、任意で、前記基地局により、前記基地局が、前記基地局は前記未認可チャネル上で前記システム信号を受信することを検出した場合、前記未認可チャネルを予約するために前記未認可チャネル上でチャネル予約信号を送信する前記ステップは、前記基地局により、前記基地局が、前記基地局は前記未認可チャネル上で前記システム信号を受信することを検出した場合、クリアチャネルアセスメントＣＣＡを実行するステップと、前記基地局により、前記ＣＣＡの検出結果が、前記未認可チャネルはアイドルであることである場合、前記未認可チャネルを予約するために前記未認可チャネル上で前記チャネル予約信号を送信するステップと、を含んで良い。
【００１４】
前述の第２の態様において、任意で、前記検出ユニットは、前記基地局は前記未認可チャネル上で前記システム信号を受信することを検出する場合、クリアチャネルアセスメントＣＣＡを実行するよう更に構成されて良く、前記送信ユニットは、具体的に、前記ＣＣＡの検出結果が、前記未認可チャネルはアイドルであることである場合、前記未認可チャネルを予約するために、前記未認可チャネル上で前記チャネル予約信号を送信するよう構成されて良い。
【００１５】
チャネル予約信号が送信される前に動作が行われない従来技術ソリューションと比べて、本任意的実装では、基地局がチャネル予約信号を送信するとき、未認可チャネルがアイドルであることを保証する。これは、基地局により送信されたチャネル予約信号がイントラシステム又はインターシステムにより受信される確率を増大させ、したがって、チャネル予約及び同一チャネル干渉回避の目的を達成する確率を増大させる。
【００１６】
前述の第１の態様において、任意で、基地局により、前記基地局が前記未認可チャネル上でシステム信号を受信するか否かを検出する前記ステップは、前記基地局により、各検出周期で、前記基地局が前記未認可チャネル上でシステム信号を受信するか否かを検出するステップであって、前記検出周期は１又は複数の検出期間を含む、ステップを含んで良い。この場合、前記基地局は前記未認可チャネル上で前記システム信号を受信することを検出した場合、前記基地局によりＣＣＡを実行する前記ステップは、前記基地局が、任意の１つの検出期間内で、前記基地局は前記未認可チャネル上で前記システム信号を受信することを検出した場合、前記検出期間の属する検出周期内で前記システム信号の検出を停止し、ＣＣＡを実行するステップを含んで良い。
【００１７】
相応して、前述の第２の態様において、任意で、前記送信ユニットは、具体的に、各検出周期で、前記基地局が前記未認可チャネル上で前記システム信号を受信するか否かを検出するよう構成され、前記検出周期は１又は複数の検出期間を含む。この場合、前記検出ユニットは、具体的に、任意の１つの検出期間内に、前記基地局が前記未認可チャネル上で前記システム信号を受信することを検出した場合、前記検出期間の属する検出周期内でのシステム信号の検出を停止し、ＣＣＡを実行するよう構成されて良い。
【００１８】
本任意的実装は、粗粒度検出周期及び細粒度検出期間を提供する。粗粒度検出周期は、システム信号の検出を逃すことを回避するために使用でき、細粒度検出期間は、システム信号を素早く検出するために基地局により使用できる。
【００１９】
前述の第１の態様において、任意で、前記基地局によりＣＣＡを実行する前記ステップは、前記基地局により、Ｃｅｌｌ  Ｏｎ／Ｏｆｆメカニズムにおいて、前記基地局の属するＬＡＡシステムがＣｅｌｌ  Ｏｎ状態に入る時期より前のＮ個のサブフレームにおいてＣＣＡの実行を開始するステップであって、前記Ｎ個のサブフレームの期間は、前記システム信号の属するシステムにおける１回限りデータ送信の最大期間以上である、ステップ、を含んで良い。
【００２０】
相応して、前述の第２の態様において、任意で、ＣＣＡを実行するとき、前記検出ユニットは、具体的に、Ｃｅｌｌ  Ｏｎ／Ｏｆｆメカニズムにおいて、前記基地局の属するＬＡＡシステムがＣｅｌｌ  Ｏｎ状態に入る時期より前のＮ個のサブフレームにおいてＣＣＡの実行を開始するよう構成されて良い。ここで、前記Ｎ個のサブフレームの期間は、前記システム信号の属するシステムにおける１回限りデータ送信の最大期間以上である。
【００２１】
Ｃｅｌｌ  Ｏｎ／Ｏｆｆメカニズムでは、Ｃｅｌｌ  Ｏｎ期間及びＣｅｌｌ  Ｏｆｆ期間は比較的一定である。したがって、Ｃｅｌｌ  Ｏｎ及びＣｅｌｌ  Ｏｆｆの間の境界点は、通常一定である。本任意的実装では、Ｃｅｌｌ  Ｏｎ及びＣｅｌｌ  Ｏｆｆの間の境界点は変更される。具体的に、基地局がチャネル予約信号を送信する開始時期が、新しい境界点として使用される。望ましくは、ＣＡＡの検出結果がチャネルはアイドルであることであると決定されると、チャネル予約信号が直ちに送信される場合、ＣＡＡの検出結果がチャネルはアイドルであることである時期は、新しい境界点として使用される。
【００２２】
第１の態様又は第２の態様における前記ＣＣＡに関連するいずれかの任意的実装において、任意で、前記ＣＣＡは以下の条件：条件１：前記ＣＣＡの検出閾値がｄ以下であり、ｄは、システム内でＣＣＡを実行するために前記基地局により使用される検出閾とシステム間でＣＣＡ検出を実行するために前記基地局により使用される検出閾との間でより小さい値を表す、又は、条件２：前記ＣＣＡの検出期間が、システム内で前記基地局により実行されるＣＣＡの検出期間とシステム間で前記基地局により実行されるＣＣＡ検出の検出期間との間でより大きい値以上である、又は、条件３：前記ＣＣＡのｄｅｆｅｒ期間が、システム内で前記基地局により実行されるＣＣＡのｄｅｆｅｒ期間とシステム間で前記基地局により実行されるＣＣＡのｄｅｆｅｒ期間との間でより大きい値以上である、のうちの少なくとも１つを満たす。
【００２３】
本任意的実装は、拡張ＣＣＡ、つまり、低減した検出閾を有するＣＣＡ、及び／又は延長された検出期間を有するＣＣＡ、を提供する。システム信号がインターシステム信号であるとき、ＣＣＡの検出閾は、十分低く設定されて良い。このように、基地局は、比較的低い送信電力を有するインターシステム信号を検知できる。さらに、基地局によりＣＣＡを実行する検出精度が向上されるように、基地局は、ＣＣＡの検出期間を延長する。
【００２４】
任意的実装１：第１の態様について、基地局により未認可チャネル上でチャネル予約信号を送信するステップは、基地局により、未認可チャネル上でＳ個のチャネル予約信号を連続送信するステップを含んで良い。相応して、第２の態様について、送信ユニットは、具体的に、未認可チャネル上でＳ個のチャネル予約信号を連続送信するよう構成されて良い。ｓ番目のチャネル予約信号の予約フィールドは、予約されるべき期間と（ｓ＋１）番目のチャネル予約信号乃至Ｓ番目のチャネル予約信号により占有される期間との和をマークするために使用され、１≦ｓ≦Ｓであり、Ｓ及びｓの両者は整数であり、予約されるべき期間は、未認可チャネル上のデータ送信のために必要な期間である。
【００２５】
任意的実施形態１は、Ｃｅｌｌ  Ｏｎ／Ｏｆｆメカニズム又はＬＢＴメカニズムに基づいて良い。本任意的実施形態は以下のように理解できる。ＣＣＡの検出結果が、未認可チャネルはアイドルであることであるとき、複数のチャネル予約信号が直ちに送信され、本実施形態におけるチャネル予約信号はＯＦＤＭシンボルに関係ない。
【００２６】
任意的実装２：第１の態様について、前記基地局により前記未認可チャネル上でチャネル予約信号を送信する前記ステップは、前記基地局により、前記未認可チャネル上の各目標ＯＦＤＭシンボル上で前記チャネル予約信号を送信するステップを含んで良い。相応して、第２の態様について、前記送信ユニットは、具体的に、前記未認可チャネル上の各目標直交周波数分割多重ＯＦＤＭシンボル上で前記チャネル予約信号を送信するよう構成されて良い。
【００２７】
前記目標ＯＦＤＭシンボルは、目標時期のＯＦＤＭシンボルに続く最初のＯＦＤＭシンボルから開始するＰ個のＯＦＤＭシンボルであり、前記目標時期は、前記検出ユニットが前記ＣＣＡの前記検出結果は前記未認可チャネルがアイドルであることであると決定した時期であり、Ｐは１以上の整数である。
【００２８】
任意的実装２は、次のように理解できる。チャネル予約信号は、ＣＣＡの検出結果が未認可チャネルはアイドルであることであるときに占有されるＯＦＤＭシンボルに続く最初のＯＦＤＭシンボルから送信され始め、チャネル予約信号は時間単位としてＯＦＤＭシンボルを用いて送信される。
【００２９】
基地局がサブフレーム内の固定位置（例えば、サブフレームのサブフレーム開始境界、又はサブフレーム開始境界に続く３番目のＯＦＤＭシンボル）でチャネル予約信号を送信する従来技術と比べて、任意的実装１及び２では、以下の従来技術の問題を回避できる。基地局が固定位置でチャネル予約信号を送信するので、ＣＣＡの検出結果が未認可チャネルはアイドルであることである時期からチャネル予約信号が固定位置で送信される時期までの時間セグメント中に、未認可チャネルがイントラシステム又はインターシステムにより先取りされる。このように、基地局の属するＬＡＡシステムは、未認可チャネルを素早く予約できる。さらに、Ｓ＞１のとき、つまり基地局が複数のチャネル予約信号を送信するとき、チャネル予約信号についてのチャネル予約信号受信側の受信成功率及び復号化成功率は、向上され得る。
【００３０】
前述の任意的実装２では、第１の態様又は第２の態様について、Ｐが１より大きい場合、目標ＯＦＤＭシンボル上のチャネル予約信号の予約フィールドを生成する方法は、限定ではなく以下の方法１〜３を含む。
【００３１】
方法１。ｐ番目の目標ＯＦＤＭシンボル上で送信されるチャネル予約信号の予約フィールドは、ｐ番目の目標ＯＦＤＭシンボルがチャネル予約信号により占有された後に残された期間をマークするために使用され、Ｐ番目の目標ＯＦＤＭシンボル上で送信されるチャネル予約信号の予約フィールドは、Ｐ番目の目標ＯＦＤＭシンボルがチャネル予約信号により占有された後に残された期間をマークするために使用され、１≦ｐ＜Ｐであり、ｐは整数である。
【００３２】
方法２。各目標ＯＦＤＭシンボル上で送信される各チャネル予約信号の予約フィールドは、予約されるべき期間と、目標ＯＦＤＭシンボルがチャネル予約信号により占有された後に残された期間と、の和をマークするために使用される。
【００３３】
方法３。ｍ番目の目標ＯＦＤＭシンボル上で送信されるチャネル予約信号の予約フィールドは、予約されるべき期間と、（Ｐ−ｍ）＊ＯＦＤＭシンボル期間との和をマークするために使用され、１≦ｍ≦Ｐであり、ｍは整数である。
【００３４】
方法１、２、及び３では、各目標ＯＦＤＭシンボル上のチャネル予約信号は、目標ＯＦＤＭシンボルがチャネル予約信号により占有された後に残された期間を予約する。これは、各目標ＯＦＤＭシンボルの残り期間内に、未認可チャネルがイントラシステム又はインターシステムにより先取りされるのを防ぐことができる。さらに、方法２では、ＯＦＤＭシンボルのインデックスに従い予約が行われる必要がなく、実装が簡易である。方法３では、予約されるべき期間は、任意の目標ＯＦＤＭシンボルを用いて正確に予約できる。留意すべきことに、特定の実装中、方法１、２、及び３の幾つかの特徴は、それらが互いに衝突しない限り、予約フィールドを生成する新しい方法を形成するために、実際の要件に従い組み合わせられて良い。新しい方法はここに列挙されない。
【００３５】
前述の方法１、２、及び３において、第１の態様又は第２の態様について、任意で、システム信号がＷｉＦｉ信号であるとき、パディング情報は、任意の１又は複数の目標ＯＦＤＭシンボルがチャネル予約信号により占有された後に残された期間内で更に送信され、ここで、パディング情報は、限定ではないが、以下の情報（１）〜（３）のいずれか１つを含んで良い。（１）ＷｉＦｉ制御フレーム、又は（２）ＷｉＦｉ信号プリアンブルとｓｉｇｎａｌ信号フィールドとの組み合わせ、又は（３）ＷｉＦｉプリアンブルとｓｉｇｎａｌ信号フィールドと無効データとの組み合わせ。
【００３６】
パディング情報は、目標チャネル予約信号（つまり、前述のチャネル予約信号）の前又は後に送信されて良い。目標チャネル予約信号は、ＷｉＦｉ制御フレームにより、又はＷｉＦｉ信号プリアンブルとｓｉｇｎａｌフィールドとの組み合わせにより、表されて良い。
【００３７】
さらに、任意で、第１の態様又は第２の態様について、目標ＯＦＤＭシンボル内のパディング情報が、以下の情報：ＷｉＦｉ信号プリアンブルとｓｉｇｎａｌフィールドとの組み合わせ、又はＷｉＦｉ信号プリアンブルとｓｉｇｎａｌフィールドと無効データとの組み合わせ、のうちのいずれかを含み、目標ＯＦＤＭシンボル内のパディング情報がＯＦＤＭシンボル内のチャネル予約信号の後に送信される場合、ｓｉｇｎａｌフィールド内の長さフィールドは０としてマークされる。これは、以下の場合を回避する。チャネル予約信号受信側が、後続のデータを受信し長さフィールドに従いパースし、したがって、完全なチャネル予約信号を間違ってＬＡＡサービスデータとしてみなすこと。
【００３８】
さらに、第１の態様又は第２の態様について、目標ＯＦＤＭシンボル内のパディング情報が、以下の情報：ＷｉＦｉ信号プリアンブルとｓｉｇｎａｌフィールドとの組み合わせ、又はＷｉＦｉ信号プリアンブルとｓｉｇｎａｌフィールドと無効データとの組み合わせ、のうちのいずれかを含み、目標ＯＦＤＭシンボル内のパディング情報がＯＦＤＭシンボル内のチャネル予約信号の前に送信される場合、ｓｉｇｎａｌフィールド内の長さフィールドは、０、又は目標ＯＦＤＭシンボルが信号プリアンブル及びｓｉｇｎａｌフィールドにより占有された後に残された期間としてマークされる。
【００３９】
第１の態様又は第１の態様の任意的実装のいずれか１つにおいて、任意で、前記基地局により、前記未認可チャネル上でチャネル予約信号を送信する前記ステップは、前記基地局により、第１チャネル予約信号を前記未認可チャネル上で送信し、プリセット時間セグメントが終了した後に、第２チャネル予約信号を送信するステップを含んで良い。相応して、第２の態様又は第２の態様の任意的実装のうちのいずれか１つにおいて、任意で、前記送信ユニットは、具体的に、第１チャネル予約信号を前記未認可チャネル上で送信し、プリセット時間セグメントが終了した後に、第２チャネル予約信号を送信するよう構成されて良い。
【００４０】
第２チャネル予約信号のサブフレーム内で送信されるデータの変調次数は、第１チャネル予約信号により予約されたサブフレーム内で送信されるデータの変調次数以下であり、第２チャネル予約信号のサブフレーム内で送信されるデータの符号レートは、第１チャネル予約信号により予約されたサブフレーム内で送信されるデータの符号レート以下である。
【００４１】
本任意的実装では、前記第２チャネル予約信号のチャネル予約信号受信側の復号化成功率が向上できるように、前記変調次数及び前記符号レートが低減される。
【００４２】
第１の態様又は第１の態様の任意的実装のうちのいずれか１つにおいて、任意で、前記方法は、前記基地局により、目標端末へ構成メッセージを送信するステップを更に含んで良い。相応して、第２の態様又は第２の態様の任意的実装のうちのいずれか１つにおいて、任意で、前記送信ユニットは、目標端末へ構成メッセージを送信するよう更に構成されて良い。
【００４３】
目標サブフレーム内の（Ｒ＋ｒ＋１）番目のＯＦＤＭシンボルからサービスデータを受信し／復調し始めるよう目標端末に指示するために、構成メッセージは、チャネル予約信号を伝達する目標サブフレーム内のＯＦＤＭシンボルの数ｒ、及び制御データを伝達するために使用される目標サブフレーム内のＯＦＤＭシンボルの数Ｒを含む。目標サブフレームは、チャネル予約信号を伝達するサブフレームであり、Ｒ及びｒの両方は１以上の整数である。
【００４４】
本任意的実装では、基地局は、基地局がチャネル予約信号を伝達するためにｒ個のＯＦＤＭシンボルを使用することを示すために、目標端末へ、チャネル予約信号を伝達する目標サブフレーム内のＯＦＤＭシンボルの数ｒを送信する必要がある。つまり、サービスデータは（Ｒ＋ｒ＋１）番目のＯＦＤＭシンボルから伝達され始める。目標端末は、（Ｒ＋ｒ＋１）番目のＯＦＤＭシンボルからサービスデータを受信し／パースし始める必要がある。
【００４５】
第１の態様又は第１の態様の任意的実装のいずれか１つにおいて、任意で、前記基地局により、前記未認可チャネル上でチャネル予約信号を送信する前記ステップの前に、前記方法は、前記基地局により、目標信号を得るために、チャネル予約信号に対してサンプルレート変換を実行するステップであって、前記目標信号のサンプリングレートはＬＡＡ信号のサンプリングレートである、ステップを更に含んで良い。この場合、前記基地局により前記未認可チャネル上でチャネル予約信号を送信する前記ステップは、前記基地局により、前記未認可チャネル上で前記目標信号を送信するステップを含んで良い。
【００４６】
相応して、第２の態様又は第２の態様の任意的実装のいずれか１つにおいて、任意で、前記基地局は、前記送信ユニットが前記未認可チャネル上で前記チャネル予約信号を送信する前に、目標信号を得るために、前記チャネル予約信号に対してサンプルレート変換を実行するよう構成される変換ユニットであって、前記目標信号のサンプリングレートはＬＡＡ信号のサンプリングレートである、変換ユニットを更に含んで良い。この場合、前記送信ユニットは、具体的に、前記未認可チャネル上で前記目標信号を送信するよう構成されて良い。
【００４７】
本任意的実装では、ＬＡＡ信号及びチャネル予約信号の同一ハードウェア送信が実装できる。つまり、ＬＡＡ信号及びチャネル予約信号は、時分割多重方法で無線周波数リンクを共有できる。これは、ハードウェアリソースを節約し及びコストを低減できる。
【００４８】
第１の態様又は第１の態様の任意的実装のうちのいずれか１つにおいて、任意で、前記システム信号はＷｉＦｉ信号であり、前記方法は、前記基地局により、目標端末へＲＴＳフレームを送信するステップを更に含んで良い。相応して、第２の態様又は第２の態様の任意的実装のうちのいずれか１つにおいて、任意で、前記システム信号はＷｉＦｉ信号であり、前記送信ユニットは、目標端末へＲＴＳフレームを送信するよう要求を送信するよう更に構成されて良い。
【００４９】
ＲＴＳフレームの受信機媒体アクセス制御ＭＡＣアドレスフィールドは、目標端末のＷｉＦｉチップのＭＡＣアドレスをマークするために使用され、端末が送信許可ＣＴＳフレームをブロードキャストするようにし、予約されるべき期間を示すために使用される情報はＣＴＳフレーム内にマークされ、ＣＴＳフレームを受信した装置が予約されるべき期間内にデータを送信しないようにする。
【００５０】
本任意的実装は、基地局がＲＴＳフレームを目標端末へ送信するメカニズムを提供する。目標端末の周囲の装置（端末、基地局、等を含む）は、ＣＴＳフレームを受信できる。ＣＴＳフレームを受信した後に、これらの装置は、予約されるべき期間内にデータを送信しない。これは、目標端末に対して周囲の装置により引き起こされる干渉を低減でき、更に、ＬＡＡシステム内の基地局と目標端末との間の通信の通信品質を更に向上できる。
【００５１】
第１の態様又は第１の態様の任意的実装のうちのいずれか１つにおいて、前記システム信号はＷｉＦｉ信号であり、前記予約されるべき期間はＴであり、前記ＷｉＦｉ信号プリアンブルと前記ｓｉｇｎａｌフィールドとの前記組み合わせにより予約される最大期間はａであり、前記ＷｉＦｉ制御フレームにより予約される最大期間はｂである。この場合、前記基地局により、前記未認可チャネル上でチャネル予約信号を送信する前記ステップは、以下の幾つかの場合のうちのいずれか１つを含んで良いが、これに限定されない。
【００５２】
Ｔ≦ａのとき、基地局は、ＷｉＦｉ信号プリアンブルとｓｉｇｎａｌフィールドとの組み合わせにより表される１つのチャネル予約信号グループ、又はＷｉＦｉ制御フレームにより表される１つのチャネル予約信号グループを、未認可チャネル上で送信する。
【００５３】
ａ＜Ｔ≦ｂのとき、基地局は、ＷｉＦｉ信号プリアンブルとｓｉｇｎａｌフィールドとの組み合わせにより表される複数のチャネル予約信号グループ、又はＷｉＦｉ制御フレームにより表される１つのチャネル予約信号グループを、未認可チャネル上で送信する。
【００５４】
Ｔ＞ｂのとき、基地局は、ＷｉＦｉ信号プリアンブルとｓｉｇｎａｌフィールドとの組み合わせにより表される複数のチャネル予約信号グループ、又はＷｉＦｉ制御フレームにより表される複数のチャネル予約信号グループ、又はＷｉＦｉ信号プリアンブルとｓｉｇｎａｌフィールドとの組み合わせにより表される１又は複数のチャネル予約信号グループ及びＷｉＦｉ制御フレームにより表される１又は複数のチャネル予約信号グループを、未認可チャネル上で送信する。
【００５５】
相応して、第２の態様又は第２の態様の任意的実装のうちのいずれか１つにおいて、前記システム信号はＷｉＦｉ信号であり、前記予約されるべき期間はＴであり、前記ＷｉＦｉ信号プリアンブルと前記ｓｉｇｎａｌフィールドとの前記組み合わせにより予約される最大期間はａであり、前記ＷｉＦｉ制御フレームにより予約される最大期間はｂである。この場合、前記送信ユニットは、具体的に、Ｔ≦ａのとき、前記未認可チャネル上で、前記ＷｉＦｉ信号プリアンブルと前記ｓｉｇｎａｌフィールドとの前記組み合わせにより表される１つのチャネル予約信号グループ、又は前記ＷｉＦｉ制御フレームにより表される１つのチャネル予約信号グループを送信する、又は、
ａ＜Ｔ≦ｂのとき、前記未認可チャネル上で、前記ＷｉＦｉ信号プリアンブルと前記ｓｉｇｎａｌフィールドとの前記組み合わせにより表される複数のチャネル予約信号グループ、又は前記ＷｉＦｉ制御フレームにより表される１つのチャネル予約信号グループを送信する、又は、
Ｔ＞ｂのとき、前記未認可チャネル上で、前記ＷｉＦｉ信号プリアンブルと前記ｓｉｇｎａｌフィールドとの前記組み合わせにより表される複数のチャネル予約信号グループ、又は前記ＷｉＦｉ制御フレームにより表される１つのチャネル予約信号グループ、又は前記ＷｉＦｉ信号プリアンブルと前記ｓｉｇｎａｌフィールドとの前記組み合わせにより表される１又は複数のチャネル予約信号グループ及び前記ＷｉＦｉ制御フレームにより表される１又は複数のチャネル予約信号グループを送信する、よう構成される。
【００５６】
前述の第１の態様において、任意で、前記基地局により、前記未認可チャネル上でチャネル予約信号を送信する前記ステップは、
前記基地局により、Ｃｅｌｌ  Ｏｎ／Ｏｆｆメカニズムで、前記基地局の属するＬＡＡシステムがＣｅｌｌ  Ｏｎ状態に入る時期より前の１又は複数のＯＦＤＭシンボル上の前記未認可チャネル上で前記チャネル予約信号を送信するステップ、又は、
前記基地局により、Ｃｅｌｌ  Ｏｎ／Ｏｆｆメカニズムで、前記基地局の属するＬＡＡシステムがＣｅｌｌ  Ｏｎ状態に入る時期に続く１又は複数のＯＦＤＭシンボル上の前記未認可チャネル上で前記チャネル予約信号を送信するステップ、又は、
前記基地局により、Ｃｅｌｌ  Ｏｎ／Ｏｆｆメカニズムで、前記基地局の属するＬＡＡシステムがＣｅｌｌ  Ｏｎ状態に入る時期に続くデータ領域内で、１又は複数のＯＦＤＭシンボル上の前記未認可チャネル上で前記チャネル予約信号を送信するステップ、を含んで良い。
【００５７】
相応して、前述の第２の態様において、任意で、前記送信ユニットは、具体的に、
Ｃｅｌｌ  Ｏｎ／Ｏｆｆメカニズムで、前記基地局の属するＬＡＡシステムがＣｅｌｌ  Ｏｎ状態に入る時期より前の１又は複数のＯＦＤＭシンボル上の前記未認可チャネル上で前記チャネル予約信号を送信する、又は、
Ｃｅｌｌ  Ｏｎ／Ｏｆｆメカニズムで、前記基地局の属するＬＡＡシステムがＣｅｌｌ  Ｏｎ状態に入る時期に続く１又は複数のＯＦＤＭシンボル上の前記未認可チャネル上で前記チャネル予約信号を送信する、又は、
Ｃｅｌｌ  Ｏｎ／Ｏｆｆメカニズムで、前記基地局の属するＬＡＡシステムがＣｅｌｌ  Ｏｎ状態に入る時期に続くデータ領域内で、１又は複数のＯＦＤＭシンボル上の前記未認可チャネル上で前記チャネル予約信号を送信する、よう構成されて良い。
【００５８】
本任意的実施形態は、ＣＣＡ機能を有しないＬＡＡシステムがチャネル予約を行うシナリオに適用可能である。つまり、未認可チャネルがＣＣＡ機能を有しないＬＡＡシステムにおいて予約できる。さらに、ＬＡＡシステムがＣＣＡ機能を有するか否かに拘わらず、イントラシステム又はインターシステムが高スループットサービスを実行しないとき、基地局は、ＣＣＡを実行せずに、本任意的実施形態に従い未認可チャネルを直接予約できる。
【００５９】
前述の第１の態様において、任意で、前記ＣＣＡの検出結果が、前記未認可チャネルはアイドルであることである場合、前記基地局により前記未認可チャネル上で前記チャネル予約信号を送信する前記ステップは、キャリア間スケジューリングシナリオにおいて、前記ＣＣＡの前記検出結果が、前記未認可チャネルはアイドルであることである場合、前記基地局により、制御データを伝達するために使用される前記未認可チャネルの最後の１又は複数のＯＦＤＭシンボル上で前記チャネル予約信号を送信するステップを含んで良い。
【００６０】
相応して、前述の第２の態様において、任意で、前記送信ユニットは、具体的に、前記ＣＣＡの前記検出結果が、前記未認可チャネルはアイドルであることである場合、制御データを伝達するために使用される前記未認可チャネルの最後の１又は複数のＯＦＤＭシンボル上で前記チャネル予約信号を送信するよう構成される。
【００６１】
本任意的実装では、未認可チャネルの制御領域内のリソースは効率的に利用される。さらに、スペクトル効率が向上できる。
【００６２】
前述の第１の態様において、任意で、前記ＣＣＡの検出結果が前記未認可チャネルはアイドルであることである場合、前記基地局により、前記未認可チャネルを予約するために前記未認可チャネル上で前記チャネル予約信号を送信する前記ステップは、前記ＣＣＡの前記検出結果が前記未認可チャネルはアイドルであることであり、且つＴ１≧Ｔ２である場合、前記ＣＣＡ検出が終了した後に、前記基地局により、前記未認可チャネルを予約するために、Ｔ１−Ｔ２期間を延期することにより、前記未認可チャネル上で前記チャネル予約信号を送信するステップを含む。相応して、前述の第２の態様において、任意で、前記送信ユニットは、具体的に、前記ＣＣＡの前記検出結果が、前記未認可チャネルはアイドルであることであるり、且つＴ１≧Ｔ２である場合、前記未認可チャネルを予約するために、Ｔ１−Ｔ２期間を延期することにより、前記未認可チャネル上で前記チャネル予約信号を送信するよう構成される。Ｔ１は、前記基地局の属する前記ＬＡＡシステムによる、アップリンク送信からダウンリンク送信への切り換え遅延であり、Ｔ２は、前記チャネル予約信号を無線インタフェースへ送信するために前記基地局により必要とされる時間である。これは、基地局が無線インタフェースへチャネル予約信号を送信するとき、ＬＡＡシステムがアップリンク送信からダウンリンク送信へ切り換えることを保証できる。留意すべきことに、ＬＡＡシステムがアップリンク送信からダウンリンク送信へ切り換える前に基地局がチャネル予約信号を送信する場合、チャネル予約信号は破棄され、したがって、受信端によるチャネル予約信号の復号化が影響を受ける。
【００６３】
前述の第１の態様において、任意で、前記ＣＣＡの検出結果が前記未認可チャネルはアイドルであることである場合、前記基地局により、前記未認可チャネルを予約するために前記未認可チャネル上で前記チャネル予約信号を送信する前記ステップは、前記ＣＣＡの前記検出結果が前記未認可チャネルはアイドルであることであり、且つＴ１＜Ｔ２である場合、前記基地局により、前記未認可チャネルを予約するために、前記未認可チャネル上で前記チャネル予約信号を送信するステップを含む。
【００６４】
相応して、前述の第２の態様において、任意で、前記送信ユニットは、具体的に、前記ＣＣＡの前記検出結果が、前記未認可チャネルはアイドルであることであり、且つＴ１＜Ｔ２である場合、前記未認可チャネルを予約するために、前記未認可チャネル上で前記チャネル予約信号を送信するよう構成される。
【００６５】
Ｔ１は、前記基地局の属する前記ＬＡＡシステムによる、アップリンク送信からダウンリンク送信への切り換え遅延であり、前記チャネル予約信号を無線インタフェースへ送信するために前記基地局により必要とされる時間である。これは、別のシステムが未認可チャネルを先取りすることを防ぐことができる。
【００６６】
第３の態様によると、プロセッサとメモリとシステムバスとを含む基地局が提供される。前記メモリは、コンピュータ実行可能命令を格納するよう構成され、前記プロセッサは、前記システムバスを用いて前記メモリに接続され、前記基地局が実行すると、前記プロセッサは前記メモリに格納されたコンピュータ実行可能命令を実行して、前記基地局が、第１の態様又は第１の態様の任意的実装のうちのいずれか１つにおいて提供されるチャネル予約信号を送信する方法を実行するようにする。
【００６７】
本発明の本実施形態における基地局は、第１の態様に記載したチャネル予約信号を送信する方法を実行するよう構成され得る。したがって、基地局により達成できる技術的効果については、基地局が第１の態様におけるチャネル予約信号を送信する方法を実行するときに達成される技術的効果を参照する。詳細事項は、ここで再び記載されない。
【００６８】
第４の態様によると、コンピュータ実行可能命令を含む可読媒体が提供される。基地局のプロセッサが前記コンピュータ実行可能命令を実行すると、前記基地局は、チャネル予約信号を送信する前述の方法を実行する。
【００６９】
本発明の本実施形態において提供される可読媒体は、チャネル予約信号を送信する前述の方法を実行するよう構成され得る。したがって、前記可読媒体により達成できる技術的効果については、前述の方法の実施形態を参照する。詳細事項は、ここで再び記載されない。
【００７０】
第５の態様によると、チャネル予約信号を送信するシステムが提供される。前記システムは、基地局と複数の端末とを含み、前記基地局は、第２の態様又は第２の態様の任意的実装のうちのいずれか１つに記載の基地局であって良い。
【００７１】
本発明の本実施形態において提供されるチャネル予約信号を送信する前記システムは、第２の態様又は第２の態様の任意的実装のうちのいずれか１つに記載の基地局を含む。したがって、システムにより達成できる技術的効果については、前述の基地局の実施形態を参照する。詳細事項は、ここで再び記載されない。
【図面の簡単な説明】
【００７２】
【図１】本発明の実施形態において提供される技術的ソリューションが適用可能な、ＬＡＡシステムがＷｉＦｉシステムと共存するシステムアーキテクチャの概略図である。
【００７３】
【図２】ＷｉＦｉ物理フレーム構造の概略図である。
【００７４】
【図３】ＲＴＳフレームの概略構造図である。
【００７５】
【図４】ＣＴＳフレームの概略構造図である。
【００７６】
【図５】本発明の一実施形態によるチャネル予約信号を送信する方法のフローチャートである。
【００７７】
【図６】本発明の一実施形態によるチャネル予約信号を送信する概略図１である。
【００７８】
【図６Ａ】本発明の一実施形態によるチャネル予約信号を送信する方法の概略図である。
【００７９】
【図６Ｂ】本発明の一実施形態によるチャネル予約信号を送信する別の方法の概略図である。
【００８０】
【図７】本発明の一実施形態による検出周期Ｐと検出期間Ｔとの間の関係の概略図である。
【００８１】
【図８】本発明の一実施形態によるＣＣＡトリガ機会を決定する方法の概略図である。
【００８２】
【図９】本発明の一実施形態によるチャネル予約信号を送信する概略図２である。
【００８３】
【図１０】本発明の一実施形態によるチャネル予約信号を送信する概略図３である。
【００８４】
【図１１】本発明の一実施形態によるチャネル予約信号を送信する概略図４である。
【００８５】
【図１２】本発明の一実施形態による目標ＯＦＤＭシンボルを決定する概略図１である。
【００８６】
【図１３】本発明の一実施形態による目標ＯＦＤＭシンボルを決定する概略図２である。
【００８７】
【図１４】本発明の一実施形態による目標ＯＦＤＭシンボルを決定する概略図３である。
【００８８】
【図１５】本発明の一実施形態による目標ＯＦＤＭシンボルを決定する概略図４である。
【００８９】
【図１６】本発明の一実施形態による予約フィールドをマークする方法の概略図１である。
【００９０】
【図１７】本発明の一実施形態による予約フィールドをマークする方法の概略図２である。
【００９１】
【図１８】本発明の一実施形態による予約フィールドをマークする方法の概略図３である。
【００９２】
【図１９】本発明の一実施形態による残り期間をパディングする方法の概略図１である。
【００９３】
【図２０】本発明の一実施形態による残り期間をパディングする方法の概略図２である。
【００９４】
【図２１】本発明の一実施形態によるチャネル予約信号を送信する概略図５である。
【００９５】
【図２２】本発明の一実施形態による基地局の概略構造図１である。
【００９６】
【図２３】本発明の一実施形態による基地局の概略構造図２である。
【００９７】
【図２４】本発明の一実施形態による基地局の概略構造図３である。
【発明を実施するための形態】
【００９８】
最初に、読者が本願において提供される技術的ソリューションを理解するのを助けるために、本願における幾つかの用語が説明される。
【００９９】
（１）イントラシステム、及びインターシステム
【０１００】
本発明の実施形態において提供される技術的ソリューションは基地局により実行される。したがって、本発明の実施形態におけるイントラシステム及びインターシステムの両者は、基地局の属するＬＡＡシステムを参照して記載され、「イントラシステム」及び「インターシステム」の両者は、端末と通信するために未認可チャネルを使用可能なシステムである。具体的に、イントラシステムはＬＡＡシステムであり、インターシステムは非ＬＡＡシステムであり、例えばＷｉＦｉシステム若しくは無線標定システムであって良い。ＬＡＡシステム及びＬＡＡシステムのイントラシステムは、２つの異なるＬＡＡシステムである。端末は、ＬＡＡシステム内の端末（user  equipment、ＵＥ）、又はＷｉＦｉシステム内の基地局（station、ＳＴＡ）、等であって良い。
【０１０１】
（２）イントラシステム信号、及びインターシステム信号
【０１０２】
イントラシステム信号は、イントラシステムにより送信され、且つイントラシステムのフレームフォーマットに適合する信号、例えば、ＬＡＡシステムにより送信されるＬＡＡ信号、具体的にはＬＡＡシステム内の基地局により送信されるＬＡＡ信号である。インターシステム信号は、インターシステムにより送信され、且つインターシステムのフレームフォーマットに適合する信号、例えば、ＷｉＦｉシステムにより送信されるＷｉＦｉ信号、具体的にはＷｉＦｉシステム内のＷｉＦｉ  ＡＰ又はＷｉＦｉ  ＳＴＡにより送信されるＷｉＦｉ信号である。以下は、主に、ＷｉＦｉ  ＡＰにより送信されるＷｉＦｉ信号を説明のための一例として用いる。
【０１０３】
留意すべきことに、イントラシステムも、インターシステムのフレームフォーマットに適合する信号を送信可能である。例えば、ＬＡＡシステムは、チャネル予約信号を送信できる。具体的に、ＬＡＡシステム内の基地局はチャネル予約信号を送信する。チャネル予約信号は、ＷｉＦｉフレームフォーマットに適合する。ＬＡＡシステムはＷｉＦｉフレームフォーマットに適合するチャネル予約信号を送信できる、つまりＷｉＦｉ信号を送信できるが、特に断りの無い限り、区別することを目的として、以下の説明におけるＷｉＦｉ信号は、ＷｉＦｉシステムにより送信されたＷｉＦｉ信号であり、及びＬＡＡシステムにより送信されたＷｉＦｉ信号は、チャネル予約信号により直接表される。
【０１０４】
（３）ＬＡＡデータ、及びＷｉＦｉデータ
【０１０５】
ＷｉＦｉデータは、ＷｉＦｉシステムにより端末へ送信されるデータであり、具体的に、ＷｉＦｉ制御データ、ＷｉＦｉサービスデータ、等を含んで良い。
【０１０６】
ＬＡＡデータは、ＬＡＡシステムにより端末へ送信されるデータであり、具体的に、（チャネル予約信号のような）ＬＡＡ制御データ、ＬＡＡサービスデータ、等を含んで良い。
【０１０７】
（４）他の用語
【０１０８】
本願において、用語「第１」、「第２」、等は、異なるオブジェクトの間を区別することを意図するが、オブジェクトの特定の順序を示さない。例えば、第１チャネル予約信号及び第２チャネル予約信号は、チャネル予約信号の特定の順序を記述するのではなく、異なるチャネル予約信号の間を区別するために使用される。
【０１０９】
特に断りの無い限り、本願における用語「複数の」は２以上を意味する。例えば、複数のＷＩＦＩ  ＡＰは、２以上のＷＩＦＩ  ＡＰを意味する。本願における用語「システム」及び「ネットワーク」は、同じ意味を表し、同義的に使用されて良い。
【０１１０】
本願明細書における用語「及び／又は」は、関連するオブジェクトを説明するための関連付け関係を記載するだけであり、３つの関係が存在し得ることを表す。例えば、Ａ及び／又はＢは、以下の３つの場合を表すことがある。Ａのみが存在する、ＡとＢの両方が存在する、並びに、Ｂのみが存在する。さらに、本願明細書における記号「／」は、概して、関連するオブジェクト間の「又は」の関係を示す。例えば、Ａ／ＢはＡ又はＢとして理解され得る。
【０１１１】
次に、本発明の実施形態が適用可能なシナリオ及びネットワークアーキテクチャが記載される。
【０１１２】
本発明の実施形態において提供される技術的ソリューションはＬＡＡシステムがイントラシステム又はインターシステムと共存するシナリオに適用可能である。技術的ソリューションが、ＬＡＡシステムがＷｉＦｉシステムと共存するシナリオに適用可能であることは、主に説明のための一例として用いられる。
【０１１３】
ＬＡＡシステム内の且つ本発明の実施形態に関連するネットワーク要素は基地局を含み、ＷｉＦｉシステム内の且つ本発明の実施形態に関連するネットワーク要素はＷＩＦＩ  ＡＰを含む。更に、本発明の実施形態におけるＬＡＡシステム又はＷｉＦｉシステムは、端末を更に含む。端末は、基地局又はＷＩＦＩ  ＡＰと通信するために、基地局又はＷｉＦｉ  ＡＰに接続されて良い。
【０１１４】
図１は、本発明の実施形態において提供される技術的ソリューションが適用可能な、ＬＡＡシステムがＷｉＦｉシステムと共存するシステムアーキテクチャの概略図である。図１は、複数のｅＮＢ（基地局）及び複数のＷＩＦＩ  ＡＰの展開位置、各ｅＮＢ及び各ＷＩＦＩ  ＡＰのカバレッジ、及びそれらの関係を示す。重なり合うカバレッジにおいて同一チャネル干渉が生じる可能性は比較的高い。したがって、ＬＡＡシステム及びＷｉＦｉシステムにおける過密な展開は、同一チャネル干渉の高い確率をもたらす。留意すべきことに、図１は、本発明の実施形態の適用可能なシナリオに対する限定ではなく、本発明の実施形態が適用可能なシステムアーキテクチャの概略図を示すだけである。
【０１１５】
次に、本発明の実施形態において使用される関連技術が簡単に記載される。
【０１１６】
（１）セルオン／オフ（Ｃｅｌｌ  Ｏｎ／Ｏｆｆ）メカニズム及びリッスンビフォートーク（listen  before  talk、ＬＢＴ）メカニズム
【０１１７】
現在、ＬＡＡシステム及びＷｉＦｉシステムの共存を実施するために、ＬＡＡシステム内の基地局は、通常、以下の２つのメカニズム：デューティサイクルに基づく検出（又はチャネル負荷検出として参照される）、つまりＣｅｌｌ  Ｏｎ／Ｏｆｆメカニズムと、クリアチャネルアセスメント、つまりＬＢＴメカニズムと、を用いて未認可チャネルに対してチャネル検出を実行する。
【０１１８】
例えば、Ｃｅｌｌ  Ｏｎ／Ｏｆｆメカニズムでは、基地局は、最初に、１つのＣｅｌｌ  Ｏｎ／Ｏｆｆ周期の中の未認可チャネルグループの負荷レベルを検出し、次に、最低負荷比を有する未認可チャネルを選択し、最低負荷比を有する未認可チャネルのデューティサイクル検出結果に従い、ＬＡＡシステムのＯｎ／Ｏｆｆ割合、つまり１つのＣｅｌｌ  Ｏｎ／Ｏｆｆ周期の中のスケジューリング期間を決定する。スケジューリング期間は、通常、数十ミリ秒（ｍｓ）より長い。Ｃｅｌｌ  Ｏｎ／Ｏｆｆメカニズムでは、ＬＡＡシステムはＣＣＡをサポートして良く、又はＣＣＡをサポートしなくて良い。
【０１１９】
ＬＢＴメカニズムでは、基地局がデータパケットを送信する前にその都度、基地局は１回ＣＣＡを開始する。ＣＣＡの検出結果が衝突はない（つまり、未認可チャネルはアイドルである）ことである場合、基地局は、データパケットを送信して良い。或いは、ＣＣＡの検出結果が衝突はある（つまり、未認可チャネルはアイドルではない）ことである場合、基地局は、ＣＣＡを拡張するために乱数を選択し、拡張期間に対応するアイドル時間が累積的に検出されるまで、データパケットを送信しない。例えば、乱数Ｎを選択する場合、基地局は、少なくともＮ＊ＣＣＡ検出期間内に再びＣＣＡを実行し、検出結果に基づき、データパケットを送信すべきか否か、つまり未認可チャネルを占有すべきか否かを決定する。
【０１２０】
（２）ＷｉＦｉ物理フレーム構造、つまり、物理層コンバージェンスプロシジャプロトコル・データユニット（physical  layer  convergence  procedure  protocol  data  unit、ＰＰＤＵ）のフレームフォーマット
【０１２１】
図２を参照すると、図２は、ＷｉＦｉ物理フレーム構造の概略図である。図２の表現方法では、ＷｉＦｉ物理フレーム構造は、物理層コンバージェンスプロシジャ（physical  layer  convergence  procedure、ＰＬＣＰ）プリアンブル（preamble）、信号（signal）フィールド、及びデータ（data）フィールドを含んで良い。図２の別の表現方法では、ＷｉＦｉ物理フレーム構造は、ＰＬＣＰプリアンブル、ＰＬＣＰヘッダ（PLCP  header）、物理層コンバージェンスプロシジャ・サービスデータユニット（PLCP  service  data  unit、ＰＳＤＵ）、テール（tail）フィールド、及びパッド（pad）フィールドを含んで良い。
【０１２２】
ＰＬＣＰヘッダは、レート（rate）フィールド、予約（reserved）フィールド、長さ（length）フィールド、パリティ（parity）フィールド、テール（tail）フィールド、及びサービス（service）フィールドを含む。変調の観点から、ｒａｔｅフィールド、ｒｅｓｅｒｖｅｄフィールド、長さフィールド、ｐａｒｉｔｙフィールド、及びｔａｉｌフィールドは、ｓｉｇｎａｌフィールドとして示される独立した直交周波数分割多重（orthogonal  frequency  division  multiplexing、ＯＦＤＭ）シンボルを形成する。ＰＬＣＰ  ｈｅａｄｅｒ内のｓｅｒｖｉｃｅフィールド、ＰＳＣＵ、ｔａｉｌフィールド、及び任意のｐａｄフィールドは、ｄａｔａフィールドとして一緒に示される。
【０１２３】
留意すべきことに、図２は、幾つかのフィールドにより占有されるビット数を更に示す。幾つかのフィールドにより占有されるビット数は、本発明に対する限定ではなく、単に一例として用いられる。
【０１２４】
（３）ＷｉＦｉ制御フレーム構造
【０１２５】
ＷｉＦｉ制御フレームは、送信要求（request  to  send、ＲＴＳ）フレーム、送信許可（clear  to  send、ＣＴＳ）フレーム、等を含む。留意すべきことに、本願明細書を通じてＷｉＦｉ制御フレームは、ＲＴＳフレーム又はＣＴＳフレームである。
【０１２６】
図３を参照すると、図３は、ＲＴＳフレームの概略構造図である。図３に示すＲＴＳフレームは、媒体アクセス制御（media  access  control、ＭＡＣ）ヘッダ、及びフレームチェックシーケンス（frame  check  sequence、ＦＣＳ）を含む。ＭＡＣヘッダは、フレーム制御（frame  control）フィールド、期間（duration）フィールド、受信側アドレス（receiver  address  or  receiving  station  address、ＲＡ）フィールド、及び送信側アドレス（transmitter  address  or  transmitting  station  address、ＴＡ）フィールドを含む。これらのフィールドにより占有されるビット数は、２、２、６、６、及び４であって良い。つまり、ＲＴＳフレームフォーマットは、通常２０バイトを占有する。
【０１２７】
図４を参照すると、図４は、ＣＴＳフレームの概略構造図である。図４に示すＣＴＳフレームは、ＭＡＣヘッダ、及びＦＣＳを含む。ＭＡＣヘッダは、ｆｒａｍｅ  ｃｏｎｔｒｏｌフィールド、ｄｕｒａｔｉｏｎフィールド、ＲＡフィールドを含む。これらのフィールドにより占有されるビット数は、２、２、６、及び４であって良い。つまり、ＣＴＳフレームフォーマットは、通常１４バイトを占有する。
【０１２８】
留意すべきことに、ＲＴＳフレーム及びＣＴＳフレーム内のｄｕｒａｔｉｏｎフィールドは、ネットワーク割り当てベクトル（network  allocation  vector、ＮＡＶ）の値、つまりチャネル占有期間を記録するために使用される。したがって、特定の実施中、ｄｕｒａｔｉｏｎフィールドはＮＡＶフィールドとして参照されて良い。
【０１２９】
以下は、本発明の実施形態の添付の図面を参照して例を用いて、本発明の実施形態において提供される技術的ソリューションを説明する。明らかに、記載される実施形態は、本発明の実施形態のほんの一部であり、全ての実施形態ではない。本発明の実施形態に基づき創造的労力を有しないで当業者により得られる全ての他の実施形態は、本発明の保護範囲に包含される。留意すべきことに、本願の実施形態及び実施形態の特徴は、それらが互いに矛盾しないとき、相互に結合されて良い。
【０１３０】
図５を参照して、図５は、本発明の一実施形態によるチャネル予約信号を送信する方法のフローチャートである。図５に示す方法は、以下のステップＳ１０１及びＳ１０２を含む。
【０１３１】
Ｓ１０１。基地局は、基地局が未認可チャネル上でシステム信号を受信するか否かを検出する。
【０１３２】
任意で、ステップＳ１０１は、基地局が未認可チャネルを占有する必要がある場合、基地局により、プリセット時間セグメント内で、基地局が未認可チャネル上でシステム信号を受信するか否かを検出するステップを含んで良い。任意で、ステップＳ１０１は、基地局が未認可チャネルを占有する必要がある場合、基地局により、基地局の属するＬＡＡシステムがＣｅｌｌ  ｏｆｆ状態に入る又はＣＣＡを実行するとき、基地局が未認可チャネル上でシステム信号を受信するか否かを検出するステップを含んで良い。
【０１３３】
基地局が未認可チャネルを占有する必要があることは、以下のように理解されて良い。基地局が、未認可チャネルを用いて、基地局に接続された端末と通信する必要がある。基地局が、未認可チャネル上で、基地局がシステム信号を受信するか否かを検出することは、以下のように理解されて良い。基地局が、未認可チャネルに対応する周波数上で、基地局がシステム信号を受信するか否かを検出する。システム信号は、イントラシステム信号又はインターシステム信号であって良い。
【０１３４】
システム信号がＷｉＦｉ信号である一例が使用される。基地局は、基地局がＷｉＦｉ信号を受信するか否かを決定するために、ＷｉＦｉ信号プリアンブルを検出して良い。具体的に、８０２．１１プロトコルによると、ＷｉＦｉ信号プリアンブルは固定周波数ドメインシーケンスであることが分かる。したがって、基地局は、未認可チャネル上で受信された信号を固定周波数ドメインシーケンスに相関させて良い。相関ピークが存在する場合、ＷｉＦｉ信号プリアンブルが存在すると考えられる。つまり、ＷｉＦｉ信号が受信されたことが検出される。
【０１３５】
任意的実装では、方法は、ＷｉＦｉ信号プリアンブルを検出した後に、基地局により、ＰＬＣＰヘッダ内の長さフィールドを検出するステップを更に含んで良い。このように、基地局は、ＷｉＦｉ信号の現在フレームの期間を決定できる。このように、ステップＳ１０２で、基地局は、ＷｉＦｉサービスデータが後続のＬＡＡサービスデータに干渉を生じるのを防ぐために、ＷｉＦｉ信号の現在フレームが終了した後に、チャネル予約信号を送信して良い。
【０１３６】
別の任意的実装では、方法は、ＷｉＦｉ信号プリアンブルを検出した後に、基地局により、ＭＡＣヘッダ内のＮＡＶフィールドを検出するステップを更に含んで良い。ＷｉＦｉシステムなので、１つのデータ送信処理が複数のデータ交換処理、例えば、ＷＩＦＩ  ＡＰがデータパケットを送信し対応する肯定応答（acknowledgement、ＡＣＫ）フィードバックを受信する交換処理を含む場合がある。ＮＡＶフィールドは、１つのデータ送信処理の中でチャネル占有期間をマークするために使用される。このように、ステップＳ１０２で、基地局は、このデータ送信処理の中で送信されるＷｉＦｉサービスデータが後続のＬＡＡサービスデータに干渉を生じるのを防ぐために、ＷｉＦｉ信号の１つのデータ送信処理が終了した後に、チャネル予約信号を送信して良い。
【０１３７】
Ｓ１０２。基地局が、基地局は未認可チャネル上でシステム信号を受信することを検出した場合、基地局は、未認可チャネルを予約するために、未認可チャネル上でチャネル予約信号を送信する。
【０１３８】
基地局が、基地局は未認可チャネル上でシステム信号を受信することを検出することは、イントラシステム又はインターシステムが、基地局の属するＬＡＡシステムの周囲に展開されることを示す。つまり、別の基地局、ＷｉＦｉ  ＡＰ、等が基地局の周りに展開され、イントラシステム又はインターシステムは現在時期において未認可チャネルを占有する。
【０１３９】
ステップＳ１０２は、基地局が、基地局は未認可チャネル上でシステム信号を受信することを検出した場合、基地局により、未認可チャネルを予約するために、システム信号の属するシステム内のネットワーク要素（例えば、ＷＩＦＩ  ＡＰ又は別の基地局）へ未認可チャネル上でチャネル予約信号を送信するステップを含んで良い。チャネル予約信号は、予約されるべき期間を伝達する。「予約されるべき期間」は、今回送信される必要のあるＬＡＡサービスデータにより占有される期間である。
【０１４０】
チャネル予約信号は、ＷｉＦｉフレームフォーマットに適合する。特定の実装中、ＷｉＦｉ制御フレームは、チャネル予約信号を表すために使用されて良く、具体的に、ＮＡＶフィールドは予約されるべき期間の一部又は全部をマークするために使用される。代替で、ＷｉＦｉ信号プリアンブル及びｓｉｇｎａｌフィールドの組み合わせは、チャネル予約信号を表すために使用されて良く、具体的に、長さフィールドは予約されるべき期間の一部又は全部をマークするために使用される。
【０１４１】
ステップＳ１０２の後に、方法は、チャネル予約信号を送信した後に、基地局により、予約されるべき期間内に端末へＬＡＡサービスデータを送信するステップ、を更に含んで良い。
【０１４２】
任意で、ステップＳ１０１の後に、方法は、基地局が、プリセット時間セグメント内に、基地局は未認可チャネル上でシステム信号を受信することを検出した場合、基地局により、未認可チャネルを予約するためにチャネル予約信号を送信することなく、未認可チャネルを直接占有するステップ、を更に含んで良い。さらに、この場合に、基地局は、先ずＣＣＡを実行して良く、ＣＣＡの検出結果が、未認可チャネルはアイドルであることである場合、基地局は、未認可チャネルを予約するためにチャネル予約信号を送信する。特定の実装については、本願明細書の関連する実施形態を参照のこと。この任意的実装では、以下の場合が回避できる。基地局が実際に未認可チャネル上でシステム信号を受信しているが、基地局がシステム信号を成功裏にパースできない、基地局が誤って基地局は未認可チャネル上でシステム信号を受信していないと見なす、その結果、基地局が未認可チャネルを直接占有した後に、システム信号の属するシステムにより未認可チャネル上で送信されるサービスデータが、ＬＡＡサービスデータに干渉を引き起こす。
【０１４３】
留意すべきことに、イントラシステム又はインターシステムは、基地局の属するＬＡＡシステムの周囲に展開されて良い。ＬＡＡシステムが未認可チャネルを占有する必要があるとき、未認可チャネルがイントラシステム又はインターシステムにより占有されている場合、イントラシステム又はインターシステムは、ＬＡＡシステムに同一チャネル干渉を引き起こすことがある。この場合、未認可チャネルはイントラシステム又はインターシステムにより占有されることを決定した後に、基地局は、未認可チャネルを予約するためにチャネル予約信号を送信して良い。しかしながら、幾つかのシナリオでは、例えば、イントラシステム又はインターシステムが基地局の属するＬＡＡシステムの周囲に存在しないとき、又は基地局の属するＬＡＡシステムの周囲にあるイントラシステム又はインターシステムが障害等により長期間非稼働中であるとき、基地局は、未認可チャネルを直接占有して良い、つまり、基地局は、チャネル予約信号を送信することなく、端末と通信するために未認可チャネルを直接使用して良い。
【０１４４】
任意で、チャネル予約信号受信側の受信成功率を向上するために、基地局は、チャネル予約信号を処理するために比較的低次の変調方式及び比較的低い符号レートを使用して良い。例えば、８０２．１１で定められた最も低次の変調方式は、二位相偏移変調（binary  phase  shift  keying、ＢＰＳＫ）であり、最低符号レートは１／２である。
【０１４５】
本発明の本実施形態で提供されるチャネル予約信号を送信する方法によると、基地局が、基地局は未認可チャネル上でシステム信号を受信することを検出した場合、基地局は、未認可チャネルを予約するために、未認可チャネル上でチャネル予約信号を送信する。チャネル予約信号が、未認可チャネルが占有される必要のある前にその都度送信される従来技術と比べて、本発明の本実施形態では幾らかのリソースが節約できる。
【０１４６】
任意的実施形態では、システム信号はＷｉＦｉ信号であり、予約されるべき期間はＴであり、ＷｉＦｉ信号プリアンブルとｓｉｇｎａｌフィールドとの組み合わせにより予約される最大期間はａであり、ＷｉＦｉ制御フレームにより予約される最大期間はｂである。この場合、基地局が未認可チャネル上でチャネル予約信号を送信することは、以下の幾つかの場合を含んで良い。
【０１４７】
Ｔ≦ａのとき、基地局は、ＷｉＦｉ信号プリアンブルとｓｉｇｎａｌフィールドとの組み合わせにより表される１つのチャネル予約信号グループ、又はＷｉＦｉ制御フレームにより表される１つのチャネル予約信号グループを、未認可チャネル上で送信する。
【０１４８】
ａ＜Ｔ≦ｂのとき、基地局は、ＷｉＦｉ信号プリアンブルとｓｉｇｎａｌフィールドとの組み合わせにより表される複数のチャネル予約信号グループ、又はＷｉＦｉ制御フレームにより表される１つのチャネル予約信号グループを、未認可チャネル上で送信する。
【０１４９】
Ｔ＞ｂのとき、基地局は、ＷｉＦｉ信号プリアンブルとｓｉｇｎａｌフィールドとの組み合わせにより表される複数のチャネル予約信号グループ、又はＷｉＦｉ制御フレームにより表される複数のチャネル予約信号グループ、又はＷｉＦｉ信号プリアンブルとｓｉｇｎａｌフィールドとの組み合わせにより表される１又は複数のチャネル予約信号グループ及びＷｉＦｉ制御フレームにより表される１又は複数のチャネル予約信号グループを、未認可チャネル上で送信する。
【０１５０】
任意的実施形態は、Ｃｅｌｌ  Ｏｎ／Ｏｆｆメカニズム又はＬＢＴメカニズムに基づいて良い。
【０１５１】
１つのチャネル予約信号グループは、１又は複数のチャネル予約信号を含む。１つのチャネル予約信号グループが１又は複数のチャネル予約信号を含むとき、複数のチャネル予約信号は、複数の連続するチャネル予約信号であって良く、又は複数の連続するＯＦＤＭシンボル上で伝達される複数のチャネル予約信号であって良い。１つのチャネル予約信号グループが複数のチャネル予約信号を含むとき、複数のチャネル予約信号は、チャネル予約信号受信側（例えば、ＷＩＦＩ  ＡＰ又は別の基地局）の受信成功率及び復号化成功率を向上するために使用される。しかしながら、同じチャネル予約信号グループは、同じ期間を予約するために使用される。期間は、予約されるべき期間のうちの一部又は全部である。詳細については、以下の記載における例を参照のこと。
【０１５２】
ＷｉＦｉ信号プリアンブルとｓｉｇｎａｌフィールドとの組み合わせは、期間予約のために長さフィールドを使用する。図２に示すように、長さフィールドは１２ビットを占有し、８０２．１１プロトコルによると、長さフィールドの値は０〜４０９５の範囲である。システム帯域幅が２０ＭＨｚである一例が使用される。ＯＦＤＭシンボルの長さは４μｓ（マイクロ秒）である。ｒａｔｅフィールドにより示される変調方式がＢＰＳＫであり、符号レートが１／２であるとき、長さフィールドは、具体的に５．４６４ｍｓであり且つ約５ｍｓである最小期間を示す。つまり、最大約５ｍｓが、ＷｉＦｉ信号プリアンブルとｓｉｇｎａｌフィールドとの組み合わせにより表される１つのチャネル予約信号グループを送信することにより、予約できる。
【０１５３】
ＲＴＳフレーム又はＣＴＳフレームは、期間予約のためにＮＡＶフィールドを使用する。図３又は図４に示すように、ｄｕｒａｔｉｏｎフィールド（つまりＮＡＶフィールド）は１６ビットを占有し、最大３２，７６７μｓ、つまり約３２ｍｓを予約できる。つまり、最大約３２ｍｓが、ＲＴＳフレーム又はＣＴＳフレームにより表される１つのチャネル予約信号グループを送信することにより、予約できる。
【０１５４】
したがって、本任意的実施形態の一例では、ａ＝５ｍｓ、及びｂ＝３２ｍｓである。当業者は、長さフィールド及びＮＡＶフィールドにより予約できる期間が、ｒａｔｅフィールドにより示される変調方式及び符号レートにより変化することを理解すべきである。この場合、ａ及びｂの値も相応して変化すべきである。詳細事項は、ここで記載されない。
【０１５５】
基地局が１つのチャネル予約信号グループを送信するシナリオでは、チャネル予約信号グループにより予約される期間は、予約されるべき期間に等しい。基地局が複数のチャネル予約信号グループを送信するシナリオでは、複数のチャネル予約信号グループにより予約される期間の和は、予約されるべき期間に等しい。全てのチャネル予約信号グループにより予約される期間は、同じ又は異なって良い。さらに、全てのチャネル予約信号グループの種類は、同じ又は異なって良い。例えば、基地局が２つのチャネル予約信号グループを送信する必要があると仮定すると、２つのチャネル予約信号グループは、両方ともＷｉＦｉ制御フレームにより表されて良く、又は両方ともＷｉＦｉ信号プリアンブルとｓｉｇｎａｌフィールドとの組み合わせにより表されて良く、又は一方のグループがＷｉＦｉ制御フレームにより表され、他方のグループがＷｉＦｉ信号プリアンブルとｓｉｇｎａｌフィールドとの組み合わせにより表される。
【０１５６】
基地局が複数のチャネル予約信号グループを送信するシナリオでは、理論的に、基地局による現在のチャネル予約信号グループの送信と、基地局による次のチャネル予約信号グループの送信との間の時間間隔は、現在のチャネル予約信号グループにより予約された期間に等しい。「時間間隔」は、現在のチャネル予約信号グループの送信が終了した時期と、次のチャネル予約信号グループの送信が開始する時期との間の時間である。つまり、基地局は、先ず、現在のチャネル予約信号グループを送信し、次に、現在のチャネル予約信号グループにより予約された期間内に、端末へＬＡＡサービスデータを送信する。次に、基地局は、次のチャネル予約信号グループを送信し、次に、次のチャネル予約信号グループにより予約された期間内に、端末へＬＡＡサービスデータを送信する。同様に、この処理は、送信される複数のチャネル予約信号グループにより予約された期間の和が予約されるべき期間に等しくなるまで進行する。しかしながら、実際には、次のチャネル予約信号グループがＣＣＡ処理においてＷｉＦｉシステムにより受信できることを保証するために、通常、「時間間隔」は、現在のチャネル予約信号グループにより予約された期間より僅かに短くて良い。
【０１５７】
例えば、図６に示すように、予約されるべき期間が３７ｍｓであり、基地局が２つのチャネル予約信号グループを送信し、第１チャネル予約信号グループがＷｉＦｉ制御フレームにより表され、第１チャネル予約信号グループにより予約された期間が３２ｍｓであり、第２チャネル予約信号グループがＷｉＦｉ信号プリアンブルとｓｉｇｎａｌフィールドとの組み合わせにより表され、第２チャネル予約信号グループにより予約された期間が５ｍｓであり、基地局による第１チャネル予約信号グループの送信と基地局による第２チャネル予約信号グループの送信との間の時間間隔が３２ｍｓより僅かに短いと仮定する。図６の影付き長方形は、チャネル予約信号を表して良く、又はＯＦＤＭシンボルを表して良い。図６は、以下の方法３で、チャネル予約信号により予約された期間をマークする方法に基づき記載される。他の方法に基づく例は、これと同様であり、ここに列挙されない。
【０１５８】
留意すべきことに、以下の方法は、全て、基地局が１つのチャネル予約信号グループを送信する一例を用いて記載される。当業者は、以下の実施形態が、基地局が複数のチャネル予約信号グループを送信するシナリオにも適用可能であることを理解すべきである。
【０１５９】
任意的実施形態では、基地局が未認可チャネル上でチャネル予約信号を送信することは、基地局により、第１チャネル予約信号を未認可チャネル上で送信し、プリセット時間セグメントが終了した後に、第２チャネル予約信号を送信するステップを含んで良い。第２チャネル予約信号のサブフレーム内で送信されるデータの変調次数は、第１チャネル予約信号により予約されたサブフレーム内で送信されるデータの変調次数以下であり、第２チャネル予約信号のサブフレーム内で送信されるデータの符号レートは、第１チャネル予約信号により予約されたサブフレーム内で送信されるデータの符号レート以下である。本任意的実施形態は、以下のシナリオに適用可能である。基地局が第２チャネル予約信号を送信した後に、第２チャネル予約信号により占有されるサブフレーム内に未だ残された期間があり、基地局がサブフレーム内に残された期間内にＬＡＡサービスデータをスケジューリングする。
【０１６０】
具体的に、基地局は、複数の第１チャネル予約信号（前述の一方のチャネル予約信号グループと等価であって良い）を未認可チャネル上で送信し、複数の第２チャネル予約信号（前述の他方のチャネル予約信号グループと等価であって良い）を、予約時間セグメント（前述の時間間隔と等価であって良い）の終了後に送信して良い。
【０１６１】
第１チャネル予約信号グループが３ｍｓ（つまり、３個のサブフレーム）を予約すると仮定すると、第１チャネル予約信号グループを送信した後に、基地局は、３個のサブフレーム（サブフレーム１、２、及び３を含む）内でＬＡＡサービスデータを送信して良い。第２チャネル予約信号グループを送信する時期が２．５ｍｓ（つまり、占有されるサブフレームがサブフレーム３である）と仮定すると、サブフレーム３（具体的に、サブフレーム３の前半のサブフレーム）内で送信されるＬＡＡデータの変調次数及び符号レートは、両方とも、サブフレーム１及び２内で送信されるＬＡＡサービスデータの変調次数及び符号レート以下であって良い。例えば、サブフレーム１及び２内で送信されるＬＡＡデータの変調次数は、６４直交振幅変調（quadrature  amplitude  modulation、ＱＡＭ）であり、符号レートは０．９３であり、サブフレーム３内で送信されるＬＡＡサービスデータの変調次数は１６ＱＡＭであり、符号レートは０．４８である。
【０１６２】
ＷｉＦｉ信号（ここではチャネル予約信号である）は最後のＯＦＤＭシンボル上の物理ダウンリンク共有チャネル（physical  downlink  shared  channel、ＰＤＳＣＨ）データをカバーするために物理層において直接使用されるので、より高次の変調及び符号化方式（modulation  and  coding  scheme、ＭＣＳ）で巡回冗長検査（cyclic  redundancy  check、ＣＲＣ）誤りが引き起こされることがある。したがって、本実施形態では、第２チャネル予約信号のチャネル予約信号受信側の復号化成功率は、変調次数及び符号レートを低減することにより向上され得る。さらに、特定の実装中、基地局は、ダウンリンク制御情報（downlink  control  infornation、ＤＣＩ）を用いて、端末に、各サブフレーム内のデータのＭＣＳ（変調方式、変調次数、符号レート、等を含む）を通知して良い。
【０１６３】
任意的実施形態では、ステップＳ１０２は、基地局が、基地局は未認可チャネル上でシステム信号を受信することを検出した場合、基地局により、ＣＣＡを実行するステップと、ＣＣＡの検出結果が、未認可チャネルはアイドルであることである場合、基地局により、未認可チャネルを予約するために、未認可チャネル上でチャネル予約信号を送信するステップと、を含んで良い。本任意的実施形態は、Ｃｅｌｌ  Ｏｎ／Ｏｆｆメカニズム又はＬＢＴメカニズムに基づいて良い。
【０１６４】
具体的に、未認可チャネルを予約するために１つのチャネル予約信号グループを使用するとき、基地局は、基地局がチャネル予約信号グループを送信する前に、その都度、ＣＣＡを実行して良い。未認可チャネルを予約するために複数のチャネル予約信号グループを使用するとき、基地局は、１つのチャネル予約信号グループを送信する前に、その都度、ＣＣＡを実行して良い。さらに、この場合、任意で、基地局による現在のチャネル予約信号グループの送信と、基地局による次のチャネル予約信号グループの送信との間の時間間隔は、現在のチャネル予約信号グループにより予約された期間より短く、基地局は、複数のチャネル予約信号グループの中の最初のチャネル予約信号グループを送信する前にだけＣＣＡを実行すれば良い。
【０１６５】
従来技術では、基地局は、チャネル予約信号を送信する前に何も動作を実行せず、この場合、基地局に干渉を生じ得るシステムは、十中八九、送信状態であり、したがって、チャネル予約信号を受信できない。結果として、チャネル予約信号の送信は意味を成さず、これはリソースを浪費するだけであり、チャネル予約及び同一チャネル干渉の回避の目的も達成できない。従来技術と比べて、本任意的実施形態では、基地局がチャネル予約信号を送信するとき、未認可チャネルがアイドルであることが保証できる。つまり、イントラシステム又はインターシステムのどちらも、未認可チャネルを占有しない。つまり、システム信号の属するイントラシステム又はインターシステムは、送信状態ではない（つまり、受信状態である）。これは、基地局により送信されたチャネル予約信号がイントラシステム又はインターシステムにより受信される確率を増大させ、したがって、チャネル予約及び同一チャネル干渉回避の目的を達成する確率を増大させる。
【０１６６】
任意で、Ｔ１は、基地局の属するＬＡＡシステムによる、アップリンク送信からダウンリンク送信への切り換え遅延であり、Ｔ１は０以上である。Ｔ２は、無線インタフェースへチャネル予約信号を送信するために基地局により必要とされる時間であり、Ｔ２は０以上である。図６Ａに示すように、ＣＣＡの検出結果が未認可チャネルはアイドルであることである場合、基地局により、未認可チャネルを予約するために未認可チャネル上でチャネル予約信号を送信するステップは、ＣＣＡの検出結果が未認可チャネルはアイドルであることであり、且つＴ１≧Ｔ２である場合、ＣＣＡ検出が終了した後に、基地局により、未認可チャネルを予約するために、Ｔ１−Ｔ２期間を延長することにより、未認可チャネル上でチャネル予約信号の送信を開始するステップを含んで良い。これは、基地局が無線インタフェースへチャネル予約信号を送信するとき、ＬＡＡシステムがアップリンク送信からダウンリンク送信へ切り換えることを保証できる。代替で、ＣＣＡの検出結果が、未認可チャネルはアイドルであることであり、且つＴ１＜Ｔ２である場合、基地局は、未認可チャネルを予約するために未認可チャネル上でチャネル予約信号を送信する。具体的に、図６Ｂに示すように、ＣＣＡの検出結果が、未認可チャネルはアイドルであることであり、且つＴ１＜Ｔ２である場合、基地局は、未認可チャネルを予約するために未認可チャネル上でチャネル予約信号を直ちに送信する。これは、別のシステムが未認可チャネルを先取りすることを防ぐことができる。留意すべきことに、本任意的実装は、ＬＢＴメカニズム又はＣｅｌｌ  Ｏｎ／Ｏｆｆメカニズムに適用可能である。さらに、図６Ａ及び図６Ｂは、単に添付の図面の参照番号を示し、図６との従属関係を有しない。
【０１６７】
ＣＣＡ検出中、又はＣＣＡ検出が終了した後に、基地局は、アップリンク送信からダウンリンク送信へ切り換える必要がある。アップリンク送信は、基地局がシステム信号を受信する過程であり、ダウンリンク送信は、基地局がチャネル予約データを送信する過程である。チャネル予約信号が基地局の記憶ユニットに予め格納される場合、Ｔ２は、記憶ユニットからチャネル予約信号を取得し及びチャネル予約信号を無線インタフェースへ送信するために基地局により必要とされる時間である。代替で、チャネル予約信号が基地局の生成ユニットにより生成される場合、Ｔ２は、生成ユニットからチャネル予約信号を取得し及びチャネル予約信号を無線インタフェースへ送信するために基地局により必要とされる時間である。さらに、Ｔ１及びＴ２を取得する方法は、本発明の本実施形態に限定されない。
【０１６８】
本発明の本実施形態において提供されるＣＣＡは、拡張ＣＣＡであって良い。つまり、従来技術において提供されるＣＣＡに改良が行われて良い。改良は、ＣＣＡの検出閾の低下、及び／又は検出期間の延長、及び／又は延期期間の延長、であって良い。具体的に、システム信号がインターシステム信号であるとき、ＣＣＡの検出閾は、基地局が比較的低い送信電力を有するインターシステム信号を検知できるように、十分低く設定されて良い。任意的実装では、ＣＣＡの検出閾の値はｄ以下である。ここで、ｄは、イントラシステムに対しＣＣＡを実行するために基地局により使用される検出閾と、インターシステムに対しＣＣＡを実行するために基地局により使用される検出閾との間でより小さい値を表す。システム帯域幅が２０ＭＨｚであり且つインターシステムがＷｉＦｉシステムである一例が使用される。イントラシステムに対しＣＣＡを実行するために基地局により使用される検出閾は、通常−５２ｄＢｍであり、ＷｉＦｉシステムに対しＣＣＡを実行するために基地局により使用される検出閾は、通常−７２ｄＢｍである。この場合、ｄの値は−８２ｄＢｍ又は−９２ｄＢｍであっても良い。当業者は、ｄの値が、システム帯域幅が変化するとき及び／又はインターシステムの種類が変化するとき、相応して変化することを理解すべきである。
【０１６９】
本実施形態では、基地局によりＣＣＡを実行する検出精度が向上されるように、基地局は、ＣＣＡの検出期間を延長して良い。具体的に、任意的実装で、ＣＣＡの検出期間は、イントラシステムに対し基地局により実行されるＣＣＡの検出期間と、インターシステムに対し基地局により実行されるＣＣＡの検出期間との間でより大きい値以上である。インターシステムがＷｉＦｉシステムである一例が使用される。本任意的実装におけるＣＣＡの検出期間は、従来技術におけるＷｉＦｉシステムの基地局により実行されるＣＣＡの検出期間以上である。例えば、ＷｉＦｉのｄｅｆｅｒ（延期）期間は３４μｓ又は４３μｓであり、ＬＡＡの任意的ｄｅｆｅｒ期間は４３μｓ以上に設定されて良い。留意すべきことに、１回限りＣＣＡの間、基地局は、先ず時間期間（つまり、ＬＡＡの任意的ｄｅｆｅｒ期間）を延期し、次にＣＣＡの実行を開始する。通常、ＣＣＡ検出結果を出力する時期を延期する開始時期からの処理は、１回限りＣＣＡとして参照される。
【０１７０】
本実施形態では、基地局によりＣＣＡを実行する検出精度を向上するために、基地局は、ＣＣＡの検出期間が延長され得るように、ｄｅｆｅｒ期間を延長して良い。具体的に、任意的実装で、本発明の本実施形態におけるＣＣＡ処理のｄｅｆｅｒ期間は、通常、イントラシステムに対し基地局により実行されるＣＣＡのｄｅｆｅｒ期間と、インターシステムに対し基地局により実行されるＣＣＡのｄｅｆｅｒ期間との間でより大きい値以上である。特定の例については、前述の記載を参照のこと。詳細事項は、ここで再び記載されない。
【０１７１】
任意的実施形態では、ステップＳ１０１で、基地局が、基地局が未認可チャネル上でシステム信号を受信するか否かを検出することは、基地局により、各検出周期内に、基地局が未認可チャネル上でシステム信号を受信するか否かを検出するステップを含んで良い。１つの検出周期は、１又は複数の検出期間を含む。本任意的実施形態は、Ｃｅｌｌ  Ｏｎ／Ｏｆｆメカニズム又はＬＢＴメカニズムに基づいて良い。
【０１７２】
全ての検出周期は同じである。１つの検出周期は、１又は複数のＣｅｌｌ  Ｏｆｆ期間（つまり、１回限りＣｅｌｌ  Ｏｆｆにより占有される期間）又はＣＣＡ期間を含んで良い。ＣＣＡ期間は、１回限りＣＣＡを実行するために基地局により占有される期間である。ＣＣＡ期間は、システム信号の属するシステムのｄｅｆｅｒ期間と、ＣＣＡ検出処理においてカウンタが０まで減少される処理により必要とされる期間との和であって良い。システムがＷｉＦｉシステムである一例が使用される。ｄｅｆｅｒ期間は３４μｓ又は４３μｓである。
【０１７３】
任意の２つの検出期間は、同じ又は異なって良い。１つのＣｅｌｌ  Ｏｆｆ期間又は１つのＣＣＡ期間は、１又は複数の検出期間を含んで良い。さらに、１つの検出期間は、複数のＣｅｌｌ  Ｏｆｆ期間又は複数のＣＣＡ期間の中で分散されて良い。通常、各検出周期内の合計検出期間（つまり、全ての検出期間の和）は、プリセット閾以上である。プリセット閾の値が高いほど、システム信号を検出する精度が高いことを示す。検出周期及び検出期間は、両方とも、秒単位で、又は数１００ミリ秒又はミリ秒単位で測定されて良い。
【０１７４】
図７は、検出周期Ｐと検出期間Ｔとの間の関係の概略図である。図７は、基地局が、Ｃｅｌｌ  Ｏｆｆ中に、基地局が未認可チャネル上でシステム信号を受信するか否かを検出する例を用いて記載される。水平軸は時間軸を表し、長方形ボックスに対応する時間セグメントは、基地局がＣｅｌｌ  Ｏｎ状態であることを示し、２つの長方形ボックスの間の時間セグメントは、基地局がＣｅｌｌ  Ｏｆｆ状態であることを示す。１つの検出周期Ｐは、複数のＣｅｌｌ  Ｏｆｆ期間を含み、そのうち２つのＣｅｌｌ  Ｏｆｆ期間はそれぞれ期間Ｔ１及びＴ２を含む。特定の実装中、Ｔ１及びＴ２は、２つの検出期間として用いられることがあり、又は、Ｔ１＋Ｔ２は、１つの検出期間として用いられることがある。
【０１７５】
本任意的実施形態は、粗粒度検出周期及び細粒度検出期間を提供する。粗粒度検出周期は、システム信号の検出を逃すことを回避するために使用でき、細粒度検出期間は、システム信号を素早く検出するために基地局により使用できる。
【０１７６】
検出期間を調整する技術的ソリューションが、本発明の本実施形態において更に提供される。具体的に、検出周期は、予約されるべき期間に従い調整されて良い。例えば、システム信号がＷｉＦｉ信号であるとき、基地局が長さフィールド又はＮＡＶフィールドにより示される期間を取得した場合、基地局は、長さフィールド又はＮＡＶフィールドにより示される期間に従い検出周期を調整して良い。例えば、長さフィールド又はＮＡＶフィールドにより示される期間が検出周期より長い場合、検出周期は延長されて良く、調整検出周期が次回のシステム信号検出で使用されて良い。
【０１７７】
本任意的実施形態では、基地局が、基地局は未認可チャネル上でシステム信号を受信することを検出した場合、基地局によりＣＣＡを実行するステップは、基地局が、任意の１つの検出期間内で、基地局は未認可チャネル上でシステム信号を受信することを検出した場合、検出期間の属する検出周期内でシステム信号の検出を停止し、ＣＣＡを実行するステップを含んで良い。
【０１７８】
前述の任意的実施形態のうちのいずれかにおいて、基地局によりＣＣＡを実行するステップは、基地局により、Ｃｅｌｌ  Ｏｎ／Ｏｆｆメカニズムにおいて、基地局の属するＬＡＡシステムがＣｅｌｌ  Ｏｎ状態に入る時期より前のＮ個のサブフレームにおいてＣＣＡの実行を開始するステップであって、Ｎ個のサブフレームの期間は、システム信号の属するシステムにおける１回限りデータ送信の最大期間以上である、ステップ、を含んで良い。
【０１７９】
イントラシステム又はインターシステムは、データ送信処理の間でチャネル争いを実行する必要がある。したがって、Ｃｅｌｌ  Ｏｎ／Ｏｆｆメカニズムにおいて、基地局の属するＬＡＡシステムがＣｅｌｌ  Ｏｎ状態に入る前の時期に、基地局がＣＣＡの実行を開始するとき、基地局は、未認可チャネルがアイドルである時期を確実に検出できる。ここで、この時期と基地局の属するＬＡＡシステムがＣｅｌｌ  Ｏｎ状態に入ることとの間の期間は、システム信号の属するシステムにおける１回限りデータ送信の最大期間以上である。この時期を検出すると、基地局が未認可チャネルを素早く先取りできるように、基地局は、直ちにチャネル予約信号を送信し始める、又は次のＯＦＤＭシンボル上でチャネル予約信号を送信し始める。留意すべきことに、ＣＣＡの検出結果が未認可チャネルはアイドルであることである各時期は、本願の添付の図面では「アイドル時期」として示される。
【０１８０】
Ｃｅｌｌ  Ｏｎ／Ｏｆｆメカニズムでは、Ｃｅｌｌ  Ｏｎ期間及びＣｅｌｌ  Ｏｆｆ期間は、比較的長期において比較的一定であり、デューディサイクル測定の周期の後にのみ変化して良い。つまり、Ｃｅｌｌ  Ｏｎ期間及びＣｅｌｌ  Ｏｆｆ期間は、比較的一定である。したがって、Ｃｅｌｌ  Ｏｎ及びＣｅｌｌ  Ｏｆｆの間の境界点は、通常一定である。本実施形態では、Ｃｅｌｌ  Ｏｎ及びＣｅｌｌ  Ｏｆｆの間の境界点は変更される。具体的に、基地局がチャネル予約信号を送信する開始時期が、新しい境界点として使用される。望ましくは、ＣＡＡの検出結果がチャネルはアイドルであることであると決定されると、チャネル予約信号が直ちに送信される場合、ＣＡＡの検出結果がチャネルはアイドルであることである時期は、新しい境界点として使用される。
【０１８１】
インターシステムがＷｉＦｉシステムである一例が使用される。基地局がＣＣＡの実行を開始するとき、ＷｉＦｉシステムが１つのデータ送信処理を実行している場合、データ送信処理は、元の境界点の前に終了する。この場合、新しい境界点は、元の境界点より前である。基地局がＣＣＡの実行を開始するとき、ＷｉＦｉシステムが２つのデータ送信処理の間にある場合、２番目のデータ送信処理の終了時期は、元の境界点の後である。したがって、本任意的実施形態では、元の境界点は進められる又は延期される。
【０１８２】
システム信号がＷｉＦｉ信号である一例が使用される。Ｎ個のサブフレームの期間は、ＷｉＦｉシステムにおける１回限りデータ送信の最大期間、つまり送信機会（transmission  opportunity、ＴＸＯＰ）を表す。ＴＸＯＰの最大値は、通常８ｍｓ、つまり８個のサブフレームに設定される。図８は、本実施形態によるＣＣＡトリガの概略図である。図８では、Ｃｅｌｌ  ＯｎとＣｅｌｌ  Ｏｆｆとの間の元の境界点（つまり、元の境界点）は、（ｎ−１）番目のサブフレームとｎ番目のサブフレームとの間のサブフレーム開始境界であり、基地局は、境界点より前の８個のサブフレームの中で（つまり、（ｎ−８）番目のサブフレーム）ＣＣＡを実行し始める。図８中の影付き長方形は、１つのチャネル予約信号グループを表す。図８は、新しい境界点が元の境界点の前にある一例を用いて記載される。
【０１８３】
任意的実施形態では、基地局が未認可チャネル上でチャネル予約信号を送信することは、基地局により、Ｃｅｌｌ  Ｏｎ／Ｏｆｆメカニズムにおいて、基地局の属するＬＡＡシステムがＣｅｌｌ  Ｏｎ状態に入る時期より前の１又は複数のＯＦＤＭシンボル上で、未認可チャネル上でチャネル予約信号を送信するステップを含んで良い。１又は複数のＯＦＤＭシンボルの期間は、Ｃｅｌｌ  Ｏｎ時間シーケンスの期間内にある。任意で、複数の同じチャネル予約信号が、１又は複数のＯＦＤＭシンボル上で繰り返し送信される。
【０１８４】
この任意的実施形態は、ＣＣＡが実行されないシナリオに適用可能である。つまり、基地局がシステム信号を受信することを検出した後に、基地局は、Ｃｅｌｌ  Ｏｎ開始時期より前の１又は複数のＯＦＤＭシンボル上でチャネル予約信号を直接送信して良い。本任意的実施形態では、Ｃｅｌｌ  Ｏｎ及びＣｅｌｌ  Ｏｆｆの間の境界点は変更され得る。具体的に、境界点は、１又は複数のＯＦＤＭシンボルだけ進められる。図９は、任意的実施形態によるチャネル予約信号を送信する概略図である。図９は、チャネル予約信号がＣｅｌｌ  Ｏｎ開始時期より前の１つのＯＦＤＭシンボル上で送信される一例を用いて記載される。影付き長方形は１つのＯＦＤＭシンボルを表す。元の境界点及び新しい境界点が、図９に示される。
【０１８５】
留意すべきことに、本任意的実施形態は、ＣＣＡ機能を有しないＬＡＡシステムがチャネル予約を行うシナリオに適用可能である。つまり、未認可チャネルがＣＣＡ機能を有しないＬＡＡシステムにおいて予約できる。さらに、ＬＡＡシステムがＣＣＡ機能を有するか否かに拘わらず、イントラシステム又はインターシステムが高スループットサービスを実行しないとき、基地局は、ＣＣＡを実行せずに、本任意的実施形態に従い未認可チャネルを直接予約できる。
【０１８６】
任意的実施形態では、基地局が未認可チャネル上でチャネル予約信号を送信することは、基地局により、Ｃｅｌｌ  Ｏｎ／Ｏｆｆメカニズムにおいて、基地局の属するＬＡＡシステムがＣｅｌｌ  Ｏｎ状態に入る時期に続く１又は複数のＯＦＤＭシンボル上で、未認可チャネル上でチャネル予約信号を送信するステップを含んで良い。１又は複数のＯＦＤＭシンボルの期間は、Ｃｅｌｌ  Ｏｎ時間シーケンスの期間内にある。任意で、複数の同じチャネル予約信号が、１又は複数のＯＦＤＭシンボル上で繰り返し送信される。
【０１８７】
本任意的実施形態は、ＣＣＡが実行されないシナリオに適用可能である。つまり、基地局がシステム信号を受信することを検出した後に、基地局は、Ｃｅｌｌ  Ｏｎ開始時期に続く１又は複数のＯＦＤＭシンボル上でチャネル予約信号を直接送信して良い。さらに、任意で、チャネル予約信号の受信性能が向上され得るように、チャネル予約信号は、Ｃｅｌｌ  Ｏｎ開始時期に続く１又は複数のサブフレーム内の各ＯＦＤＭシンボル上で送信される。さらに、この更なる任意的実装では、ＬＡＡシステムは、ハイブリッド自動再送要求（hybrid  automatic  repeat  request、ＨＡＲＱ）の時系列問題を自動的に補正できる、又はＬＡＡシステムは、チャネル予約信号を送信するためにスケジューリングがサブフレーム内で実行されないことを設定する。本任意的実施形態では、Ｃｅｌｌ  Ｏｎ及びＣｅｌｌ  Ｏｆｆの間の境界点は変更されない。
【０１８８】
任意的実施形態では、基地局が未認可チャネル上でチャネル予約信号を送信することは、基地局により、Ｃｅｌｌ  Ｏｎ／Ｏｆｆメカニズムにおいて、基地局の属するＬＡＡシステムがＣｅｌｌ  Ｏｎ状態に入る時期に続くデータ領域内の１又は複数のＯＦＤＭシンボル上で、未認可チャネル上でチャネル予約信号を送信するステップを含んで良い。１又は複数のＯＦＤＭシンボルの期間は、Ｃｅｌｌ  Ｏｎ時間シーケンスの期間内にある。任意で、複数の同じチャネル予約信号が、１又は複数のＯＦＤＭシンボル上で繰り返し送信される。
【０１８９】
本任意的実施形態は、ＣＣＡが実行されないシナリオに適用可能である。つまり、基地局がシステム信号を受信することを検出した後に、基地局は、Ｃｅｌｌ  Ｏｎ開始時期に続くデータ領域内の１又は複数のＯＦＤＭシンボル上でチャネル予約信号を直接送信して良い。つまり、ＨＡＲＱの時系列問題が回避できるように、チャネル予約信号は制御領域内のＯＦＤＭシンボル上で送信されなくて良い。さらに、任意で、チャネル予約信号は、Ｃｅｌｌ  Ｏｎ開始時期に続く１又は複数のサブフレーム内のデータ領域内の各ＯＦＤＭシンボル上で繰り返し送信される。本任意的実施形態では、Ｃｅｌｌ  Ｏｎ及びＣｅｌｌ  Ｏｆｆの間の境界点は変更されない。制御領域内のＯＦＤＭシンボル及びデータ領域内のＯＦＤＭシンボルの説明については、以下の記載を参照する。
【０１９０】
前述の任意的実装のうちのいずれか１つで、さらに、任意で、Ｃｅｌｌ  Ｏｎ／Ｏｆｆメカニズムにおいて、Ｃｅｌｌ  Ｏｎ期間がチャネル予約信号によりサポートされる最大予約期間より長い場合、別のシステムがＣｅｌｌ  Ｏｎ期間中に未認可チャネルを先取りすることを防ぐために、１又は複数の連続したチャネル予約信号がＣｅｌｌ  Ｏｎ期間内に連続送信されて良い。例えば、Ｃｅｌｌ  Ｏｎ期間が４０ｍｓであり、チャネル予約信号によりサポートされる最大予約期間が３２ｍｓである場合、境界点が変更されない実装では、基地局は、４０ｍｓのＣｅｌｌ  Ｏｎ期間全体を予約するために、３２ｍｓを予約した後に８ｍｓを更に予約して良い。留意すべきことに、本任意的実装では、チャネル予約信号によりサポートされる最大予約期間を予約するための１又は複数の連続チャネル予約信号は、チャネル予約信号グループであり、Ｃｅｌｌ  Ｏｎ期間の残りの期間を予約するためのチャネル予約信号は、別のチャネル予約信号グループである。２つのチャネル予約信号グループの特定の実装のような内容については、本願明細書の他の例を参照する。詳細事項は、ここで記載されない。
【０１９１】
任意的実施形態では、基地局が未認可チャネル上でチャネル予約信号を送信することは、基地局により、未認可チャネル上でＳ個のチャネル予約信号を連続送信するステップであって、ｓ番目のチャネル予約信号の予約フィールドは、予約されるべき期間と（ｓ＋１）番目のチャネル予約信号乃至Ｓ番目のチャネル予約信号により占有される期間との和をマークするために使用され、１≦ｓ≦Ｓであり、Ｓ及びｓの両者は整数であり、予約されるべき期間は、未認可チャネル上のデータ送信のために必要な期間である、ステップ、を含んで良い。
【０１９２】
本任意的実施形態は、Ｃｅｌｌ  Ｏｎ／Ｏｆｆメカニズム又はＬＢＴメカニズムに基づいて良い。本任意的実施形態は以下のように理解できる。ＣＣＡの検出結果が、未認可チャネルはアイドルであることであるとき、複数のチャネル予約信号が直ちに送信され、本実施形態におけるチャネル予約信号はＯＦＤＭシンボルに関係ない。
【０１９３】
留意すべきことに、本任意的実施形態では、基地局がＳ個のチャネル予約信号を送信する終了時期は、次のサブフレーム開始境界であって良く、又は次のサブフレーム開始境界でなくて良い。Ｓ個のチャネル予約信号の変調方式及び符号化モードは、互いに異なって良い。任意で、基地局は、チャネル予約信号により占有される期間を調整する、したがって終了時期を次のサブフレーム開始境界に可能な限り揃えるために、予約信号の変調及び符号化方式を調整して良い。
【０１９４】
従来技術では、基地局は、サブフレーム内の固定位置でチャネル予約信号を送信し、例えばサブフレーム開始境界又はサブフレーム開始境界に続く３番目のＯＦＤＭシンボルのような位置で、チャネル予約信号を送信する。本任意的実施形態では、以下の従来技術の問題が回避できる。基地局が固定位置でチャネル予約信号を送信するので、ＣＣＡの検出結果が未認可チャネルはアイドルであることである時期からチャネル予約信号が送信される固定位置までの時間セグメント中に、未認可チャネルがイントラシステム又はインターシステムにより先取りされる。このように、基地局の属するＬＡＡシステムは、未認可チャネルを素早く予約できる。さらに、Ｓ＞１のとき、つまり基地局が複数のチャネル予約信号を送信するとき、チャネル予約信号についてのチャネル予約信号受信側の受信成功率及び復号化成功率は、向上され得る。
【０１９５】
本実施形態では、複数のチャネル予約信号は、前述の任意的実施形態において記載された１つのチャネル予約信号グループとして理解できる。ＷｉＦｉ制御フレームがチャネル予約信号を表すために使用されるとき、チャネル予約信号の予約フィールドはＮＡＶフィールドである。又は、ＷｉＦｉ信号プリアンブル及びｓｉｇｎａｌフィールドの組み合わせがチャネル予約信号を表すために使用されるとき、チャネル予約信号の予約フィールドは長さフィールドである。本実施形態は、ｓ番目のチャネル予約信号の予約フィールドが、予約されるべき期間と（ｓ＋１）番目のチャネル予約信号乃至Ｓ番目のチャネル予約信号により占有される期間とを合計するために十分である一例を用いて記載された。
【０１９６】
チャネル予約信号により占有される期間はＴ０により示され、予約されるべき期間はＴにより示される。したがって、Ｓ個のチャネル予約信号の全部の予約フィールドによりマークされる期間は以下の通りである。１番目のチャネル予約信号の予約フィールドによりマークされる期間は（Ｓ−１）＊Ｔ０＋Ｔであり、２番目のチャネル予約信号の予約フィールドによりマークされる期間は（Ｓ−２）＊Ｔ０＋Ｔであり、．．．、ｓ番目のチャネル予約信号の予約フィールドによりマークされる期間は（Ｓ−ｓ）＊Ｔ０＋Ｔであり、．．．Ｓ番目のチャネル予約信号の予約フィールドによりマークされる期間はＴである。
【０１９７】
図１０は、本発明の一実施形態によるチャネル予約信号を送信する概略図である。図１０は、Ｓ＝８である一例を用いて記載される。つまり、基地局は、８個のチャネル予約信号を連続送信する。図１０中の影付き長方形は、１つのチャネル予約信号を表す。
【０１９８】
任意的実施形態では、ＣＣＡの検出結果が、未認可チャネルはアイドルであることである場合、基地局により、未認可チャネル上でチャネル予約信号を送信するステップは、基地局により、未認可チャネル上の各目標ＯＦＤＭシンボル上でチャネル予約信号を送信するステップであって、目標ＯＦＤＭシンボルは目標時期のＯＦＤＭシンボルに続く最初のＯＦＤＭシンボルから開始するＰ個のＯＦＤＭシンボルであり、目標時期は、基地局がＣＣＡの検出結果は未認可チャネルがアイドルであることであると決定した時期であり、Ｐは１以上の整数である、ステップを含んで良い。
【０１９９】
本実施形態では、ＣＣＡの検出結果が未認可チャネルはアイドルであることである時期が、ｉ番目のＯＦＤＭシンボルと（ｉ＋１）番目のＯＦＤＭシンボルとの間のシンボル境界であるとき、ＣＣＡの検出結果が未認可チャネルはアイドルであることである時期のＯＦＤＭシンボルは、ｉ番目のＯＦＤＭシンボルであり、ｉは整数である。さらに、ＣＣＡの検出結果が未認可チャネルはアイドルであることである時期は、ＯＦＤＭシンボル境界でなくて良い。この場合、この時期のＯＦＤＭシンボルは不完全なＯＦＤＭシンボルであり、他のＯＦＤＭシンボルは完全なＯＦＤＭシンボルであると考えられる。
【０２００】
本任意的実施形態は以下のように理解できる。チャネル予約信号は、ＣＣＡの検出結果が未認可チャネルはアイドルであることであるときに占有されるＯＦＤＭシンボルに続く最初のＯＦＤＭシンボルから送信され始め、チャネル予約信号は時間単位としてＯＦＤＭシンボルを用いて送信される。
【０２０１】
本実施形態では、「複数のＯＦＤＭシンボル」は、１つのＯＦＤＭシンボルグループであって良く、ここでＯＦＤＭシンボルグループは複数の連続するＯＦＤＭシンボルを含む、又は複数のＯＦＤＭシンボルグループであって良く、ここで各ＯＦＤＭシンボルグループは、１つのＯＦＤＭシンボル又は複数の連続するＯＦＤＭシンボルを含み、異なるＯＦＤＭシンボルグループの間に時間間隔がある。時間間隔の関連する説明については、前述の記載の関連する実施形態を参照する。詳細事項は、ここで再び記載されない。
【０２０２】
図１１は、本発明の一実施形態によるチャネル予約信号を送信する概略図５である。図１１は、システム信号がＷｉＦｉ信号である一例を用いて記載される。さらに、目標ＯＦＤＭシンボルは、複数の連続するＯＦＤＭシンボルであり、１つのチャネル予約信号は各目標ＯＦＤＭシンボル上で送信される。図１１中の各空白長方形は１つのＯＦＤＭシンボルを表し、１つのサブフレームは１４個のＯＦＤＭシンボルを含み、幾つかの空白長方形は影付き長方形によりカバーされ、影付き長方形はチャネル予約信号を表す。図１１から、１つのチャネル予約信号は１つのＯＦＤＭシンボルを満たせないことが分かる。
【０２０３】
以下は、なぜ、１つのチャネル予約信号が１つのＯＦＤＭシンボルを満たせないかを説明する。ＬＡＡシステムでは、通常の循環プレフィックス（cyclic  prefix、ＣＰ）で、ＬＡＡシステムの各ＯＦＤＭシンボルにより占有される期間は約７１μｓであり、各タイムスロット内の最初のＯＦＤＭシンボルにより占有される期間は約７１．８７５μｓであり、各タイムスロット内の最初のＯＦＤＭシンボル以外のＯＦＤＭシンボルにより占有される期間は約７１．３５μｓである。拡張ＣＰでは、ＬＡＡシステムの各ＯＦＤＭシンボルにより占有される期間は約８３．３３μｓである。通常ＣＰの追加されるＯＦＤＭシンボルにより占有される期間が７１μｓであり且つ拡張ＣＰの追加されるＯＦＤＭシンボルにより占有される期間が８３μｓである一例が、以下の説明において用いられる。
【０２０４】
ＷｉＦｉ制御フレームにより占有される期間は、ＷｉＦｉ制御フレーム内のｒａｔｅフィールドにより示される変調方式及び符号レートにより変化する。変調方式がＢＰＳＫであり、符号レートが１／２であるとき、ＲＴＳフレーム及びＣＴＳフレームにより占有される期間は共に最大であり、それぞれ５２μｓ及び４４μｓである。したがって、ＷｉＦｉ制御フレームがチャネル予約信号を表すために使用されるとき、チャネル予約信号により占有される期間の最大値は５２μｓ又は４４μｓである。
【０２０５】
さらに、ＷｉＦｉ信号プリアンブルにより占有される期間は１６μｓであり、ｓｉｇｎａｌフィールドはＷｉＦｉシステムの１つのＯＦＤＭシンボル、つまり４μｓを占有する。したがって、ＷｉＦｉ信号プリアンブルとｓｉｇｎａｌフィールドとの組み合わせがチャネル予約信号を表すために使用されるとき、チャネル予約信号により占有される期間は２０μｓである。したがって、ＷｉＦｉ制御フレーム又はＷｉＦｉ信号プリアンブルとｓｉｇｎａｌフィールドとの組み合わせがチャネル予約信号を表すために使用されるかに拘わらず、１つのチャネル予約信号は１つのＯＦＤＭシンボルを満たすことができない。
【０２０６】
特定の実装中、ＬＡＡデータ又はＬＡＡサービスデータは、チャネル予約信号を送信するサブフレーム内で送信されて良く又は送信されなくて良い。ＬＡＡデータ又はＬＡＡサービスデータがチャネル予約信号の位置するサブフレーム内で送信されない場合に基づき、以下は、目標ＯＦＤＭシンボルを決定する幾つかの方法を挙げる。
【０２０７】
図１２に示すように、複数の完全なＯＦＤＭシンボルが、ＣＣＡの検出結果が未認可チャネルはアイドルであることであるときに占有されるＯＦＤＭシンボルに続く最初のＯＦＤＭシンボルと、次のサブフレーム開始境界との間に存在する場合、基地局は、複数のＯＦＤＭシンボルを目標ＯＦＤＭシンボルとして使用して良い。
【０２０８】
図１３に示すように、１つの完全なＯＦＤＭシンボルだけが、ＣＣＡの検出結果が未認可チャネルはアイドルであることであるときに占有されるＯＦＤＭシンボルに続く最初のＯＦＤＭシンボルと、次のサブフレーム開始境界との間に存在する場合、該ＯＦＤＭシンボルが目標ＯＦＤＭシンボルとして使用される、又は該ＯＦＤＭシンボル及び次のサブフレームが目標ＯＦＤＭシンボルとして使用される。
【０２０９】
図１４に示すように、完全なＯＦＤＭシンボルが、ＣＣＡの検出結果が未認可チャネルはアイドルであることであるときに占有されるＯＦＤＭシンボルに続く最初のＯＦＤＭシンボルと、次のサブフレーム開始境界との間に存在しない場合、次のサブフレーム内のＯＦＤＭシンボルが目標ＯＦＤＭシンボルとして使用される。
【０２１０】
図１２〜図１４の中の各長方形は、１つのＯＦＤＭシンボルを表し、各影付き長方形は１つの目標ＯＦＤＭシンボルを表す。図１２〜図１４に示されるＯＦＤＭシンボルを決定する方法は、全て、最後の目標ＯＦＤＭシンボルがサブフレーム開始境界にある一例を用いて記載される。これは、特定の実装中に限定されない。例えば、基地局は、ＣＣＡの検出結果が未認可チャネルはアイドルであることであるときに占有されるＯＦＤＭシンボルに続く最初のＯＦＤＭシンボルから開始する固定数のＯＦＤＭシンボルを、目標ＯＦＤＭシンボルとして使用して良い。
【０２１１】
任意的実装では、複数のＯＦＤＭシンボルは、複数の連続するＯＦＤＭシンボルである。つまり、目標ＯＦＤＭシンボルは、複数の連続するＯＦＤＭシンボルである。図１６に示す目標ＯＦＤＭシンボルは、説明のための一例として用いられる。図１５では、基地局がサブフレームｎ内のＯＦＤＭシンボル２（０はサブフレーム内の開始シンボルインデックスである）に対してＣＣＡを実行する処理において、ＣＣＡの検出結果は、未認可チャネルはアイドルであることである。この場合、目標ＯＦＤＭシンボルは、サブフレームｎの中のＯＦＤＭシンボル３〜１３であって良い。図１６〜図１９の以下の全ての例では、システム信号はＷｉＦｉ信号であり、ＲＴＳフレームにより占有される期間は５２μｓであり、予約されるべき期間は３ｍｓである。
【０２１２】
以下は、チャネル予約信号の予約フィールドを生成する幾つかの異なる方法を記載する。
【０２１３】
方法１。ｐ番目の目標ＯＦＤＭシンボル上で送信されるチャネル予約信号の予約フィールドは、ｐ番目の目標ＯＦＤＭシンボルがチャネル予約信号により占有された後に残された期間をマークするために使用され、Ｐ番目の目標ＯＦＤＭシンボル上で送信されるチャネル予約信号の予約フィールドは、Ｐ番目の目標ＯＦＤＭシンボルがチャネル予約信号により占有された後に残された期間をマークするために使用され、１≦ｐ＜Ｐであり、ｐは整数である。
【０２１４】
方法１は、目標ＯＦＤＭシンボルのインデックスに従い予約するものと理解できる。つまり、異なる目標ＯＦＤＭシンボル上で送信されるチャネル予約信号により予約される期間は、異なる。具体的に、最後のＯＦＤＭシンボル以外のＯＦＤＭシンボル上で送信されるチャネル予約信号により予約される期間は、最後のＯＦＤＭシンボル上で送信されるチャネル予約信号により予約される期間と異なる。
【０２１５】
方法１では、各目標ＯＦＤＭシンボル上で送信されるチャネル予約信号の予約フィールドは、目標ＯＦＤＭシンボルがチャネル予約信号により占有された後に残された期間をマークする。つまり、各目標ＯＦＤＭシンボルの残り期間が予約される。これは、各目標ＯＦＤＭシンボルの残り期間内に、未認可チャネルがイントラシステム又はインターシステムにより先取りされるのを防ぐことができる。さらに、方法１では、予約されるべき期間は、最後の目標ＯＦＤＭシンボル上で送信されるチャネル予約信号を用いて正確に予約できる。方法１では、チャネル予約信号受信側は、最後の目標ＯＦＤＭシンボル上で送信されたチャネル予約信号を受信し及びパースする必要があり、次に予約されるべき期間に従い未認可チャネルの使用を回避できる。
【０２１６】
図１５に基づき、ＲＴＳフレームがチャネル予約信号を表すために使用されるとき、通常ＣＰが追加される目標ＯＦＤＭシンボルでは、目標ＯＦＤＭシンボルがＲＴＳフレームにより占有された後に残された期間は７１μｓ−５２μｓ＝１９μｓである。この場合、図１６に示すように、ＯＦＤＭシンボル３〜１２上のＲＴＳフレーム内のＮＡＶフィールドは１９μｓとしてマークされ、ＯＦＤＭシンボル１３上のＲＴＳフレーム内のＮＡＶフィールドは１９μｓ＋３ｍｓとしてマークされる。
【０２１７】
方法２。各目標ＯＦＤＭシンボル上で送信される各チャネル予約信号の予約フィールドは、予約されるべき期間と、目標ＯＦＤＭシンボルがチャネル予約信号により占有された後に残された期間と、の和をマークするために使用される。
【０２１８】
方法２は一様な予約として理解できる。異なるＯＦＤＭシンボル上で送信されるチャネル予約信号により予約される期間は、同じである。したがって、ＯＦＤＭシンボルのインデックスに従い予約が行われる必要がなく、実装が簡易である。さらに、未認可チャネルが、各目標ＯＦＤＭシンボルの残り期間内に、イントラシステム又はインターシステムにより先取りされるのを防ぐことができる。
【０２１９】
方法２では、各目標ＯＦＤＭシンボル上で送信されるチャネル予約信号の予約フィールドは、予約されるべき期間と、目標ＯＦＤＭシンボルがチャネル予約信号により占有された後に残された期間との和をマークする。この場合、任意の目標ＯＦＤＭシンボル上で送信されたチャネル予約信号を受信し成功裏にパースした後に、チャネル予約信号受信側は、もはや、別の目標ＯＦＤＭシンボル上で送信されるチャネル予約信号を受信し及び／又はパースしなくて良い。さらに、最後の目標ＯＦＤＭシンボルを成功裏にパースした後に、受信側は、予約されるべき期間を正確に取得できる。
【０２２０】
図１５に基づき、ＲＴＳフレームがチャネル予約信号を表すために使用されるとき、通常ＣＰが追加される目標ＯＦＤＭシンボルでは、目標ＯＦＤＭシンボルがＲＴＳフレームにより占有された後に残された期間は１９μｓである。この場合、図１７に示すように、ＯＦＤＭシンボル３〜１３上のＲＴＳフレーム内のＮＡＶフィールドは１９μｓ＋３ｍｓとしてマークされる。
【０２２１】
方法３。ｍ番目の目標ＯＦＤＭシンボル上で送信されるチャネル予約信号の予約フィールドは、予約されるべき期間と、（Ｐ−ｍ）番目のＯＦＤＭシンボル期間との和をマークするために使用され、１≦ｍ≦Ｐであり、ｍは整数である。
【０２２２】
方法３は一様な予約として理解できる。異なる目標ＯＦＤＭシンボル上で送信されるチャネル予約信号により予約される期間は異なるので、予約は、ＯＦＤＭシンボルのインデックスに従い行われる必要がある。しかしながら、異なる目標ＯＦＤＭシンボル上で送信されるチャネル予約信号により予約される期間は、同じルールに従い、実装は簡易である。さらに、未認可チャネルが、各目標ＯＦＤＭシンボルの残り期間内に、イントラシステム又はインターシステムにより先取りされるのを防ぐことができる。さらに、任意の目標ＯＦＤＭシンボル上で、目標ＯＦＤＭシンボルの開始時期からＬＡＡサービスデータの終了時期までの時間セグメント（ＬＡＡサービスデータの送信時間セグメントは予約されるべき期間である）が予約されるので、予約されるべき期間は、任意の目標ＯＦＤＭシンボル上で正確に予約できる。
【０２２３】
方法３では、任意の目標ＯＦＤＭシンボル上で送信されたチャネル予約信号を受信し成功裏にパースした後に、チャネル予約信号受信側は、もはや、別の目標ＯＦＤＭシンボル上で送信されるチャネル予約信号を受信し及び／又はパースしなくて良い。さらに、どの目標ＯＦＤＭシンボルが受信側により成功裏にパースされたかに拘わらず、正確な予約されるべき期間が取得できる。
【０２２４】
図１５に基づき、ＯＦＤＭシンボル３は最初のＯＦＤＭシンボルであり、以下同様である。図１８に示すように、ＲＴＳフレームは、チャネル予約信号を表すために使用され、通常ＣＰが追加される目標ＯＦＤＭシンボルでは、ＯＦＤＭシンボル３（つまり、最初の目標ＯＦＤＭシンボル）上のＲＴＳフレーム内のＮＡＶフィールドは（１１−１）×７１μｓ＋３ｍｓとしてマークされ、ＯＦＤＭシンボル４（つまり、２番目のＯＦＤＭシンボル）上のＲＴＳフレーム内のＮＡＶフィールドは（１１−２）×７１μｓ＋３ｍｓとしてマークされ、同様に、ＯＦＤＭシンボル１３（つまり、１１番目の目標ＯＦＤＭシンボル）上のＲＴＳフレーム内のＮＡＶフィールドは３ｍｓとしてマークされる。
【０２２５】
さらに、特定の実装中に、前述の方法１〜３の幾つかの特徴は、使用のために更に結合されて良い。例えば、方法１及び方法３の組み合わせ、又は方法２及び方法３の組み合わせは、方法４を形成して良い。
【０２２６】
方法４。全ての目標ＯＦＤＭシンボルが２つの部分に分けられ、現在の部分の中の各目標ＯＦＤＭシンボルは、方法１における最後の目標ＯＦＤＭシンボル以外の目標ＯＦＤＭシンボル上でチャネル予約信号を生成するルール、又は方法２における各目標ＯＦＤＭシンボル上でチャネル予約信号を生成するルールに従い、次の部分の中の各目標ＯＦＤＭシンボルは、方法３におけるチャネル予約信号を生成するルールに従う。全ての目標ＯＦＤＭシンボルを２つの部分に分ける境界点は、本発明の本実施形態において限定されない。
【０２２７】
方法１と比較すると、方法１及び方法３を組み合わせることにより形成される方法４では、受信側が次の部分の中の任意のＯＦＤＭシンボルを受信すると、チャネル予約信号受信側は、パースにより予約されるべき期間を正しく取得できる。したがって、受信性能が向上できる。方法２と比較すると、方法２及び方法３を組み合わせることにより形成される方法４では、受信側が次の部分の中の任意のＯＦＤＭシンボルを受信すると、チャネル予約信号受信側は、予約されるべき期間を正しく予約できる。したがって、予約されるべき期間を受信する精度が向上できる。
【０２２８】
図１５に基づき、ＯＦＤＭシンボル３〜１１が現在の部分として使用され、ＯＦＤＭシンボル１２及び１３が次の部分として使用されると仮定する。ＲＴＳフレームがチャネル予約信号を表すために使用されるとき、通常ＣＰが追加される目標ＯＦＤＭシンボルについて、ＯＦＤＭシンボル３〜１１上のＲＴＳフレーム内のＮＡＶフィールドは、１９μｓ又は１９μｓ＋３ｍｓとしてマークされ、ＯＦＤＭシンボル１２上のＲＴＳフレーム内のＮＡＶフィールドは、７１μｓ＋３ｍｓとしてマークされ、ＯＦＤＭシンボル１３上のＲＴＳフレーム内のＮＡＶフィールドは、３ｍｓとしてマークされる。
【０２２９】
留意すべきことに、前述の方法１〜４の他の組み合わせが存在して良い。他の組み合わせはここに列挙されない。さらに、前述の方法１〜４のうちのいずれか１つにおいて、拡張ＣＰが追加される目標ＯＦＤＭシンボルについて、ＲＴＳフレームにより表され且つＯＦＤＭシンボル上で送信されるチャネル予約信号のＮＡＶフィールドによりマークされる期間は更に同様である。さらに、ＣＴＳフレームがチャネル予約信号を表すために使用される、又はＷｉＦｉ信号プリアンブルとｓｉｇｎａｌフィールドとの組み合わせがチャネル予約信号を表すために使用されるとき、目標ＯＦＤＭシンボル上のチャネル予約信号の予約フィールドによりマークされる期間は更に同様である。詳細事項は、１つずつここで記載されない。
【０２３０】
チャネル予約信号がＯＦＤＭシンボル上で伝達される前述の実施形態又は任意的実装のうちのいずれか１つに基づき、任意で、システム信号がＷｉＦｉ信号であるとき、基地局は、さらに、任意の１又は複数の目標ＯＦＤＭシンボルがチャネル予約信号（以下で「目標チャネル予約信号」として参照される）により占有された後に残された期間内でパディング情報を送信する。パディング情報は、以下の情報（１）〜（３）のうちのいずれか１つを含んで良いが、これに限定されない。
【０２３１】
留意すべきことに、パディング情報は、目標チャネル予約信号の前又は後に送信されて良い。目標チャネル予約信号は、ＷｉＦｉ制御フレームにより、又はＷｉＦｉ信号プリアンブルとｓｉｇｎａｌフィールドとの組み合わせにより、表されて良い。
【０２３２】
（１）ＷｉＦｉ制御フレーム
【０２３３】
目標チャネル予約信号がＷｉＦｉ信号プリアンブルとｓｉｇｎａｌフィールドとの組み合わせにより表されるとき、パディングされたＷｉＦｉ制御フレームはＲＴＳフレームであって良く、又はＣＴＳフレームであって良い。
【０２３４】
目標チャネル予約信号がＷｉＦｉ制御フレームにより表されるとき、ＷｉＦｉ制御フレームは第１ＷｉＦｉ制御フレームとして参照され、パディングされたＷｉＦｉフレームは第２ＷｉＦｉ制御フレームとして参照される。この場合、第１ＷｉＦｉ制御フレーム及び第２ＷｉＦｉ制御フレームは、同じ種類のＷｉＦｉ制御フレームであって良く、又は異なる種類のＷｉＦｉ制御フレームであって良い。例えば、第１ＷｉＦｉフレームがＲＴＳフレーム又はＣＴＳフレームであるかに拘わらず、第２ＷｉＦｉフレームはＲＴＳフレーム又はＣＴＳフレームであって良い。さらに、第１ＷｉＦｉフレーム及び第２ＷｉＦｉフレームの変調方式及び符号レートは、同じであって良く、又は異なって良い。
【０２３５】
例１。変調方式がＢＰＳＫであり、符号レートが３／４であるとき、ＲＴＳフレーム（つまり第１ＷｉＦｉ制御フレーム）により占有される期間は４４μｓである。前述の方法１に基づき、通常ＣＰが追加される目標ＯＦＤＭシンボルでは、目標ＯＦＤＭシンボルがＲＴＳフレームにより占有された後に残された期間は７１μｓ−４４μｓ＝２７μｓである。この場合、ＯＦＤＭシンボル３〜１２上のＲＴＳフレーム内のＮＡＶフィールドは２７μｓとしてマークされ、ＯＦＤＭシンボル１３上のＲＴＳフレーム内のＮＡＶフィールドは２７μｓ＋３ｍｓとしてマークされる。
【０２３６】
変調方式が６４ＱＡＭであり、符号レートが２／３であるとき、ＲＴＳフレーム（つまり第２ＷｉＦｉ制御フレーム）により占有される期間は２４μｓである。例１に基づき、本任意的実装では、第１ＷｉＦｉ制御フレームが目標ＯＦＤＭシンボル上で送信された後に残された期間（つまり、２７μｓ）は、第２ＷｉＦｉ制御フレームによりパディングされて良い。パディング後、目標ＯＦＤＭシンボル上で残された期間は２７−２４＝３μｓである。この場合、図１９に示すように、この３μｓの中で、未認可制御チャネルがイントラシステム又はインターシステムにより先取りされるのを防ぐために、第２ＷｉＦｉ制御フレームのＮＡＶフィールドは３μｓとしてマークされて良い。
【０２３７】
（２）ＷｉＦｉ信号プリアンブル及びｓｉｇｎａｌフィールドの組み合わせ
【０２３８】
ＷｉＦｉ信号プリアンブル及びｓｉｇｎａｌフィールドの組み合わせにより占有される期間は２０μｓである。したがって、例１に基づき、本任意的実装では、図２０に示すように、７μｓの中で未認可制御チャネルがイントラシステム又はインターシステムにより先取りされるのを防ぐために、第１ＷｉＦｉ制御フレームが目標ＯＦＤＭシンボル上で送信された後に残された期間（つまり、２７μｓ）は、ＷｉＦｉ信号プリアンブル及びｓｉｇｎａｌフィールドによりパディングされて良い。
【０２３９】
（３）ＷｉＦｉ信号プリアンブルとｓｉｇｎａｌフィールドと無効データとの組み合わせ
【０２４０】
図２０の例に基づき、この７μｓの中で、未認可制御チャネルがイントラシステム又はインターシステムにより先取りされるのを更に防ぐために、この７μｓの残り期間は、無効データによりパディングされて良い。
【０２４１】
留意すべきことに、図１９及び図２０の両方は、一例として方法１に示す例の中のＯＦＤＭシンボル３〜１２を用いて記載される。ＯＦＤＭシンボル１３の残り期間のパディング方法は更に同様である。詳細事項は、ここで記載されない。さらに、前述の方法１〜４の中の任意の任意的実装におけるＯＦＤＭシンボルの残り期間のパディング方法は更に同様である。詳細事項は、１つずつここで記載されない。
【０２４２】
さらに、任意で、目標ＯＦＤＭシンボル内のパディング情報が、以下の情報：ＷｉＦｉ信号プリアンブルとｓｉｇｎａｌフィールドとの組み合わせ、又はＷｉＦｉ信号プリアンブルとｓｉｇｎａｌフィールドと無効データとの組み合わせ、のうちのいずれかを含み、目標ＯＦＤＭシンボル内のパディング情報がＯＦＤＭシンボル内のチャネル予約信号の後に送信される場合、ｓｉｇｎａｌフィールド内の長さフィールドは０としてマークされる。これは、以下の場合を回避する。チャネル予約信号受信側が、後続のデータを受信し長さフィールドに従いパースし、したがって、完全なチャネル予約信号を間違ってＬＡＡサービスデータとしてみなすこと。
【０２４３】
目標ＯＦＤＭシンボル内のパディング情報が、以下の情報：ＷｉＦｉ信号プリアンブルとｓｉｇｎａｌフィールドとの組み合わせ、又はＷｉＦｉ信号プリアンブルとｓｉｇｎａｌフィールドと無効データとの組み合わせ、のうちのいずれかを含み、目標ＯＦＤＭシンボル内のパディング情報がＯＦＤＭシンボル内のチャネル予約信号の前に送信される場合、ｓｉｇｎａｌフィールド内の長さフィールドは、０、又は目標ＯＦＤＭシンボルが信号プリアンブル及びｓｉｇｎａｌフィールドにより占有された後に残された期間としてマークされる。この場合、パディング情報は、チャネル予約信号の前に位置し、通常、パディング情報内の長さフィールドにより予約される期間は比較的短い。したがって、長さフィールドにより予約される期間は、チャネル予約信号により占有されず、チャネル予約信号受信側は、完全なチャネル予約信号をＬＡＡサービスデータとして誤って見なさない。したがって、長さフィールドは、比較的小さな値によりパディング情報されて良い。具体的に、値は、後続のチャネル予約信号により占有される期間以下の任意の値であって良い。
【０２４４】
留意すべきことに、前述の任意的実施形態又は実装のうちのいずれか１つにおける、異なるＮＡＶフィールド及び異なる変調方式を有する全てのＲＴＳフレーム又はＣＴＳフレーム、ＯＦＤＭシンボル内のＲＴＳフレーム又はＣＴＳフレームの位置、等は、実際の使用例に従い使用のために結合されて良く、前述の例を含むがそれに限定されない。さらに、変調方式及び符号レートは使い尽くされ得るので、ＲＴＳフレーム又はＣＴＳフレームのシーケンスはプリセットされて良く、又は勿論ＲＴＳフレーム又はＣＴＳフレームが送信される必要のあるときに生成されて良い。これは、本発明の本実施形態において限定されない。
【０２４５】
本発明の実施形態は、チャネル予約信号を送信する方法を更に提供する。具体的に、未認可チャネル上でチャネル予約信号を送信する前に、基地局は、先ず、チャネル予約信号に対しサンプルレート変換を実行して目標信号を取得する。ここで、目標信号のサンプリングレートはＬＡＡ信号のサンプリングレートである。この場合、基地局が未認可チャネル上でチャネル予約信号を送信することは、基地局により、未認可チャネル上で目標信号を送信するステップを含んで良い。
【０２４６】
チャネル予約信号は、ＷｉＦｉフレームフォーマットに適合する。したがって、チャネル予約信号はＷｉＦｉ信号のサンプリングレートを有する。しかしながら、ＷｉＦｉ信号のサンプリングレートは、ＬＡＡ信号のサンプリングレートと異なる。システム帯域幅が２０ＭＨｚである一例が使用される。ＷｉＦｉ信号のサンプリングレートは２０ＭＨｚであり、ＬＡＡ信号のサンプリングレートは３０．７２ＭＨｚである。ＬＡＡ信号及びチャネル予約信号の同一ハードウェア送信を実施するために、具体的には、ＬＡＡ信号及びチャネル予約信号が時分割多重方法で無線周波数リンクを共有できることを実施するために、基地局は、チャネル予約信号を送信する前に、チャネル予約信号のサンプリングレートをＬＡＡ信号のサンプリングレートに変換して良い。これは、ハードウェアリソースを節約し及びコストを低減できる。
【０２４７】
サンプルレート変換処理は、ソフトウェアを用いて実施されて良い。基本的に、サンプルレート変換は、単一段フィルタ又は複数段フィルタの縦列接続である。サンプルレート変換は、サンプリングレート増大及びサンプリングレート低下を含む。サンプルレート増大は、通常、補間により実施され、サンプルレート低下は、通常、抽出により実施される。その特定の実装処理については従来技術を参照する。
【０２４８】
任意的実施形態では、ＣＣＡの検出結果が、未認可チャネルはアイドルであることである場合、基地局により未認可チャネル上でチャネル予約信号を送信するステップは、キャリア間スケジューリングシナリオにおいて、ＣＣＡの検出結果が、未認可チャネルはアイドルであることである場合、基地局により、制御データを伝達するために使用される未認可チャネルの最後の１又は複数のＯＦＤＭシンボル上でチャネル予約信号を送信するステップを含んで良い。
【０２４９】
１サブフレームは１４個のＯＦＤＭシンボルを含む。各ダウンリンクサブフレームは、２つの部分、つまり制御領域及びデータ領域に分割される。制御領域は制御データを送信するために使用され、データ領域はサービスデータを送信するために使用される。比較的高い帯域幅を有するシステムでは、制御領域は、通常、１〜３個のＯＦＤＭシンボルを含む。比較的低い帯域幅を有するシステムでは、制御領域は、通常、２〜４個のＯＦＤＭシンボルを含む。
【０２５０】
キャリア間スケジューリングシナリオは、以下のように理解できる。認可サービングセルは、未認可サービングセルの制御データを送信するために認可チャネルを使用する。キャリア間スケジューリングを有するＬＡＡシステムは、認可サービスセル及び未認可サービスセルを有し、認可サービスセルは端末と通信するために認可チャネルを使用し、未認可サービスセルは端末と通信するために未認可チャネルを使用する。キャリア間スケジューリングシナリオにおいて、認可サービスセルは、未認可サービスセルの制御データを送信するために認可チャネルを使用する。したがって、未認可チャネルの制御領域はアイドル状態であり、基地局は、未認可チャネルの制御領域でチャネル予約信号を送信できる。このように、未認可チャネルの制御領域内のリソースは効率的に利用される。さらに、以下のシナリオでは、本実施形態において提供されるキャリア間スケジューリングメカニズムを用いてチャネル予約信号を送信することは、更にスペクトル効率を向上できる。
【０２５１】
シナリオ１。前述の任意的実施形態を参照して、基地局が第２チャネル予約信号又は複数のチャネル予約信号グループのうち第１グループ以外のチャネル予約信号グループを送信するとき、第２チャネル予約信号が位置するサブフレーム、又は非第１チャネル予約信号グループが位置するサブフレームの性能は、低下されて良い。シナリオ２。ＣＣＡの検出結果が未認可チャネルはアイドルであることである時期から、次のサブフレーム開始境界までの期間が、チャネル予約信号を送信するのに十分でない場合、チャネル予約信号は次のサブフレームで送信される必要がある。これは、スペクトル効率を低下させ得る。したがって、２つのシナリオでは、本実施形態において提供されるキャリア間スケジューリングメカニズムを用いてチャネル予約信号を送信することは、スペクトル効率を向上できる。
【０２５２】
具体的に、サブフレームの最初のＯＦＤＭシンボルはパイロットデータを伝達し、４アンテナポート送信の間、パイロットデータは２番目のＯＦＤＭシンボル上にも存在する。したがって、制御領域が３個のＯＦＤＭシンボルを含むと仮定すると、チャネル予約信号は３番目のＯＦＤＭシンボル上で送信されて良い。任意で、制御領域が４番目のＯＦＤＭシンボルを更に含む場合、チャネル予約信号は、代替で４番目のＯＦＤＭシンボル上で送信されて良い。図２１は、本発明の一実施形態によるチャネル予約信号を送信する方法を示す。基地局は、ＣＣＡの検出結果が未認可チャネルはアイドルであることである時期に続くサブフレームの３番目のＯＦＤＭシンボル上でチャネル予約信号を送信する。
【０２５３】
任意的実施形態では、方法は、基地局により、目標端末へ構成メッセージを送信するステップを更に含んで良い。目標サブフレーム内の（Ｒ＋ｒ＋１）番目のＯＦＤＭシンボル（ＯＦＤＭシンボルのインデックスは１から開始する）からサービスデータを受信し／復調し始めるよう目標端末に指示するために、構成メッセージは、チャネル予約信号を伝達する目標サブフレーム内のＯＦＤＭシンボルの数ｒ、及び制御データを伝達するために使用される目標サブフレーム内のＯＦＤＭシンボルの数Ｒを含む。目標サブフレームは、チャネル予約信号を伝達するサブフレームであり、Ｒ及びｒの両方は１以上の整数である。
【０２５４】
「目標端末」は、基地局のカバレッジ内の任意の１又は複数の端末であって良い。目標サブフレームは、チャネル予約信号を伝達する各サブフレームである。基地局がチャネル予約信号グループを送信する場合、目標サブフレームは、ＣＣＡの検出結果が未認可チャネルはアイドルであることである時期に続くサブフレーム、例えば図２１のサブフレームｎ＋１である。
【０２５５】
基地局により、目標端末へ構成メッセージを送信するステップは、基地局により、ＰＣＦＩＣＨを用いて、目標端末へ、制御データを伝達するために使用される目標サブフレーム内のＯＦＤＭシンボルの数Ｒを送信するステップと、基地局により、ＰＤＣＣＨを用いて、目標端末へ、チャネル予約信号を伝達する目標サブフレーム内のＯＦＤＭシンボルの数ｒを送信するステップと、を含んで良い。
【０２５６】
従来技術では、サブフレームは、２つの部分、つまり制御領域及びデータ領域を含む。したがって、基地局が目標端末へ、制御データを伝達するために使用されるＯＦＤＭシンボルの数Ｒを送信する場合、これは、Ｒ個のＯＦＤＭシンボルが制御データを伝達するために使用されることを示し、つまり、サービスデータは、（Ｒ＋１）番目のＯＦＤＭシンボルから伝達され始め、目標端末は、（Ｒ＋１）番目のＯＦＤＭシンボルからサービスデータを受信し／パースし始める。本実施形態では、サブフレームは３個の部分、つまり、制御領域、チャネル予約領域、及びデータ領域に分けられる。ここで、チャネル予約領域は、チャネル予約信号を送信するために使用される。したがって、基地局は、更に、基地局がチャネル予約信号を伝達するためにｒ個のＯＦＤＭシンボルを使用することを示すために、目標端末へ、チャネル予約信号を伝達する目標サブフレーム内のＯＦＤＭシンボルの数ｒを送信する必要がある。つまり、サービスデータは、（Ｒ＋ｒ＋１）番目のＯＦＤＭシンボルから伝達され始め、目標端末は、（Ｒ＋ｒ＋１）番目のＯＦＤＭシンボルからサービスデータを受信し／パースし始める必要がある。
【０２５７】
任意的実施形態では、システム信号はＷｉＦｉ信号であり、方法は、基地局により、目標端末へＲＴＳフレームを送信するステップであって、ＲＴＳフレームの受信機媒体アクセス制御ＭＡＣアドレスフィールドは、目標端末のＷｉＦｉチップのＭＡＣアドレスをマークするために使用され、目標端末がＣＴＳフレームをブロードキャストするようにし、予約されるべき期間を示すために使用される情報はＣＴＳフレーム内にマークされ、ＣＴＳフレームを受信した装置が予約されるべき期間内でデータを送信しないようにする、ステップ、を更に含んで良い。
【０２５８】
具体的に、ＲＴＳフレーム内のＮＡＶフィールドは、合計期間とＲＴＳフレームにより占有される期間との間の差をマークして良い。合計期間は、ＣＣＡの検出結果が未認可チャネルはアイドルであることである時期から、ＬＡＡサービスデータの送信が終了する時期までの時間セグメントであり、予約されるべき期間、つまりＬＡＡサービスデータの送信期間を含む。ＣＴＳフレーム内のＮＡＶフィールドは、ＲＴＳフレーム内のＮＡＶフィールドに関連する期間をマークして良く、該期間は、ＲＴＳフレーム内のＮＡＶフィールドによりマークされた期間から、短いフレーム間隔（short  interframe  space、ＳＩＦＳ）及び次にＣＴＳフレームを減算することにより得られた期間である。
【０２５９】
「目標端末」は、基地局のカバレッジ内の任意の１又は複数の端末であって良い。本実施形態は、基地局がＲＴＳフレームを目標端末へ送信するメカニズムを提供する。目標端末の周囲の装置（端末、基地局、等を含む）は、ＣＴＳフレームを受信できる。ＣＴＳフレームを受信した後に、これらの装置は、予約されるべき期間内にデータを送信しない。これは、目標端末に対して周囲の装置により引き起こされる干渉を低減でき、更に、ＬＡＡシステム内の基地局と目標端末との間の通信の通信品質を向上できる。
【０２６０】
図２２を参照すると、図２２は、本発明の一実施形態による基地局２２の概略構造図である。基地局２２は、チャネル予約信号を送信する前述の方法において、基地局２２により実行されるステップを実行するよう構成される。基地局２２は、ステップに対応するモジュールを含んで良い。例えば、基地局２２は、検出ユニット２２０１及び送信ユニット２２０２を含んで良い。
【０２６１】
検出ユニット２２０１は、基地局が未認可チャネル上でシステム信号を受信するか否かを検出するよう構成される。
【０２６２】
送信ユニット２２０２は、検出ユニット２２０１が、基地局は未認可チャネル上でシステム信号を受信することを検出した場合、未認可チャネルを予約するために、未認可チャネル上でチャネル予約信号を送信するよう構成される。
【０２６３】
任意で、検出ユニット２２０１は、基地局が未認可チャネル上でシステム信号を受信することを検出した場合、クリアチャネルアセスメントＣＣＡを実行するよう更に構成される。この場合、送信ユニット２２０２は、具体的に、ＣＣＡの検出結果が、未認可チャネルはアイドルであることである場合、未認可チャネルを予約するために、未認可チャネル上でチャネル予約信号を送信する。
【０２６４】
任意で、送信ユニット２２０２は、具体的に、各検出周期で、基地局が未認可チャネル上でシステム信号を受信するか否かを検出するよう構成され、検出周期は１又は複数の検出期間を含む。この場合、検出ユニット２２０１は、具体的に、任意の１つの検出期間内に、基地局が未認可チャネル上でシステム信号を受信することを検出した場合、検出期間の属する検出周期内でのシステム信号の検出を停止し、ＣＣＡを実行するよう構成される。
【０２６５】
任意で、ＣＣＡを実行するとき、検出ユニット２２０１は、具体的に、Ｃｅｌｌ  Ｏｎ／Ｏｆｆメカニズムにおいて、基地局２２の属するＬＡＡシステムがＣｅｌｌ  Ｏｎ状態に入る時期より前のＮ個のサブフレームにおいてＣＣＡの実行を開始するよう構成される。ここで、Ｎ個のサブフレームの期間は、システム信号の属するシステムにおける１回限りデータ送信の最大期間以上である。
【０２６６】
任意で、ＣＣＡは、以下の条件のうちの少なくとも１つを満たす。条件１：ＣＣＡの検出閾の値はｄ以下である。ここで、ｄは、イントラシステムに対しＣＣＡを実行するために基地局２２により使用される検出閾と、インターシステムに対しＣＣＡを実行するために基地局２２により使用される検出閾との間でより小さい値を表す。又は、条件２：ＣＣＡの検出期間は、イントラシステムに対し基地局２２により実行されるＣＣＡの検出期間と、インターシステムに対し基地局２２により実行されるＣＣＡの検出期間との間でより大きい値以上である。又は、条件３：ＣＣＡ処理の延期ｄｅｆｅｒ期間は、イントラシステムに対し基地局により実行されるＣＣＡのｄｅｆｅｒ期間と、インターシステムに対し基地局により実行されるＣＣＡのｄｅｆｅｒ期間との間でより大きい値以上である。
【０２６７】
任意で、送信ユニット２２０２は、具体的に、未認可チャネル上でＳ個のチャネル予約信号を連続送信するよう構成され、ｓ番目のチャネル予約信号の予約フィールドは、予約されるべき期間と（ｓ＋１）番目のチャネル予約信号乃至Ｓ番目のチャネル予約信号により占有される期間との和をマークするために使用され、１≦ｓ≦Ｓであり、Ｓ及びｓの両者は整数であり、予約されるべき期間は、未認可チャネル上のデータ送信のために必要な期間である。
【０２６８】
送信ユニット２２０２は、具体的に、未認可チャネル上で各ＯＦＤＭシンボル上でチャネル予約信号を送信するよう構成され、目標ＯＦＤＭシンボルは、目標時期のＯＦＤＭシンボルに続く最初のＯＦＤＭシンボルから開始するＰ個のＯＦＤＭシンボルであり、目標時期は、検出ユニット２２０１が、ＣＣＡの検出結果が未認可チャネルはアイドルであることであると決定した時期であり、Ｐは１以上の整数である。
【０２６９】
本任意的実装では、Ｐが１より大きい場合、目標ＯＦＤＭシンボル上のチャネル予約信号の予約フィールドを生成する方法は、限定ではなく以下の方法１〜３を含む。
【０２７０】
方法１。ｐ番目の目標ＯＦＤＭシンボル上で送信されるチャネル予約信号の予約フィールドは、ｐ番目の目標ＯＦＤＭシンボルがチャネル予約信号により占有された後に残された期間をマークするために使用され、Ｐ番目の目標ＯＦＤＭシンボル上で送信されるチャネル予約信号の予約フィールドは、Ｐ番目の目標ＯＦＤＭシンボルがチャネル予約信号により占有された後に残された期間をマークするために使用され、１≦ｐ＜Ｐであり、ｐは整数である。
【０２７１】
方法２。各目標ＯＦＤＭシンボル上で送信される各チャネル予約信号の予約フィールドは、予約されるべき期間と、目標ＯＦＤＭシンボルがチャネル予約信号により占有された後に残された期間と、の和をマークするために使用される。
【０２７２】
方法３。ｍ番目の目標ＯＦＤＭシンボル上で送信されるチャネル予約信号の予約フィールドは、予約されるべき期間と、（Ｐ−ｍ）＊ＯＦＤＭシンボル期間との和をマークするために使用され、１≦ｍ≦Ｐであり、ｍは整数である。
【０２７３】
さらに、任意で、システム信号は、ＷｉＦｉ信号であり、任意の１又は複数の目標ＯＦＤＭシンボルがチャネル予約信号により占有された後に残された期間は、以下の情報：ＷｉＦｉ制御フレーム、又は、ＷｉＦｉ信号プリアンブルと信号ｓｉｇｎａｌフィールドとの組み合わせ、又は、ＷｉＦｉ信号プリアンブルと信号ｓｉｇｎａｌフィールドと無効データとの組み合わせ、のうちのいずれか１つによりパディングされる。
【０２７４】
具体的に、目標ＯＦＤＭシンボル内のパディング情報が、以下の情報：ＷｉＦｉ信号プリアンブルとｓｉｇｎａｌフィールドとの組み合わせ、又はＷｉＦｉ信号プリアンブルとｓｉｇｎａｌフィールドと無効データとの組み合わせ、のうちのいずれかを含み、目標ＯＦＤＭシンボル内のパディング情報がＯＦＤＭシンボル内のチャネル予約信号の後に送信される場合、ｓｉｇｎａｌフィールド内の長さフィールドは０としてマークされる。
【０２７５】
代替で、目標ＯＦＤＭシンボル内のパディング情報が、以下の情報：ＷｉＦｉ信号プリアンブルとｓｉｇｎａｌフィールドとの組み合わせ、又はＷｉＦｉ信号プリアンブルとｓｉｇｎａｌフィールドと無効データとの組み合わせ、のうちのいずれかを含み、目標ＯＦＤＭシンボル内のパディング情報がＯＦＤＭシンボル内のチャネル予約信号の前に送信される場合、ｓｉｇｎａｌフィールド内の長さフィールドは、０、又は目標ＯＦＤＭシンボルが信号プリアンブル及びｓｉｇｎａｌフィールドにより占有された後に残された期間としてマークされる。
【０２７６】
任意で、送信ユニット２２０２は、具体的に、未認可チャネル上で第１チャネル予約信号を送信し、プリセット時間セグメントが経過した後に、第２チャネル予約信号を送信するよう構成され、第２チャネル予約信号のサブフレーム内で送信されるデータの変調次数は、第１チャネル予約信号により予約されたサブフレーム内で送信されるデータの変調次数以下であり、第２チャネル予約信号のサブフレーム内で送信されるデータの符号レートは、第１チャネル予約信号により予約されたサブフレーム内で送信されるデータの符号レート以下である。
【０２７７】
任意で、図２３に示すように、基地局は、送信ユニット２２０２が未認可チャネル上でチャネル予約信号を送信する前に、チャネル予約信号に対しサンプルレート変換を実行して目標信号を取得するよう構成される変換ユニット２２０３を更に含んで良く、ここで、目標信号のサンプリングレートはＬＡＡ信号のサンプリングレートである。この場合、送信ユニット２２０２は、具体的に、未認可チャネル上で目標信号を送信するよう構成される。
【０２７８】
任意で、システム信号はＷｉＦｉ信号であり、送信ユニット２２０２は、ＲＴＳフレームを送信する要求を目標端末へ送信するよう更に構成され、ＲＴＳフレームの受信機媒体アクセス制御ＭＡＣアドレスフィールドは、目標端末のＷｉＦｉチップのＭＡＣアドレスをマークするために使用され、端末がＣＴＳフレームをブロードキャストするようにし、予約されるべき期間を示すために使用される情報はＣＴＳフレーム内にマークされ、ＣＴＳフレームを受信した装置が予約されるべき期間内にデータを送信しないようにする。
【０２７９】
任意で、システム信号はＷｉＦｉ信号であり、予約されるべき期間はＴであり、ＷｉＦｉ信号プリアンブルとｓｉｇｎａｌフィールドとの組み合わせにより予約される最大期間はａであり、ＷｉＦｉ制御フレームにより予約される最大期間はｂである。この場合、送信ユニット２２０１が未認可チャネル上でチャネル予約信号を送信することは、以下の幾つかの場合のうちのいずれか１つを含んで良いが、これに限定されない。
【０２８０】
Ｔ≦ａのとき、送信ユニット２２０１は、ＷｉＦｉ信号プリアンブルとｓｉｇｎａｌフィールドとの組み合わせにより表される１つのチャネル予約信号グループ、又はＷｉＦｉ制御フレームにより表される１つのチャネル予約信号グループを、未認可チャネル上で送信する。
【０２８１】
ａ＜Ｔ≦ｂのとき、送信ユニット２２０１は、ＷｉＦｉ信号プリアンブルとｓｉｇｎａｌフィールドとの組み合わせにより表される複数のチャネル予約信号グループ、又はＷｉＦｉ制御フレームにより表される１つのチャネル予約信号グループを、未認可チャネル上で送信する。
【０２８２】
Ｔ＞ｂのとき、送信ユニット２２０１は、ＷｉＦｉ信号プリアンブルとｓｉｇｎａｌフィールドとの組み合わせにより表される複数のチャネル予約信号グループ、又はＷｉＦｉ制御フレームにより表される複数のチャネル予約信号グループ、又はＷｉＦｉ信号プリアンブルとｓｉｇｎａｌフィールドとの組み合わせにより表される１又は複数のチャネル予約信号グループ及びＷｉＦｉ制御フレームにより表される１又は複数のチャネル予約信号グループを、未認可チャネル上で送信する。
【０２８３】
任意で、送信ユニット２２０１は、具体的に、Ｃｅｌｌ  Ｏｎ／Ｏｆｆメカニズムで、基地局の属するＬＡＡシステムがＣｅｌｌ  Ｏｎ状態に入る時期より前の１又は複数の直交周波数分割多重ＯＦＤＭシンボル上の未認可チャネル上でチャネル予約信号を送信する、又は、Ｃｅｌｌ  Ｏｎ／Ｏｆｆメカニズムで、基地局の属するＬＡＡシステムがＣｅｌｌ  Ｏｎ状態に入る時期に続く１又は複数の直交周波数分割多重ＯＦＤＭシンボル上の未認可チャネル上でチャネル予約信号を送信する、又は、Ｃｅｌｌ  Ｏｎ／Ｏｆｆメカニズムで、基地局の属するＬＡＡシステムがＣｅｌｌ  Ｏｎ状態に入る時期に続くデータ領域内で、１又は複数の直交周波数分割多重ＯＦＤＭシンボル上の未認可チャネル上でチャネル予約信号を送信する、よう構成されて良い。
【０２８４】
任意で、送信ユニット２２０１は、具体的に、ＣＣＡの検出結果が、未認可チャネルはアイドルであることである場合、制御データを伝達するために使用される未認可チャネルの最後の１又は複数のＯＦＤＭシンボル上でチャネル予約信号を送信するよう構成される。
【０２８５】
任意で、送信ユニット２２０１は、具体的に、ＣＣＡの検出結果が、未認可チャネルはアイドルであることであり、且つＴ１≧Ｔ２である場合、ＣＣＡ検出が終了した後に、未認可チャネルを予約するために、Ｔ１−Ｔ２期間を延期することにより、未認可チャネル上でチャネル予約信号を送信する、又は、ＣＣＡの検出結果が、未認可チャネルはアイドルであることであり、且つＴ１＜Ｔ２である場合、未認可チャネルを予約するために、未認可チャネル上でチャネル予約信号を送信する、よう構成され、Ｔ１は基地局の属するＬＡＡシステムによるアップリンク送信からダウンリンク送信への切り換え遅延であり、チャネル予約信号を無線インタフェースへ送信するために基地局により必要な時間である。
【０２８６】
本発明の本実施形態における基地局２２は、前述の実施形態におけるチャネル予約信号を送信する方法における基地局に対応して良く、本発明の本実施形態における基地局２２内のモジュールの分割及び／又は機能は、前述の方法手順を実装することを意図することが理解できる。簡潔さのために、詳細事項はここで記載されない。
【０２８７】
本発明の本実施形態における基地局２２は、前述の方法手順を実行するよう構成され得る。したがって、基地局により達成できる技術的効果については、前述の方法の実施形態を参照する。詳細は、本発明の本実施形態において再び記載されない。
【０２８８】
図２４を参照すると、図２４は、本発明の一実施形態による基地局２４の概略構造図である。基地局２４は、プロセッサ２４０１、メモリ２４０２、システムバス２４０３、及び通信インタフェース２４０４を含んで良い。
【０２８９】
メモリ２４０２は、コンピュータ実行可能命令を格納するよう構成され、プロセッサ２４０１は、システムバスを用いてメモリ２４０２に接続され、基地局２４２が実行すると、プロセッサ２４０１はメモリ２４０３に格納されたコンピュータ実行可能命令を実行して、基地局２４が、チャネル予約信号を送信する前述の方法のいずれか１つを実行するようにする。
【０２９０】
チャネル予約信号を送信する具体的な方法については、前述の実施形態における関連する記載を参照する。詳細事項は、ここで再び記載されない。
【０２９１】
本実施形態は記憶媒体を更に提供する。記憶媒体は、メモリ１２０２であって良い。
【０２９２】
プロセッサ２４０１は、中央処理ユニット（central  processing  unit、ＣＰＵ）であって良い。プロセッサ２４０１は、代替で、別の汎用プロセッサ、デジタル信号プロセッサ（digital  signal  processing、ＤＳＰ）、特定用途向け集積回路（application  specific  integrated  circuit、ＡＳＩＣ）、フィールドプログラマブルゲートアレイ（field−programmable  gate  array、ＦＰＧＡ）又は別のプログラマブル論理素子、個別ゲート又はトランジスタ論理装置、個別ハードウェアコンポーネント、等であって良い。汎用プロセッサはマイクロプロセッサであって良く、プロセッサは任意の従来のプロセッサであって良い、等である。
【０２９３】
プロセッサ２４０１は専用プロセッサであって良い。専用プロセッサは、ベースバンド処理チップ、無線周波数処理チップ、等のうちの少なくとも１つを含んで良い。さらに、専用プロセッサは、基地局２４の別の専用処理機能を有するチップを更に含んで良い。
【０２９４】
メモリ２４０２は、揮発性メモリ（volatile  memory）、例えばランダムアクセスメモリ（random  access  memory、ＲＡＭ）を含んで良い。メモリ２４０２は、代替で、不揮発性メモリ（non−volatile  memory）、例えば読み出し専用メモリ（read−only  memory、ＲＯＭ）、フラッシュメモリ（flash  memory）、ハードディスクドライブ（hard  disk  drive、ＨＤＤ）、又はソリッドステートドライブ（solid−state  drive、ＳＳＤ）を含んで良い。代替で、メモリ２４０２は、前述の種類のメモリの組合せを含んで良い。
【０２９５】
システムバス２４０３は、データバス、電力バス、制御バス、信号状態バス、等を含んで良い。本実施形態では、明確性のために、図２４では種々のバスがシステムバス２４０３として示される。
【０２９６】
通信インタフェース２４０４は、具体的に、基地局２４にある通信機であって良い。通信機は無線通信機であって良い。例えば、無線通信機は、基地局２４のアンテナ、等であって良い。プロセッサ２４０１は、通信インタフェース２４０４を用いて、別の装置、例えば基地局へデータを送信し又はそれからデータを受信する。
【０２９７】
特定の実装処理において、前述の方法手順のうちのいずれか１つにおけるステップは、メモリ２４０２に格納されたソフトウェア形式のソフトウェアコンピュータ実行可能命令を実行することにより、ハードウェア形式のハードウェアプロセッサ２４０１により実施されて良い。繰り返しを回避するために、詳細事項はここに記載されない。
【０２９８】
本発明の本実施形態における基地局２４は、前述の方法手順を実行するよう構成され得る。したがって、基地局により達成できる技術的効果については、前述の方法の実施形態を参照する。詳細事項は、ここで再び記載されない。
【０２９９】
便宜上及び簡便な説明のために、上述の装置において、前述の機能モジュールの分割のみが説明のための例として用いられたことが、当業者に明らかである。実際の適用では、前述の機能は、異なる機能モジュールに割り当てられ及び要件に従って実装され得る。つまり、装置の内部構造は、前述の機能の全部又は一部を実施するために異なる機能モジュールに分割される。前述のシステム、装置及びユニットの詳細な動作過程については、前述の方法の実施形態の対応する処理を参照し、詳細事項はここに記載されない。
【０３００】
本願において提供される実施形態では、開示のシステム、機器、及び方法は他の方法で実装されて良いことが理解されるべきである。例えば、記載した装置の実施形態は単なる一例である。例えば、モジュール又はユニットの分割は、単なる論理的機能の区分であり、実際の実装では他の区分であっても良い。例えば、複数のユニット又はコンポーネントは、別のシステムに結合又は統合されて良い。或いは、幾つかの機能は無視されるか又は実行されなくて良い。さらに、表示した又は議論した相互結合又は直接結合又は通信接続は、幾つかのインタフェースを使用することにより実装されて良い。装置又はユニット間の間接結合又は通信接続は、電子的、機械的又は他の形式で実装されて良い。
【０３０１】
別個の部分として記載されたユニットは、物理的に別個であってもそうでなくても良い。また、ユニットとして表示された部分は、物理的なユニットであってもそうでなくても良く、１カ所に置かれても良く或いは複数のネットワークユニットに分散されても良い。一部又は全部のユニットは、実施形態のソリューションの目的を達成するために実際の要件に応じて選択されて良い。
【０３０２】
さらに、本発明の実施形態における機能ユニットは、１つの処理ユニットに統合されて良く、或いは各ユニットが物理的に単独で存在して良く、或いは２以上のユニットが１つのユニットに統合されて良い。統合ユニットは、ハードウェアの形式で実装されて良く、ソフトウェア機能ユニットの形式で実装されて良い。
【０３０３】
統合ユニットがソフトウェア機能ユニットの形式で実装され、独立した製品として販売され又は使用されるとき、統合ユニットは、コンピュータ可読記憶媒体に格納されて良い。このような理解に基づき、本発明の基本的技術的ソリューション、又は従来技術に貢献する部分、又は全部又は一部の技術的ソリューションは、ソフトウェア製品の形式で実施されても良い。コンピュータソフトウェア製品は、記憶媒体に格納され、コンピュータ装置（パーソナルコンピュータ、サーバ、又はネットワーク装置であって良い）又はプロセッサ（processor）に、本発明の実施形態で記載された方法のステップの全部又は一部を実行するよう指示する複数の命令を含む。前述の記憶媒体は、ＵＳＢフラッシュドライブ、取り外し可能ハードディスク、ＲＯＭ、ＲＡＭ、磁気ディスク又は光ディスクのようなプログラムコードを格納可能な任意の媒体を含む。
【０３０４】
上述の説明は、本発明の単なる特定の実装であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【図１】
2019504551.tif 000003
【図２】
2019504551.tif 000004
【図３】
2019504551.tif 000005
【図４】
2019504551.tif 000006
【図５】
2019504551.tif 000007
【図６】
2019504551.tif 000008
【図６（ａ）】
2019504551.tif 000009
【図７（ｂ）】
2019504551.tif 000010
【図７】
2019504551.tif 000011
【図８】
2019504551.tif 000012
【図９】
2019504551.tif 000013
【図１０】
2019504551.tif 000014
【図１１】
2019504551.tif 000015
【図１２】
2019504551.tif 000016
【図１３】
2019504551.tif 000017
【図１４】
2019504551.tif 000018
【図１５】
2019504551.tif 000019
【図１６】
2019504551.tif 000020
【図１７】
2019504551.tif 000021
【図１８】
2019504551.tif 000022
【図１９】
2019504551.tif 000023
【図２０】
2019504551.tif 000024
【図２１】
2019504551.tif 000025
【図２２】
2019504551.tif 000026
【図２３】
2019504551.tif 000027
【図２４】
2019504551.tif 000028
【手続補正書】
【提出日】平成30年6月18日(2018.6.18)
【手続補正１】
【補正対象書類名】特許請求の範囲
【補正対象項目名】全文
【補正方法】変更
【補正の内容】
【特許請求の範囲】
【請求項１】
チャネル予約信号を送信する方法であって、
基地局により、前記基地局が未認可チャネル上でシステム信号を受信するか否かを検出するステップと、
前記基地局により、前記基地局が、前記基地局は前記未認可チャネル上で前記システム信号を受信することを検出した場合、前記未認可チャネルを予約するために前記未認可チャネル上でチャネル予約信号を送信するステップと、
を含む方法。
【請求項２】
前記基地局により、前記未認可チャネル上でチャネル予約信号を送信する前記ステップは、
前記基地局により、Ｃｅｌｌ  Ｏｎ／Ｏｆｆメカニズムにおいて、前記基地局の属する認可支援アクセスＬＡＡシステムがＣｅｌｌ  Ｏｎ状態に入る時期より前の１又は複数の直交周波数分割多重ＯＦＤＭシンボル上の前記未認可チャネル上で前記チャネル予約信号を送信するステップ、又は、
前記基地局により、Ｃｅｌｌ  Ｏｎ／Ｏｆｆメカニズムにおいて、前記基地局の属する認可支援アクセスＬＡＡシステムがＣｅｌｌ  Ｏｎ状態に入る時期に続く１又は複数の直交周波数分割多重ＯＦＤＭシンボル上の前記未認可チャネル上で前記チャネル予約信号を送信するステップ、又は、
前記基地局により、Ｃｅｌｌ  Ｏｎ／Ｏｆｆメカニズムにおいて、前記基地局の属する認可支援アクセスＬＡＡシステムがＣｅｌｌ  Ｏｎ状態に入る時期に続くデータ領域内の１又は複数の直交周波数分割多重ＯＦＤＭシンボル上の前記未認可チャネル上で前記チャネル予約信号を送信するステップ、
を含む、請求項１に記載の方法。
【請求項３】
前記ＣＣＡの検出結果が、前記未認可チャネルはアイドルであることである場合、前記基地局により、前記未認可チャネルを予約するために、前記未認可チャネル上で前記チャネル予約信号を送信する前記ステップは、
前記ＣＣＡの前記検出結果が、前記未認可チャネルはアイドルであることであり、且つＴ１≧Ｔ２である場合、前記ＣＣＡが終了した後に、前記基地局により、前記未認可チャネルを予約するために、Ｔ１−Ｔ２期間を延期することにより、前記未認可チャネル上で前記チャネル予約信号を送信するステップ、又は、
前記ＣＣＡの前記検出結果が、前記未認可チャネルはアイドルであることであり、且つＴ１＜Ｔ２である場合、前記基地局により、前記未認可チャネルを予約するために、前記未認可チャネル上で前記チャネル予約信号を送信するステップ、
を含み、Ｔ１は、前記基地局の属する前記認可支援アクセスＬＡＡシステムによるアップリンク送信からダウンリンク送信への切り換え遅延であり、Ｔ２は、前記チャネル予約信号を無線インタフェースへ送信するために前記基地局により必要とされる時間である、請求項１に記載の方法。
【請求項４】
前記基地局により、前記基地局が、前記基地局は前記未認可チャネル上で前記システム信号を受信することを検出した場合、前記未認可チャネルを予約するために前記未認可チャネル上でチャネル予約信号を送信する前記ステップは、
前記基地局により、前記基地局が、前記基地局は前記未認可チャネル上で前記システム信号を受信することを検出した場合、クリアチャネルアセスメントＣＣＡを実行するステップと、
前記基地局により、前記ＣＣＡの検出結果が、前記未認可チャネルはアイドルであることである場合、前記未認可チャネルを予約するために前記未認可チャネル上で前記チャネル予約信号を送信するステップと、
を含む、請求項１に記載の方法。
【請求項５】
基地局により、前記基地局が前記未認可チャネル上でシステム信号を受信するか否かを検出する前記ステップは、
前記基地局により、各検出周期において、前記基地局が前記未認可チャネル上で前記システム信号を受信するか否かを検出するステップであって、各検出周期は１又は複数の検出期間を含む、ステップ、を含み、
前記基地局により、前記基地局が、前記基地局は前記未認可チャネル上で前記システム信号を受信することを検出した場合、ＣＣＡを実行する前記ステップは、
前記基地局が、検出期間において、前記基地局は前記未認可チャネル上で前記システム信号を受信することを検出した場合、前記基地局により、前記検出期間の属する検出周期において前記システム信号の検出を停止し、ＣＣＡを実行するステップ、を含む、
請求項１乃至４のいずれか一項に記載の方法。
【請求項６】
前記基地局により、ＣＣＡを実行する前記ステップは、
前記基地局により、Ｃｅｌｌ  Ｏｎ／Ｏｆｆメカニズムにおいて、前記基地局の属する認可支援アクセスＬＡＡシステムがＣｅｌｌ  Ｏｎ状態に入る時期より前のＮ個のサブフレームにおいてＣＣＡの実行を開始するステップであって、前記Ｎ個のサブフレームの期間は、前記システム信号の属するシステムにおける１回限りデータ送信の最大期間以上である、ステップ、を含む、請求項２乃至５のいずれか一項に記載の方法。
【請求項７】
前記ＣＣＡは以下の条件：
前記ＣＣＡの検出閾値がｄ以下であり、ｄは、イントラシステムに対しＣＣＡを実行するために前記基地局により使用される検出閾とインターシステムでＣＣＡを実行するために前記基地局により使用される検出閾との間でより小さい値を表す、又は、
前記ＣＣＡの検出期間が、イントラシステムに対し前記基地局により実行されるＣＣＡの検出期間とインターシステムに対し前記基地局により実行されるＣＣＡの検出期間との間でより大きい値以上である、又は、
前記ＣＣＡのｄｅｆｅｒ期間が、イントラシステムに対し前記基地局により実行されるＣＣＡのｄｅｆｅｒ期間とインターシステムに対し前記基地局により実行されるＣＣＡのｄｅｆｅｒ期間との間でより大きい値以上である、
のうちの少なくとも１つを満たす、請求項２乃至６のいずれか一項に記載の方法。
【請求項８】
前記基地局により、前記未認可チャネル上でチャネル予約信号を送信する前記ステップは、
前記基地局により、前記未認可チャネル上でＳ個のチャネル予約信号を連続送信するステップであって、ｓ番目のチャネル予約信号の予約フィールドは、予約されるべき期間と（ｓ＋１）番目のチャネル予約信号乃至Ｓ番目のチャネル予約信号により占有される期間との和をマークするために使用され、１≦ｓ≦Ｓであり、Ｓ及びｓの両者は整数であり、前記予約されるべき期間は、前記未認可チャネル上のデータ送信のために必要な期間である、ステップ、を含む、請求項２乃至７のいずれか一項に記載の方法。
【請求項９】
前記基地局により、前記未認可チャネル上でチャネル予約信号を送信する前記ステップは、
前記基地局により、前記未認可チャネル上で各目標直交周波数分割多重ＯＦＤＭシンボル上で前記チャネル予約信号を送信するステップであって、前記目標ＯＦＤＭシンボルは、目標時期のＯＦＤＭシンボルに続く最初のＯＦＤＭシンボルから開始するＰ個のＯＦＤＭシンボルであり、前記目標時期は、前記基地局が、前記ＣＣＡの前記検出結果が、前記未認可チャネルはアイドルであることであると決定した時期であり、Ｐは１以上の整数である、ステップ、を含む、請求項２乃至５のいずれか一項に記載の方法。
【請求項１０】
Ｐが１より大きい場合、
ｐ番目の目標ＯＦＤＭシンボル上で送信される前記チャネル予約信号の予約フィールドは、前記ｐ番目の目標ＯＦＤＭシンボルが前記チャネル予約信号により占有された後に残された期間をマークするために使用され、Ｐ番目の目標ＯＦＤＭシンボル上で送信される前記チャネル予約信号の予約フィールドは、予約されるべき期間と前記Ｐ番目の目標ＯＦＤＭシンボルが前記チャネル予約信号により占有された後に残された期間との和をマークするために使用され、１≦ｐ≦Ｐであり、ｐは整数である、又は、
各目標ＯＦＤＭシンボル上で送信される前記チャネル予約信号の予約フィールドは、予約されるべき期間と前記目標ＯＦＤＭシンボルが前記チャネル予約信号により占有された後に残された期間との和をマークするために使用される、又は、
ｍ番目の目標ＯＦＤＭシンボル上で送信される前記チャネル予約信号の予約フィールドは、予約されるべき期間と（Ｐ−ｍ）＊ＯＦＤＭシンボル期間との和をマークするために使用され、１≦ｍ≦Ｐであり、ｍは整数である、
請求項８に記載の方法。
【請求項１１】
前記システム信号は、無線フィデリティＷｉＦｉ信号であり、パディング情報が、前記目標ＯＦＤＭシンボルが前記チャネル予約信号により占有された後に残された期間内に更に送信され、前記パディング情報は、以下の情報：
ＷｉＦｉ制御フレーム、又は、
ＷｉＦｉ信号プリアンブルとｓｉｇｎａｌフィールドとの組み合わせ、又は、
ＷｉＦｉ信号プリアンブルとｓｉｇｎａｌフィールドと無効データとの組み合わせ、
のうちのいずれか１つを含む、請求項１０に記載の方法。
【請求項１２】
前記目標ＯＦＤＭシンボル内の前記パディング情報は、以下：
前記ＷｉＦｉ信号プリアンブルと前記ｓｉｇｎａｌフィールドとの前記組み合わせ、又は前記ＷｉＦｉ信号プリアンブルと前記ｓｉｇｎａｌフィールドと前記無効データとの前記組み合わせ、のうちのいずれかを含み、前記目標ＯＦＤＭシンボル内の前記パディング情報は、前記前記ＯＦＤＭシンボル内の前記チャネル予約信号の後に送信され、前記ｓｉｇｎａｌフィールド内の長さフィールドは０としてマークされ、又は、
前記目標ＯＦＤＭシンボル内の前記パディング情報が以下の情報：前記ＷｉＦｉ信号プリアンブルと前記ｓｉｇｎａｌフィールドとの前記組み合わせ、又は前記ＷｉＦｉ信号プリアンブルと前記ｓｉｇｎａｌフィールドと前記無効データとの前記組み合わせ、のうちのいずれかを含み、且つ前記目標ＯＦＤＭシンボル内の前記パディング情報が前記ＯＦＤＭシンボル内の前記チャネル予約信号の前に送信される場合、前記ｓｉｇｎａｌフィールド内の長さフィールドは、０、又は前記目標ＯＦＤＭシンボルが前記信号プリアンブル及び前記ｓｉｇｎａｌフィールドにより占有された後に残された期間としてマークされる、
請求項１１に記載の方法。
【請求項１３】
前記基地局により、前記未認可チャネル上でチャネル予約信号を送信する前記ステップは、
前記基地局により、前記未認可チャネル上で第１チャネル予約信号を送信し、プリセット時間セグメントが経過した後に、第２チャネル予約信号を送信するステップであって、前記第２チャネル予約信号のサブフレーム内で送信されるデータの変調次数は、前記第１チャネル予約信号により予約されたサブフレーム内で送信されるデータの変調次数以下であり、前記第２チャネル予約信号の前記サブフレーム内で送信される前記データの符号レートは、前記第１チャネル予約信号により予約された前記サブフレーム内で送信される前記データの符号レート以下である、ステップ、を含む、請求項１乃至７のいずれか一項に記載の方法。
【請求項１４】
前記基地局により、前記未認可チャネル上でチャネル予約信号を送信する前記ステップの前に、前記方法は、
前記基地局により、目標信号を得るために、前記チャネル予約信号に対しサンプルレート変換を実行するステップであって、前記目標信号のサンプリングレートはＬＡＡ信号のサンプリングレートである、ステップ、を更に含み、
前記基地局により、前記未認可チャネル上でチャネル予約信号を送信する前記ステップは、
前記基地局により、前記未認可チャネル上で前記目標信号を送信するステップ、を含む、
請求項１乃至１３のいずれか一項に記載の方法。
【請求項１５】
前記システム信号は無線フィデリティＷｉＦｉ信号であり、前記方法は、
前記基地局により、ＲＴＳフレームを送信する要求を目標端末へ送信するステップであって、前記ＲＴＳフレームの受信機媒体アクセス制御ＭＡＣアドレスフィールドは、前記目標端末のＷｉＦｉチップのＭＡＣアドレスをマークするために使用され、前記端末が送信許可ＣＴＳフレームをブロードキャストするようにし、前記予約されるべき期間を示すために使用される情報は前記ＣＴＳフレーム内にマークされ、前記ＣＴＳフレームを受信した装置が前記予約されるべき期間内にデータを送信しないようにする、ステップ、を更に含む請求項１乃至１４のいずれか一項に記載の方法。
【請求項１６】
基地局であって、検出ユニットと送信ユニットとを含み、
前記検出ユニットは、前記基地局が未認可チャネル上でシステム信号を受信するか否かを検出するよう構成され、
前記送信ユニットは、前記検出ユニットが、前記基地局は前記未認可チャネル上で前記システム信号を受信することを検出した場合、前記未認可チャネルを予約するために、前記未認可チャネル上でチャネル予約信号を送信するよう構成される、
基地局。
【請求項１７】
前記送信ユニットは、具体的に、
Ｃｅｌｌ  Ｏｎ／Ｏｆｆメカニズムにおいて、前記基地局の属する認可支援アクセスＬＡＡシステムがＣｅｌｌ  Ｏｎ状態に入る時期より前の１又は複数の直交周波数分割多重ＯＦＤＭシンボル上の前記未認可チャネル上で前記チャネル予約信号を送信する、又は、
Ｃｅｌｌ  Ｏｎ／Ｏｆｆメカニズムにおいて、前記基地局の属する認可支援アクセスＬＡＡシステムがＣｅｌｌ  Ｏｎ状態に入る時期に続く１又は複数の直交周波数分割多重ＯＦＤＭシンボル上の前記未認可チャネル上で前記チャネル予約信号を送信する、又は、
Ｃｅｌｌ  Ｏｎ／Ｏｆｆメカニズムにおいて、前記基地局の属する認可支援アクセスＬＡＡシステムがＣｅｌｌ  Ｏｎ状態に入る時期に続くデータ領域内の１又は複数の直交周波数分割多重ＯＦＤＭシンボル上の前記未認可チャネル上で前記チャネル予約信号を送信する、
よう構成される、請求項１６に記載の基地局。
【請求項１８】
前記送信ユニットは、具体的に、
前記ＣＣＡの前記検出結果が、前記未認可チャネルはアイドルであることであり、且つＴ１≧Ｔ２である場合、前記ＣＣＡが終了した後に、前記未認可チャネルを予約するために、Ｔ１−Ｔ２期間を延期することにより、前記未認可チャネル上で前記チャネル予約信号を送信する、又は、
前記ＣＣＡの前記検出結果が、前記未認可チャネルはアイドルであることであり、且つＴ１＜Ｔ２である場合、前記未認可チャネルを予約するために、前記未認可チャネル上で前記チャネル予約信号を送信する、
よう構成され、Ｔ１は、前記基地局の属する前記認可支援アクセスＬＡＡシステムによるアップリンク送信からダウンリンク送信への切り換え遅延であり、Ｔ２は、前記チャネル予約信号を無線インタフェースへ送信するために前記基地局により必要とされる時間である、請求項１６に記載の基地局。
【請求項１９】
前記検出ユニットが、前記基地局は前記未認可チャネル上で前記システム信号を受信することを検出する場合、クリアチャネルアセスメントＣＣＡを実行するよう更に構成され、
前記送信ユニットは、具体的に、前記ＣＣＡの検出結果が、前記未認可チャネルはアイドルであることである場合、前記未認可チャネルを予約するために、前記未認可チャネル上で前記チャネル予約信号を送信するよう構成される、
請求項１６に記載の基地局。
【請求項２０】
前記送信ユニットは、具体的に、各検出周期内で、前記基地局が前記未認可チャネル上で前記システム信号を受信するか否かを検出するよう構成され、前記検出周期は１又は複数の検出期間を含み、
前記検出ユニットは、具体的に、いずれか１つの検出期間内で、前記基地局が前記未認可チャネル上で前記システム信号を受信することを検出する場合、前記検出期間の属する検出周期内での前記システム信号の検出を停止し、ＣＣＡを実行するよう構成される、
請求項１９に記載の基地局。
【請求項２１】
ＣＣＡを実行するとき、前記検出ユニットは、具体的に、Ｃｅｌｌ  Ｏｎ／Ｏｆｆメカニズムにおいて、前記基地局の属する認可支援アクセスＬＡＡシステムがＣｅｌｌ  Ｏｎ状態に入る時期より前のＮ個のサブフレームにおいてＣＣＡの実行を開始するよう構成され、前記Ｎ個のサブフレームの期間は、前記システム信号の属するシステムにおける１回限りデータ送信の最大期間以上である、請求項１７乃至２０のいずれか一項に記載の基地局。
【請求項２２】
前記ＣＣＡは以下の条件：
前記ＣＣＡの検出閾値がｄ以下であり、ｄは、イントラシステムに対しＣＣＡを実行するために前記基地局により使用される検出閾とインターシステムに対しＣＣＡを実行するために前記基地局により使用される検出閾との間でより小さい値を表す、又は、
前記ＣＣＡの検出期間が、イントラシステムに対し前記基地局により実行されるＣＣＡの検出期間とインターシステムに対し前記基地局により実行されるＣＣＡの検出期間との間でより大きい値以上である、又は、
前記ＣＣＡのｄｅｆｅｒ期間が、イントラシステムに対し前記基地局により実行されるＣＣＡのｄｅｆｅｒ期間とインターシステムに対し前記基地局により実行されるＣＣＡのｄｅｆｅｒ期間との間でより大きい値以上である、
のうちの少なくとも１つを満たす、請求項１７乃至２１のいずれか一項に記載の基地局。
【請求項２３】
前記送信ユニットは、具体的に、前記未認可チャネル上でＳ個のチャネル予約信号を連続送信するよう構成され、ｓ番目のチャネル予約信号の予約フィールドは、予約されるべき期間と（ｓ＋１）番目のチャネル予約信号乃至Ｓ番目のチャネル予約信号により占有される期間との和をマークするために使用され、１≦ｓ≦Ｓであり、Ｓ及びｓの両者は整数であり、前記予約されるべき期間は、前記未認可チャネル上のデータ送信のために必要な期間である、請求項１７乃至２２のいずれか一項に記載の基地局。
【請求項２４】
前記送信ユニットは、具体的に、前記未認可チャネル上で各目標直交周波数分割多重ＯＦＤＭシンボル上で前記チャネル予約信号を送信するよう構成され、前記目標ＯＦＤＭシンボルは、目標時期のＯＦＤＭシンボルに続く最初のＯＦＤＭシンボルから開始するＰ個のＯＦＤＭシンボルであり、前記目標時期は、前記検出ユニットが、前記ＣＣＡの前記検出結果が、前記未認可チャネルはアイドルであることであると決定した時期であり、Ｐは１以上の整数である、
請求項１７乃至２２のいずれか一項に記載の基地局。
【請求項２５】
前記Ｐは１より大きく、
ｐ番目の目標ＯＦＤＭシンボル上で送信される前記チャネル予約信号の予約フィールドは、前記ｐ番目の目標ＯＦＤＭシンボルが前記チャネル予約信号により占有された後に残された期間をマークするために使用され、Ｐ番目の目標ＯＦＤＭシンボル上で送信される前記チャネル予約信号の予約フィールドは、予約されるべき期間と前記Ｐ番目の目標ＯＦＤＭシンボルが前記チャネル予約信号により占有された後に残された期間との和をマークするために使用され、１≦ｐ≦Ｐであり、ｐは整数である、又は、
各目標ＯＦＤＭシンボル上で送信される前記チャネル予約信号の予約フィールドは、予約されるべき期間と前記目標ＯＦＤＭシンボルが前記チャネル予約信号により占有された後に残された期間との和をマークするために使用される、又は、
ｍ番目の目標ＯＦＤＭシンボル上で送信される前記チャネル予約信号の予約フィールドは、予約されるべき期間と（Ｐ−ｍ）＊ＯＦＤＭシンボル期間との和をマークするために使用され、１≦ｍ≦Ｐであり、ｍは整数である、
請求項２４に記載の基地局。
【請求項２６】
前記システム信号は、無線フィデリティＷｉＦｉ信号であり、
前記送信ユニットは、前記目標ＯＦＤＭシンボルが前記チャネル予約信号により占有された後に残された期間内でパディング情報を送信するよう更に構成され、前記パディング情報は、以下の情報：
ＷｉＦｉ制御フレーム、又は、
ＷｉＦｉ信号プリアンブルとｓｉｇｎａｌフィールドとの組み合わせ、又は、
ＷｉＦｉ信号プリアンブルとｓｉｇｎａｌフィールドと無効データとの組み合わせ、
のうちのいずれか１つを含む、請求項２５に記載の基地局。
【請求項２７】
前記目標ＯＦＤＭシンボル内の前記パディング情報が、以下の情報：前記ＷｉＦｉ信号プリアンブルと前記ｓｉｇｎａｌフィールドとの前記組み合わせ又は前記ＷｉＦｉ信号プリアンブルと前記ｓｉｇｎａｌフィールドと前記無効データとの前記組み合わせのうちのいずれかを含み、且つ前記目標ＯＦＤＭシンボル内の前記パディング情報が、前記目標ＯＦＤＭシンボル内の前記チャネル予約信号の後に送信される場合、前記ｓｉｇｎａｌフィールド内の長さフィールドは０としてマークされる、又は、
前記目標ＯＦＤＭシンボル内の前記パディング情報が、以下の情報：前記ＷｉＦｉ信号プリアンブルと前記ｓｉｇｎａｌフィールドとの前記組み合わせ又は前記ＷｉＦｉ信号プリアンブルと前記ｓｉｇｎａｌフィールドと前記無効データとの前記組み合わせのうちのいずれかを含み、且つ前記目標ＯＦＤＭシンボル内の前記パディング情報が、前記ＯＦＤＭシンボル内の前記チャネル予約信号の前に送信される場合、前記ｓｉｇｎａｌフィールド内の長さフィールドは、０、又は前記目標ＯＦＤＭシンボルが前記信号プリアンブル及び前記ｓｉｇｎａｌフィールドにより占有された後に残された期間としてマークされる、
請求項２６に記載の基地局。
【請求項２８】
前記送信ユニットは、具体的に、前記未認可チャネル上で第１チャネル予約信号を送信し、プリセット時間セグメントが経過した後に、第２チャネル予約信号を送信するよう構成され、前記第２チャネル予約信号のサブフレーム内で送信されるデータの変調次数は、前記第１チャネル予約信号により予約されたサブフレーム内で送信されるデータの変調次数以下であり、前記第２チャネル予約信号の前記サブフレーム内で送信される前記データの符号レートは、前記第１チャネル予約信号により予約された前記サブフレーム内で送信される前記データの符号レート以下である、請求項１６乃至２２のいずれか一項に記載の基地局。
【請求項２９】
前記基地局は、
前記送信ユニットが前記未認可チャネル上で前記チャネル予約信号を送信する前に、目標信号を得るために、前記チャネル予約信号に対してサンプルレート変換を実行するよう構成される変換ユニットであって、前記目標信号のサンプリングレートはＬＡＡ信号のサンプリングレートである、変換ユニット、を更に含み、
前記送信ユニットは、具体的に、前記未認可チャネル上で前記目標信号を送信するよう構成される、
請求項１６乃至２８のいずれか一項に記載の基地局。
【請求項３０】
前記システム信号は無線フィデリティＷｉＦｉ信号であり、
前記送信ユニットは、ＲＴＳフレームを送信する要求を目標端末へ送信するよう更に構成され、前記ＲＴＳフレームの受信機媒体アクセス制御ＭＡＣアドレスフィールドは、前記目標端末のＷｉＦｉチップのＭＡＣアドレスをマークするために使用され、前記端末が送信許可ＣＴＳフレームをブロードキャストするようにし、前記予約されるべき期間を示すために使用される情報は前記ＣＴＳフレーム内にマークされ、前記ＣＴＳフレームを受信した装置が前記予約されるべき期間内にデータを送信しないようにする、請求項１６乃至２９のいずれか一項に記載の基地局。
【請求項３１】
コンピュータに請求項１乃至１５のいずれかの方法を実行させるプログラム。
【手続補正２】
【補正対象書類名】明細書
【補正対象項目名】０００１
【補正方法】変更
【補正の内容】
【０００１】
［技術分野］
【手続補正３】
【補正対象書類名】明細書
【補正対象項目名】００２１
【補正方法】変更
【補正の内容】
【００２１】
Ｃｅｌｌ  Ｏｎ／Ｏｆｆメカニズムでは、Ｃｅｌｌ  Ｏｎ期間及びＣｅｌｌ  Ｏｆｆ期間は比較的一定である。したがって、Ｃｅｌｌ  Ｏｎ及びＣｅｌｌ  Ｏｆｆの間の境界点は、通常一定である。本任意的実装では、Ｃｅｌｌ  Ｏｎ及びＣｅｌｌ  Ｏｆｆの間の境界点は変更される。具体的に、基地局がチャネル予約信号を送信する開始時期が、新しい境界点として使用される。望ましくは、ＣＣＡの検出結果がチャネルはアイドルであることであると決定されると、チャネル予約信号が直ちに送信される場合、ＣＣＡの検出結果がチャネルはアイドルであることである時期は、新しい境界点として使用される。
【手続補正４】
【補正対象書類名】明細書
【補正対象項目名】０１６２
【補正方法】変更
【補正の内容】
【０１６２】
ＷｉＦｉ信号（ここではチャネル予約信号である）は最後のＯＦＤＭシンボル上の物理ダウンリンク共有チャネル（physical  downlink  shared  channel、ＰＤＳＣＨ）データをカバーするために物理層において直接使用されるので、より高次の変調及び符号化方式（modulation  and  coding  scheme、ＭＣＳ）で巡回冗長検査（cyclic  redundancy  check、ＣＲＣ）誤りが引き起こされることがある。したがって、本実施形態では、第２チャネル予約信号のチャネル予約信号受信側の復号化成功率は、変調次数及び符号レートを低減することにより向上され得る。さらに、特定の実装中、基地局は、ダウンリンク制御情報（downlink  control  information、ＤＣＩ）を用いて、端末に、各サブフレーム内のデータのＭＣＳ（変調方式、変調次数、符号レート、等を含む）を通知して良い。
【手続補正５】
【補正対象書類名】明細書
【補正対象項目名】０１８０
【補正方法】変更
【補正の内容】
【０１８０】
Ｃｅｌｌ  Ｏｎ／Ｏｆｆメカニズムでは、Ｃｅｌｌ  Ｏｎ期間及びＣｅｌｌ  Ｏｆｆ期間は、比較的長期において比較的一定であり、デューディサイクル測定の周期の後にのみ変化して良い。つまり、Ｃｅｌｌ  Ｏｎ期間及びＣｅｌｌ  Ｏｆｆ期間は、比較的一定である。したがって、Ｃｅｌｌ  Ｏｎ及びＣｅｌｌ  Ｏｆｆの間の境界点は、通常一定である。本実施形態では、Ｃｅｌｌ  Ｏｎ及びＣｅｌｌ  Ｏｆｆの間の境界点は変更される。具体的に、基地局がチャネル予約信号を送信する開始時期が、新しい境界点として使用される。望ましくは、ＣＣＡの検出結果がチャネルはアイドルであることであると決定されると、チャネル予約信号が直ちに送信される場合、ＣＣＡの検出結果がチャネルはアイドルであることである時期は、新しい境界点として使用される。
【手続補正６】
【補正対象書類名】明細書
【補正対象項目名】０２１１
【補正方法】変更
【補正の内容】
【０２１１】
任意的実装では、複数のＯＦＤＭシンボルは、複数の連続するＯＦＤＭシンボルである。つまり、目標ＯＦＤＭシンボルは、複数の連続するＯＦＤＭシンボルである。図１５に示す目標ＯＦＤＭシンボルは、説明のための一例として用いられる。図１５では、基地局がサブフレームｎ内のＯＦＤＭシンボル２（０はサブフレーム内の開始シンボルインデックスである）に対してＣＣＡを実行する処理において、ＣＣＡの検出結果は、未認可チャネルはアイドルであることである。この場合、目標ＯＦＤＭシンボルは、サブフレームｎの中のＯＦＤＭシンボル３〜１３であって良い。図１６〜図１９の以下の全ての例では、システム信号はＷｉＦｉ信号であり、ＲＴＳフレームにより占有される期間は５２μｓであり、予約されるべき期間は３ｍｓである。
【手続補正７】
【補正対象書類名】明細書
【補正対象項目名】０２７９
【補正方法】変更
【補正の内容】
【０２７９】
任意で、システム信号はＷｉＦｉ信号であり、予約されるべき期間はＴであり、ＷｉＦｉ信号プリアンブルとｓｉｇｎａｌフィールドとの組み合わせにより予約される最大期間はａであり、ＷｉＦｉ制御フレームにより予約される最大期間はｂである。この場合、送信ユニット２２０２が未認可チャネル上でチャネル予約信号を送信することは、以下の幾つかの場合のうちのいずれか１つを含んで良いが、これに限定されない。
【手続補正８】
【補正対象書類名】明細書
【補正対象項目名】０２８０
【補正方法】変更
【補正の内容】
【０２８０】
Ｔ≦ａのとき、送信ユニット２２０２は、ＷｉＦｉ信号プリアンブルとｓｉｇｎａｌフィールドとの組み合わせにより表される１つのチャネル予約信号グループ、又はＷｉＦｉ制御フレームにより表される１つのチャネル予約信号グループを、未認可チャネル上で送信する。
【手続補正９】
【補正対象書類名】明細書
【補正対象項目名】０２８１
【補正方法】変更
【補正の内容】
【０２８１】
ａ＜Ｔ≦ｂのとき、送信ユニット２２０２は、ＷｉＦｉ信号プリアンブルとｓｉｇｎａｌフィールドとの組み合わせにより表される複数のチャネル予約信号グループ、又はＷｉＦｉ制御フレームにより表される１つのチャネル予約信号グループを、未認可チャネル上で送信する。
【手続補正１０】
【補正対象書類名】明細書
【補正対象項目名】０２８２
【補正方法】変更
【補正の内容】
【０２８２】
Ｔ＞ｂのとき、送信ユニット２２０２は、ＷｉＦｉ信号プリアンブルとｓｉｇｎａｌフィールドとの組み合わせにより表される複数のチャネル予約信号グループ、又はＷｉＦｉ制御フレームにより表される複数のチャネル予約信号グループ、又はＷｉＦｉ信号プリアンブルとｓｉｇｎａｌフィールドとの組み合わせにより表される１又は複数のチャネル予約信号グループ及びＷｉＦｉ制御フレームにより表される１又は複数のチャネル予約信号グループを、未認可チャネル上で送信する。
【手続補正１１】
【補正対象書類名】明細書
【補正対象項目名】０２８３
【補正方法】変更
【補正の内容】
【０２８３】
任意で、送信ユニット２２０２は、具体的に、Ｃｅｌｌ  Ｏｎ／Ｏｆｆメカニズムで、基地局の属するＬＡＡシステムがＣｅｌｌ  Ｏｎ状態に入る時期より前の１又は複数の直交周波数分割多重ＯＦＤＭシンボル上の未認可チャネル上でチャネル予約信号を送信する、又は、Ｃｅｌｌ  Ｏｎ／Ｏｆｆメカニズムで、基地局の属するＬＡＡシステムがＣｅｌｌ  Ｏｎ状態に入る時期に続く１又は複数の直交周波数分割多重ＯＦＤＭシンボル上の未認可チャネル上でチャネル予約信号を送信する、又は、Ｃｅｌｌ  Ｏｎ／Ｏｆｆメカニズムで、基地局の属するＬＡＡシステムがＣｅｌｌ  Ｏｎ状態に入る時期に続くデータ領域内で、１又は複数の直交周波数分割多重ＯＦＤＭシンボル上の未認可チャネル上でチャネル予約信号を送信する、よう構成されて良い。
【手続補正１２】
【補正対象書類名】明細書
【補正対象項目名】０２８４
【補正方法】変更
【補正の内容】
【０２８４】
任意で、送信ユニット２２０２は、具体的に、ＣＣＡの検出結果が、未認可チャネルはアイドルであることである場合、制御データを伝達するために使用される未認可チャネルの最後の１又は複数のＯＦＤＭシンボル上でチャネル予約信号を送信するよう構成される。
【手続補正１３】
【補正対象書類名】明細書
【補正対象項目名】０２８５
【補正方法】変更
【補正の内容】
【０２８５】
任意で、送信ユニット２２０２は、具体的に、ＣＣＡの検出結果が、未認可チャネルはアイドルであることであり、且つＴ１≧Ｔ２である場合、ＣＣＡ検出が終了した後に、未認可チャネルを予約するために、Ｔ１−Ｔ２期間を延期することにより、未認可チャネル上でチャネル予約信号を送信する、又は、ＣＣＡの検出結果が、未認可チャネルはアイドルであることであり、且つＴ１＜Ｔ２である場合、未認可チャネルを予約するために、未認可チャネル上でチャネル予約信号を送信する、よう構成され、Ｔ１は基地局の属するＬＡＡシステムによるアップリンク送信からダウンリンク送信への切り換え遅延であり、Ｔ２はチャネル予約信号を無線インタフェースへ送信するために基地局により必要な時間である。
【手続補正１４】
【補正対象書類名】明細書
【補正対象項目名】０２８９
【補正方法】変更
【補正の内容】
【０２８９】
メモリ２４０２は、コンピュータ実行可能命令を格納するよう構成され、プロセッサ２４０１は、システムバスを用いてメモリ２４０２に接続され、基地局２４が実行すると、プロセッサ２４０１はメモリ２４０２に格納されたコンピュータ実行可能命令を実行して、基地局２４が、チャネル予約信号を送信する前述の方法のいずれか１つを実行するようにする。
【手続補正１５】
【補正対象書類名】明細書
【補正対象項目名】０２９１
【補正方法】変更
【補正の内容】
【０２９１】
本実施形態は記憶媒体を更に提供する。記憶媒体は、メモリ２４０２であって良い。
【手続補正１６】
【補正対象書類名】図面
【補正対象項目名】図７
【補正方法】変更
【補正の内容】
【図７】
2019504551.tif 000029
【国際調査報告】
2019504551.tif 000030
2019504551.tif 000031
2019504551.tif 000032
2019504551.tif 000033